(57)【特許請求の範囲】
【請求項１】
下りアクセス方式としてＯＦＤＭ（Orthogonal Frequency Division Multiplexing）方式を使用し、上りアクセス方式としてＳＣ−ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び前記移動端末に対して一対一型の個別通信データを送信可能な移動体通信システムにおいて、
前記移動体通信システムは、移動端末が前記個別通信データを送受信可能なセルであるユニキャストセル、前記移動端末が前記放送型データの受信はできるが、前記個別通信データの送受信はできないＭＢＭＳ専用セル、前記ユニキャストセルと前記ＭＢＭＳ専用セルの双方のサービスを提供できるユニキャスト／ＭＢＭＳ混合セルの３種類のセルを備え、前記ＭＢＭＳ専用セル及び前記ユニキャスト／ＭＢＭＳ混合セルは、ひとつの周波数で前記放送型データの送信を行うＭＢＳＦＮ（Multimedia Broadcast multicast service Single Frequency Network）エリアを構成し、１ないし複数の前記ＭＢＳＦＮエリアが、前記複数の基地局が同期して前記放送型データの送信を行うＭＢＳＦＮ（Multimedia Broadcast multicast service Single Frequency Network）同期エリアをさらに構成しており、
前記ユニキャストセル、前記ＭＢＭＳ専用セル及び前記ユニキャスト／ＭＢＭＳ混合セルのうち、前記移動端末に無線リソースの割り当てを行うスケジューリング処理を行うサービングセルは、前記移動端末が位置するセルに隣接するＭＢＳＦＮエリアにおいて利用可能なＭＢＭＳサービスの内容を、前記移動端末に通知することを特徴とする移動体通信システム。
【請求項２】
サービングセルは、利用可能なＭＢＭＳサービスの周波数及び利用可能なＭＢＭＳサービスの内容のいずれかあるいは両方を報知チャネルにマッピングして通知することを特徴とする請求項１に記載の移動体通信システム。
【請求項３】
サービングセルは、利用可能なＭＢＭＳサービスの周波数及び利用可能なＭＢＭＳサービスの内容のいずれかあるいは両方を下り共有チャネルにマッピングして通知することを特徴とする請求項１に記載の移動体通信システム。
【発明の詳細な説明】
【技術分野】
【０００１】
本発明は、基地局が複数の移動端末と無線通信を実施する移動体通信システムに関するものであり、特に放送型マルチメディアサービス（MBMS: Multimedia Broadcast Multicast Service）を移動端末に提供可能な移動体通信システムに関するものである。
【背景技術】
【０００２】
第３世代と呼ばれる通信方式のうち、Ｗ−ＣＤＭＡ（Wideband Code division Multiple Access）方式が２００１年から日本で商用サービスが開始されている。また、下りリンク（個別データチャネル、個別制御チャネル）にパケット伝送用のチャネル（HS-DSCH: High Speed-Downlink Shared Channel）を追加することにより、下りリンクを用いたデータ送信の更なる高速化を実現するＨＳＤＰＡ（High Speed Down Link Packet Access）のサービスが開始されている。さらに、上り方向のデータ送信をさらに高速化するためＨＳＵＰＡ（High Speed Up Link Packet Access）方式についても規格化されている。Ｗ−ＣＤＭＡは、移動体通信システムの規格化団体である３ＧＰＰ（3rd Generation Partnership Project）により定められた通信方式であり、リリース７版の規格書がとりまとめられている。
【０００３】
また、３ＧＰＰにおいて、Ｗ−ＣＤＭＡとは別の通信方式として、無線区間については「ロングタームエボリューション」（Long Term Evolution  LTE）、コアネットワークを含めたシステム全体構成については「システムアーキテクチャエボリューション」（System Architecture Evolution  SAE）と称される新たな通信方式が検討されている。ＬＴＥでは、アクセス方式、無線のチャネル構成やプロトコルが、現在のＷ−ＣＤＭＡ（HSDPA/HSUPA）とは全く異なるものになる。たとえば、アクセス方式は、Ｗ−ＣＤＭＡが符号分割多元接続（Code Division Multiple Access）を用いているのに対して、ＬＴＥは下り方向はＯＦＤＭ（Orthogonal Frequency Division Multiplexing ）、上り方向はＳＣ−ＦＤＭＡ（Single Career Frequency Division Multiple Access）を用いる。また、帯域幅は、Ｗ−ＣＤＭＡが５ＭＨｚであるのに対し、ＬＴＥでは１．４／３／５／１０／１５／２０ＭＨｚの中で基地局ごとに選択可能となっている。また、ＬＴＥでは、Ｗ−ＣＤＭＡのように回線交換を含まず、パケット通信方式のみになる。
【０００４】
ＬＴＥはＷ−ＣＤＭＡのコアネットワーク(GPRS)とは異なる新たなコアネットワークを用いて通信システムが構成されるため、Ｗ−ＣＤＭＡ網とは別の独立した無線アクセス網として定義される。したがって、Ｗ−ＣＤＭＡの通信システムと区別するため、ＬＴＥの通信システムでは、移動端末（UE: User Equipment）と通信を行う基地局（Base station）はｅＮＢ（E-UTRAN NodeB）、複数の基地局と制御データやユーザデータのやり取りを行う基地局制御装置(Radio Network Controller)はＥＰＣ（Evolved Packet Core）（aGW: Access Gatewayと称されることもある)と称される。このＬＴＥの通信システムでは、yユニキャスト（Unicast）サービスとＥ-ＭＢＭＳサービス（Evolved Multimedia Broadcast Multicast Service）が提供される。Ｅ−ＭＢＭＳサービスとは、放送型マルチメディアサービスであり、単にＭＢＭＳと称される場合もある。複数の移動端末に対してニュースや天気予報や、モバイル放送など大容量放送コンテンツが送信される。これを１対多（Point to Multipoint）サービスともいう。
【０００５】
３ＧＰＰでの、ＬＴＥシステムにおける全体的なアーキテクチャ（Architecture）に関する現在の決定事項が、非特許文献１に記載されている。全体的なアーキテクチャ（非特許文献１  ４章）について図１を用いて説明する。図１は、ＬＴＥ方式の通信システムの構成を示す説明図である。図１において、移動端末１０１に対する制御プロトコル（例えばＲＲＣ（Radio Resource Management））とユーザプレイン（例えばPDCP: Packet Data Convergence Protocol、RLC: Radio Link Control、MAC: Medium Access Control、PHY: Physical layer）が基地局１０２で終端するなら、Ｅ−ＵＴＲＡＮ（Evolved Universal Terrestrial Radio Access）は１つあるいは複数の基地局１０２によって構成される。基地局１０２は、ＭＭＥ１０３（Mobility Management Entity）から通知されるページング信号（Paging Signaling、ページングメッセージ（paging messages）とも称される）のスケジューリング（Scheduling）及び送信を行う。基地局１０２はＸ２インタフェースにより、お互いに接続される。また基地局１０２は、Ｓ１インタフェースによりＥＰＣ（Evolved Packet Core）に接続される、より明確にはＳ１＿ＭＭＥインタフェースによりＭＭＥ１０３（Mobility Management Entity）に接続され、Ｓ１＿ＵインタフェースによりＳ−ＧＷ１０４（Serving Gateway）に接続される。ＭＭＥ１０３は、複数あるいは単数の基地局１０２へのページング信号の分配を行う。また、ＭＭＥ１０３は待受け状態（Idle State）のモビリティ制御（Mobility control）を行う。Ｓ−ＧＷ１０４はひとつまたは複数の基地局１０２とユーザデータの送受信を行う。
【０００６】
３ＧＰＰでの、ＬＴＥシステムにおけるフレーム構成に関する現在の決定事項が、非特許文献１（５章）に記載されている。図２を用いて説明する。図２はＬＴＥ方式の通信システムで使用される無線フレームの構成を示す説明図である。図２において、１つの無線フレーム（Radio frame）は１０ｍｓである。無線フレームは１０個の等しい大きさのサブフレーム（Sub-frame）に分割される。サブフレームは、２個の等しい大きさのスロット（slot）に分割される。フレーム毎に１番目（＃０）と６番目（＃５）のサブフレームに下り同期チャネル（Downlink Synchronization Channel: SCH）が含まれる。同期信号には第一同期チャネル（Primary Synchronization Channel: P-SCH）と第二同期チャネル（Secondary Synchronization Channel: S-SCH）がある。サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（MBSFN sub-frame）と称する。非特許文献２に、ＭＢＳＦＮサブフレームの割り当て時のシグナリング例が記載されている。図３は、ＭＢＳＦＮフレームの構成を示す説明図である。図３において、ＭＢＳＦＮフレーム（MBSFN frame）毎にＭＢＳＦＮサブフレームが割り当てられる。ＭＢＳＦＮフレームの集合（MBSFN frame Cluster）がスケジュールされる。ＭＢＳＦＮフレームの集合の繰り返し周期（Repetition Period）が割り当てられる。
【０００７】
３ＧＰＰでの、ＬＴＥシステムにおけるチャネル構成に関する現在の決定事項が、非特許文献１に記載されている。物理チャネル（Physical channel）について（非特許文献１  ５章）図４を用いて説明する。図４は、ＬＴＥ方式の通信システムで使用される物理チャネルを説明する説明図である。図４において、物理報知チャネル４０１（Physical Broadcast channel: PBCH）は基地局１０２から移動端末１０１へ送信される下りチャネルである。ＢＣＨトランスポートブロック（transport block）は４０ｍｓ間隔中の４個のサブフレームにマッピングされる。４０ｍｓタイミングの明白なシグナリングはない。物理制御チャネルフォーマットインジケータチャネル４０２（Physical Control format indicator channel: PCFICH）は基地局１０２から移動端末１０１へ送信される。ＰＣＦＩＣＨは、ＰＤＣＣＨｓのために用いるＯＦＤＭシンボルの数について基地局１０２から移動端末１０１へ通知する。ＰＣＦＩＣＨはサブフレーム毎に送信される。物理下り制御チャネル４０３（Physical downlink control channel: PDCCH）は基地局１０２から移動端末１０１へ送信される下りチャネルである。ＰＤＣＣＨは、リソース割り当て（allocation）、ＤＬ−ＳＣＨ（図５に示されるトランスポートチャネルの１つである下り共有チャネル）に関するＨＡＲＱ情報、ＰＣＨ（図５に示されるトランスポートチャネルの１つであるページングチャネル）を通知する。ＰＤＣＣＨは、上りスケジューリンググラント（Uplink Scheduling Grant）を運ぶ。ＰＤＣＣＨは、上り送信に対する応答信号であるＡＣＫ／Ｎａｃｋを運ぶ。物理下り共有チャネル４０４（Physical downlink shared channel: PDSCH）は、基地局１０２から移動端末１０１へ送信される下りチャネルである。ＰＤＳＣＨはトランスポートチャネルであるＤＬ-ＳＣＨ（下り共有チャネル）がマッピングされている。物理マルチキャストチャネル４０５（Physical multicast channel: PMCH）は基地局１０２から移動端末１０１へ送信される下りチャネルである。ＰＭＣＨはトランスポートチャネルであるＭＣＨ（マルチキャストチャネル）がマッピングされている。
【０００８】
物理上り制御チャネル４０６（Physical Uplink control channel: PUCCH）は移動端末１０１から基地局１０２へ送信される上りチャネルである。ＰＵＣＣＨは下り送信に対する応答信号（response）であるＡＣＫ／Ｎａｃｋを運ぶ。ＰＵＣＣＨはＣＱＩ（Channel Quality indicator）レポートを運ぶ。ＣＱＩとは受信したデータの品質、もしくは通信路品質を示す品質情報である。物理上り共有チャネル４０７（Physical Uplink shared channel: PUSCH）は移動端末１０１から基地局１０２へ送信される上りチャネルである。ＰＵＳＣＨはＵＬ−ＳＣＨ（図５に示されるトランスポートチャネルの１つである上り共有チャネル）がマッピングされている。物理ＨＡＲＱインジケータチャネル４０８（Physical Hybrid ARQ indicator channel: PHICH）は基地局１０２から移動端末１０１へ送信される下りチャネルである。ＰＨＩＣＨは上り送信に対する応答であるＡＣＫ／Ｎａｃｋを運ぶ。物理ランダムアクセスチャネル４０９（Physical random access  channel: PRACH）は移動端末１０１から基地局１０２へ送信される上りチャネルである。ＰＲＡＣＨはランダムアクセスプリアンブル（random access preamble）を運ぶ。
【０００９】
トランスポートチャネル（Transport channel）について（非特許文献１  ５章）図５を用いて説明する。図５は、ＬＴＥ方式の通信システムで使用されるトランスポートチャネルを説明する説明図である。図５Ａには下りトランスポートチャネルと下り物理チャネル間のマッピングを示す。図５Ｂには上りトランスポートチャネルと上り物理チャネル間のマッピングを示す。下りトランスポートチャネルについて報知チャネル（Broadcast channel: BCH）はその基地局（セル）全体に報知される。ＢＣＨは物理報知チャネル（PBCH）にマッピングされる。下り共有チャネル（Downlink Shared channel: DL-SCH）には、ＨＡＲＱ（Hybrid ARQ）による再送制御が適用される。基地局（セル）全体への報知が可能である。ダイナミックあるいは準静的（Semi-static）なリソース割り当てをサポートする。準静的なリソース割り当ては，パーシステントスケジューリング（Persistent Scheduling）とも言われる。移動端末の低消費電力化のために移動端末のＤＲＸ（Discontinuous reception）をサポートする。ＤＬ−ＳＣＨは物理下り共有チャネル（PDSCH）へマッピングされる。ページングチャネル（Paging channel: PCH）は移動端末の低消費電力を可能とするために移動端末のＤＲＸをサポートする。基地局（セル）全体への報知が要求される。動的にトラフィックに利用できる物理下り共有チャネル（PDSCH）のような物理リソース、あるいは他の制御チャネルの物理下り制御チャネル（PDCCH）のような物理リソースへマッピングされる。マルチキャストチャネル（Multicast channel: MCH）は基地局（セル）全体への報知に使用される。マルチセル送信におけるＭＢＭＳサービス（MTCHとMCCH）のＳＦＮ合成をサポートする。準静的なリソース割り当てをサポートする。ＭＣＨはＰＭＣＨへマッピングされる。
【００１０】
上り共有チャネル（Uplink Shared channel: UL-SCH）にはＨＡＲＱ（Hybrid ARQ）による再送制御が適用される。ダイナミックあるいは準静的（Semi-static）なリソース割り当てをサポートする。ＵＬ−ＳＣＨは物理上り共有チャネル（PUSCH）へマッピングされる。図５Ｂに示されるランダムアクセスチャネル（Random access channel: RACH）は制御情報に限られている。衝突のリスクがある。ＲＡＣＨは物理ランダムアクセスチャネル（PRACH）へマッピングされる。ＨＡＲＱについて説明する。
【００１１】
ＨＡＲＱとは自動再送（Automatic Repeat reQuest）と誤り訂正（Forward Error Correction）との組み合わせにより伝送路の通信品質を向上させる技術である。通信品質が変化する伝送路に対しても再送により誤り訂正が有効に機能するという利点がある。特に再送にあたって初送の受信結果と再送の受信結果の合成をすることで更なる品質向上を得ることも可能である。再送の方法の一例を説明する。受信側にて受信データが正しくデコード出来なかった場合（CRC Cyclic Redundancy Check エラーが発生した場合（CRC=NG））、受信側から送信側へ「Ｎａｃｋ」を送信する。「Ｎａｃｋ」を受信した送信側はデータを再送する。受信側にて受信データが正しくデコードできた場合（CRCエラーが発生しない場合（CRC=OK））、受信側から送信側へ「Ａｃｋ」を送信する。「Ａｃｋ」を受信した送信側は次のデータを送信する。ＨＡＲＱ方式の一例として「チェースコンバイニング」（Chase Combining）がある。チェースコンバイニングとは初送と再送に同じデータ系列を送信するもので、再送において初送のデータ系列と再送のデータ系列の合成を行うことで利得を向上させる方式である。これは初送データに誤りがあったとしても部分的に正確なものも含まれており、正確な部分の初送データと再送データとを合成することでより高精度にデータを送信できるという考え方に基づいている。また、ＨＡＲＱ方式の別の例としてＩＲ（Incremental Redundancy）がある。ＩＲとは冗長度を増加させるものであり、再送においてパリティビットを送信することで初送と組み合わせて冗長度を増加させ、誤り訂正機能により品質を向上させるものである。
【００１２】
論理チャネル（Logical channel）について（非特許文献１  ６章）図６を用いて説明する。図６は、ＬＴＥ方式の通信システムで使用される論理チャネルを説明する説明図である。図６Ａには下りロジカルチャネルと下りトランスポートチャネル間のマッピングを示す。図６Ｂには上りロジカルチャネルと上りトランスポートチャネル間のマッピングを示す。報知制御チャネル（Broadcast control channel: BCCH）は報知システム制御情報のための下りチャネルである。論理チャネルであるＢＣＣＨはトランスポートチャネルである報知チャネル(BCH)、あるいは下り共有チャネル（DL-SCH）へマッピングされる。ページング制御チャネル（Paging control channel: PCCH）はページング信号を送信するための下りチャネルである。ＰＣＣＨは移動端末のセルロケーションをネットワークが知らない場合に用いられる。論理チャネルであるＰＣＣＨはトランスポートチャネルであるページングチャネル(PCH)へマッピングされる。共有制御チャネル（Common control channel: CCCH）は移動端末と基地局間の送信制御情報のためのチャネルである。ＣＣＣＨは移動端末がネットワークとの間でＲＲＣ接続（connection）を持っていない場合に用いられる。ＣＣＣＨを下りに設けるかは現時点で決まっていない。上り方向では、ＣＣＣＨはトランスポートチャネルである上り共有チャネル(UL-SCH)へマッピングされる。
【００１３】
マルチキャスト制御チャネル（Multicast control channel: MCCH）は１対多の送信のための下りチャネルである。ネットワークから移動端末への１つあるいはいくつかのＭＴＣＨ用のＭＢＭＳ制御情報の送信のために用いられるチャネルである。ＭＣＣＨはＭＢＭＳ受信中の移動端末のみに用いられるチャネルである。ＭＣＣＨはトランスポートチャネルである下り共有チャネル(DL-SCH)あるいはマルチキャストチャネル（MCH）へマッピングされる。個別制御チャネル（Dedicated control channel: DCCH）は移動端末とネットワーク間の個別制御情報を送信するチャネルである。ＤＣＣＨは上りでは上り共有チャネル（UL-SCH）へマッピングされ、下りでは下り共有チャネル(DL-SCH)にマッピングされる。個別トラフィックチャネル（Dedicate Traffic channel: DTCH）はユーザ情報の送信のための個別移動端末への１対１通信のチャネルである。ＤＴＣＨは上り・下りともに存在する。ＤＴＣＨは上りでは上り共有チャネル(UL-SCH)へマッピングされ、下りでは下り共有チャネル（DL-SCH）へマッピングされる。マルチキャストトラフィックチャネル（Multicast Traffic channel: MTCH）はネットワークから移動端末へのトラフィックデータ送信のための下りチャネルである。ＭＴＣＨはＭＢＭＳ受信中の移動端末のみに用いられるチャネルである。ＭＴＣＨは下り共有チャネル(DL-SCH)あるいはマルチキャストチャネル(MCH)へマッピングされる。
【００１４】
３ＧＰＰでの、Ｅ−ＭＢＭＳサービスに関する現在の決定事項が、非特許文献１に記載されている。Ｅ−ＭＢＭＳに関する言葉の定義（非特許文献１  １５章）について、図７を用いて説明する。図７は、ＭＢＳＦＮ同期エリアとＭＢＳＦＮエリアとの関係を説明する説明図である。図７において、ＭＢＳＦＮ同期エリア７０１（Multimedia Broadcast multicast service Single Frequency Network Synchronization Area）とは、すべての基地局が同期し、ＭＢＳＦＮ（Multimedia Broadcast Multicast service Single Frequency Network）送信を実行することができるネットワークの領域のことである。ＭＢＳＦＮ同期エリアは１つ以上のＭＢＳＦＮエリア（MBSFN Areas）７０２を含む。１つの周波数レイヤ（frequency layer）では、基地局は１つのＭＢＳＦＮ同期エリアにしか属すことができない。ＭＢＳＦＮエリア７０２（MBSFN Area）は、ネットワークのＭＢＳＦＮ同期エリアに含まれる基地局（セル）のグループから構成される。ＭＢＳＦＮ同期エリア中の基地局（セル）は複数のＭＢＳＦＮエリアを構成することもある。
【００１５】
Ｅ−ＭＢＭＳの論理構造（Logical Architecture）について（非特許文献１  １５章）図８を用いて説明する。図８は、Ｅ−ＭＢＭＳの論理構造（Logical Architecture）を説明する説明図である。図８において、マルチセル／マルチキャスト調整エンティティ８０１（Multi-cell/multicast Coordination Entity: MCE）とは論理エンティティである。ＭＣＥ８０１は、マルチセルＭＢＭＳ送信（multi-cell MBMS transmission）を行うため、ＭＢＳＦＮエリア中の全ての基地局に対する無線リソースの割り当てを行う。ＭＣＥ８０１は時間あるいは／かつ周波数の無線リソースの割り当て以外に、無線構造の詳細（例えば、変調方式、コードなど）についての決定を行う。Ｅ−ＭＢＭＳゲートウェイ８０２（MBMS GW）とは論理エンティティである。Ｅ−ＭＢＭＳゲートウェイ８０２はｅＢＭＳＣと基地局間に位置し、主要な機能は、サービスを各基地局へＳＹＮＣプロトコルにてＭＢＭＳサービスを送信／放送することである。Ｍ３インタフェースとは、ＭＣＥ８０１とＥ−ＭＢＭＳゲートウェイ８０２間の制御インタフェース（Control Plane Interface）である。Ｍ２インタフェースとは、ＭＣＥ８０１とｅＮＢ１０２間の制御インタフェースである。Ｍ１インタフェースとは、Ｅ−ＭＢＭＳゲートウェイ８０２とｅＮＢ１０２間のユーザデータインタフェース（User Plane Interface）である。
【００１６】
Ｅ−ＭＢＭＳのアーキテクチャ（Architecture）について（非特許文献１  １５章）説明する。図９は、Ｅ−ＭＢＭＳのアーキテクチャ（Architecture）を説明する説明図である。Ｅ−ＭＢＭＳのアーキテクチャについては、図９Ａ、Ｂに示すように２つが考えられている。ＭＢＭＳのセルについて（非特許文献１  １５）説明する。ＬＴＥシステムでは、ＭＢＭＳ専用セル（基地局）（MBMS-dedicated cell）とＭＢＭＳとユニキャストの両方のサービスを実行できるＭＢＭＳ／ユニキャスト混合セル(MBMS/ Unicast -mixed cell)がある。ＭＢＭＳ専用セルについて説明する。ＭＢＭＳ専用セルがＭＢＭＳ送信専用の周波数レイヤに属する場合の特徴を以下に述べる。以降にて、ＭＢＭＳ送信専用の周波数レイヤは、ＭＢＭＳ専用セルの周波数レイヤとも称する。ともに下り論理チャネルであるＭＴＣＨ（マルチキャストトラヒックチャネル）とＭＣＣＨ（マルチキャスト制御チャネル）は、１対多送信にて下りトランスポートチャネルであるＭＣＨ（マルチキャストチャネル）あるいはＤＬ−ＳＣＨ（下り共有チャネル）にマッピングされる。ＭＢＭＳ専用セルにおいて上りリンクは存在しない。また、ＭＢＭＳ専用セル内でユニキャストデータの送受信はできない。また、カウンティングメカニズムも設定されない。ＭＢＭＳ送信専用の周波数レイヤでページング信号（Paging messages）を設けるかは未定である。
【００１７】
次にＭＢＭＳ／ユニキャスト混合セルについて説明する。ＭＢＭＳ／ユニキャスト混合セルがＭＢＭＳ送信専用の周波数レイヤに属さない場合の特徴を以下に述べる。ＭＢＭＳ送信専用の周波数レイヤ以外の周波数レイヤを「ユニキャスト／ミクスド周波数レイヤ」と称する。ともに下り論理チャネルであるＭＴＣＨとＭＣＣＨは、１対多送信にて下り論理チャネルであるＭＣＨあるいはＤＬ−ＳＣＨにマッピングされる。ＭＢＭＳ／ユニキャスト混合セルではユニキャストデータとＭＢＭＳデータの両方の送信が可能である。
【００１８】
ＭＢＭＳ送信について（非特許文献１  １５章）説明する。ＬＴＥシステムでのＭＢＭＳ送信は、シングルセル送信（Single-cell transmission: SC送信）とマルチセル送信（multi-cell transmission: MC送信）をサポートする。シングルセル送信ではＳＦＮ（Single frequency Network）オペレーションをサポートしない。また、マルチセル送信ではＳＦＮオペレーションをサポートする。ＭＢＳＦＮ(Multimedia Broadcast multicast service Single Frequency Network)エリアにてＭＢＭＳの送信は同期している。マルチセル送信におけるＭＢＭＳサービス（MTCHとMCCH）のＳＦＮ合成（Combining）がサポートされる。ＭＴＣＨとＭＣＣＨは１対多送信にてＭＣＨにマッピングされる。スケジューリングはＭＣＥによって行われる。
【００１９】
マルチキャスト制御チャネル(MCCH)構造（Structure）について（非特許文献  １５章）説明する。下り論理チャネルである報知制御チャネル(BCCH)は１つあるいは２つのプライマリマルチキャスト制御チャネル（Primary MCCH:P-MCCH）のスケジューリングを示す。シングルセル送信用のＰ−ＭＣＣＨはＤＬ−ＳＣＨ（下り共有チャネル）にマッピングされる。また、マルチセル送信用のＰ−ＭＣＣＨはＭＣＨ（マルチキャストチャネル）にマッピングされる。ＭＣＨ上にセカンダリマルチキャスト制御チャネル（Secondary MCCH:S-MCCH）がマッピングされた場合、プライマリマルチキャスト制御チャネル（P-MCCH）を用いてセカンダリマルチキャスト制御チャネル（S-MCCH）のアドレスを示すことができる。報知制御チャネル（BCCH）はプライマリマルチキャスト制御チャネル（P-MCCH）のリソースを示すが、入手可能なサービスを示すことはない。
【００２０】
３ＧＰＰでの、ページングに関する現在の決定事項が、非特許文献１（10章）に記載されている。ページンググループは、Ｌ１／Ｌ２シグナリングチャネル（PDCCH）を用いる。移動端末の明確な識別子（UE-ID）はページングチャネル(PCH)上で確認することが出来る。
【００２１】
【非特許文献１】３ＧＰＰ  ＴＳ３６．３００  Ｖ８．２．０
【００２２】
【非特許文献２】３ＧＰＰ  Ｒ１−０７２９６３
【００２３】
【非特許文献３】３ＧＰＰ  Ｒ２−０７５５７０
【００２４】
【非特許文献４】３ＧＰＰ  Ｒ１−０８００７３
【００２５】
【非特許文献５】３ＧＰＰ  Ｒ２−０８０４６３
【発明の開示】
【発明が解決しようとする課題】
【００２６】
発明が解決しようとする第一の課題について説明する。非特許文献１において、ＭＢＭＳ送信専用の周波数レイヤの存在、及びＭＢＭＳ専用セルの存在や特徴については開示されている。一方、移動端末がＭＢＭＳ送信専用の周波数レイヤに移動する方法や所望のサービスを選択するまでの方法などの開示はない。ＭＢＭＳ送信専用の周波数レイヤにて所望のサービスを選択するまでの方法、及びそのための移動体通信システムについて開示することを目的とする。
【００２７】
また、発明が解決しようとする第二の課題について説明する。非特許文献１の１５章より、ＭＢＳＦＮエリアはＭＢＳＦＮ送信を実現するため調整された、ＭＢＳＦＮ同期エリアの中のセルグループから成り立つことが理解できる。よって、ＭＢＳＦＮエリアが異なるとＭＢＳＦＮ送信が実現されない場合があることになる。よって以下の課題が発生する。ユニキャスト／ミクスド周波数レイヤにおいて、ＭＢＭＳ専用セル、ないしユニキャスト／ＭＢＭＳ混合セルから、マルチセル送信されたＭＢＭＳサービスを受信している移動端末が、ハンドオーバを行う場合以下の問題が生じる。ハンドオーバ元（現在のサービングセル）のユニキャスト／ＭＢＭＳ混合セルとハンドオーバ先（新しくサービングセルとして選択する基地局（新しいサービングセル：New Serving cell））のユニキャスト／ＭＢＭＳ混合セルが、同じＭＢＳＦＮエリアに属していない場合を考える。ＭＢＳＦＮエリアが異なれば、受信可能なＭＢＭＳのサービス内容が異なる可能性がある。よってハンドオーバによりＭＢＭＳサービス受信の中断が発生するという問題が生じる。
【課題を解決するための手段】
【００２８】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動端末が個別通信データを送受信可能なセルであるユニキャストセル、移動端末が放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、複数の基地局が同期して前記放送型データの送信を行うＭＢＳＦＮ（Multimedia Broadcast multicast service Single Frequency Network）同期エリアを構成しており、ユニキャストセル、ＭＢＭＳ専用セル及びユニキャスト／ＭＢＭＳ混合セルのうち、移動端末に無線リソースの割り当てを行うスケジューリング処理を行うサービングセルは、ＭＢＭＳ専用セルないしユニキャスト／ＭＢＭＳ混合セルにて利用可能なＭＢＭＳサービスの周波数を通知するものである。
【発明の効果】
【００２９】
下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動端末が個別通信データを送受信可能なセルであるユニキャストセル、移動端末が放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、複数の基地局が同期して前記放送型データの送信を行うＭＢＳＦＮ（Multimedia Broadcast multicast service Single Frequency Network）同期エリアを構成しており、ユニキャストセル、ＭＢＭＳ専用セル及びユニキャスト／ＭＢＭＳ混合セルのうち、移動端末に無線リソースの割り当てを行うスケジューリング処理を行うサービングセルは、ＭＢＭＳ専用セルないしユニキャスト／ＭＢＭＳ混合セルにて利用可能なＭＢＭＳサービスの周波数を通知するので、移動端末がＭＢＭＳ専用セルの周波数レイヤに移動する方法や所望のサービスを選択するまでの方法を得ることができる。
【００３０】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動端末が個別通信データを送受信可能なセルであるユニキャストセル、移動端末が放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、ひとつの周波数で放送型データの送信を行うＭＢＳＦＮ（Multimedia Broadcast multicast service Single Frequency Network）エリアを構成し、１ないし複数のＭＢＳＦＮエリアが、複数の基地局が同期して放送型データの送信を行うＭＢＳＦＮ（Multimedia Broadcast multicast service Single Frequency Network）同期エリアをさらに構成しており、ユニキャストセル、ＭＢＭＳ専用セル及びユニキャスト／ＭＢＭＳ混合セルのうち、移動端末に無線リソースの割り当てを行うスケジューリング処理を行うサービングセルは、移動端末が位置するセルに隣接するＭＢＳＦＮエリアにおいて利用可能なＭＢＭＳサービスの内容を、移動端末に通知するものである。
【００３１】
本発明に係る移動体通信システムは、下りアクセス方式としてＯＦＤＭ（Orthogonal Frequency Division Multiplexing）方式を使用し、上りアクセス方式としてＳＣ―ＦＤＭＡ（Single Career Frequency Division Multiple Access）方式を用いるものであって、移動端末に対して一対多型の放送通信サービスであるＭＢＭＳ（Multimedia Broadcast Multicast Service）を提供する放送型データの送信及び移動端末に対して一対一型の個別通信データを送信可能な移動体通信システムにおいて、移動端末が個別通信データを送受信可能なセルであるユニキャストセル、移動端末が放送型データの受信はできるが、個別通信データの送受信はできないＭＢＭＳ専用セル、ユニキャストセルとＭＢＭＳ専用セルの双方のサービスを提供できるユニキャスト／ＭＢＭＳ混合セルの３種類のセルを備え、ＭＢＭＳ専用セル及びユニキャスト／ＭＢＭＳ混合セルは、ひとつの周波数で放送型データの送信を行うＭＢＳＦＮ（Multimedia Broadcast multicast service Single Frequency Network）エリアを構成し、１ないし複数のＭＢＳＦＮエリアが、複数の基地局が同期して放送型データの送信を行うＭＢＳＦＮ（Multimedia Broadcast multicast service Single Frequency Network）同期エリアをさらに構成しており、ユニキャストセル、ＭＢＭＳ専用セル及びユニキャスト／ＭＢＭＳ混合セルのうち、移動端末に無線リソースの割り当てを行うスケジューリング処理を行うサービングセルは、移動端末が位置するセルに隣接するＭＢＳＦＮエリアにおいて利用可能なＭＢＭＳサービスの内容を、移動端末に通知するので、ＭＢＭＳサービスを受信している移動端末が、ハンドオーバによりＭＢＭＳサービス受信の中断が発生する問題を防止できる。
【発明を実施するための最良の形態】
【００３２】
実施の形態１．
図１０は、本発明に係る移動体通信システムの全体的な構成を示すブロック図である。図１０において、移動端末１０１は基地局１０２と制御データ（C-plane）、ユーザデータ（U-plane）の送受信を行う。基地局１０２は、ユニキャストの送受信のみ扱うユニキャストセル１０２−１、ユニキャストとＭＢＭＳサービス（ＭＴＣＨとＭＣＣＨ）の送受信を扱う混合セル１０２―２、ＭＢＭＳサービスの送受信のみを扱うＭＢＭＳ専用セル１０１−３に分類される。ユニキャストの送受信を扱うユニキャストセル１０２−１とＭＢＭＳ／ユニキャスト混合セル（混合セル、ミクスドセル）１０２−２は、ＭＭＥ１０３とインタフェースＳ１＿ＭＭＥにより接続される。更にユニキャストの送受信を扱うユニキャストセル１０２−１と混合セル１０２−２は、ユニキャストのユーザデータの送受信のためにＳ−ＧＷ１０４とインタフェースＳ１＿Ｕにより接続される。ＭＭＥ１０３はインタフェースＳ１１によりＰＤＮＧＷ（Packet Data Network Gateway）９０２と接続される。ＭＣＥ８０１は、マルチセル（MC）送信を行うため、ＭＢＳＦＮエリア中の全ての基地局１０２に対して無線リソースの割り当てを行う。例えば１つあるいは複数のＭＢＭＳ／ユニキャスト混合セル１０２−２にて構成されるＭＢＳＦＮエリア＃１と１つあるいは複数のＭＢＭＳ専用セル１０１−３にて構成されるＭＢＳＦＮエリア＃２が存在した場合を考える。ＭＢＭＳ／ユニキャスト混合セル１０２−２はＭＢＳＦＮエリア＃１中の全ての基地局のための無線リソースを割り当てるＭＣＥ８０１―１とインタフェースＭ２で接続される。またＭＢＭＳ専用セル１０２―３はＭＢＳＦＮエリア＃２中の全ての基地局のための無線リソースを割り当てるＭＣＥ８０１―２とインタフェースＭ２で接続される。
【００３３】
ＭＢＭＳ  ＧＷ８０２は制御データを取り扱うＭＢＭＳ  ＣＰ８０２―１とユーザデータを取り扱うＭＢＭＳ  ＵＰ８０２―２に分類できる。ＭＢＭＳ／ユニキャスト混合セル１０２―２及びＭＢＭＳ専用セル１０２―３は、ＭＢＭＳ関連の制御データの送受信のためにインタフェースＭ１にてＭＢＭＳ  ＣＰ８０２―１と接続される。また、ＭＢＭＳ／ユニキャスト混合セル１０２―２及びＭＢＭＳ専用セル１０２―３は、ＭＢＭＳ関連のユーザデータの送受信のためにインタフェースＭ１＿ＵにてＭＢＭＳ  ＵＰ８０２―２と接続される。ＭＣＥ８０１はＭＢＭＳ関連の制御データの送受信のためにインタフェースＭ３にてＭＢＭＳ  ＣＰ８０２―１と接続される。ＭＢＭＳ  ＵＰ８０２―２はインタフェースＳＧｉｍｂにてｅＢＭＳＣ９０１と接続される。ＭＢＭＳ  ＧＷ８０２はインタフェースＳＧｍｂにてｅＢＭＳＣ９０１と接続される。ｅＢＭＳＣ９０１はコンテンツプロバイダと接続される。また、ｅＢＭＳＣ９０１はインタフェースＳＧｉにてＰＤＮＧＷ９０２と接続される。ＭＣＥ８０１は新たなインタフェースであるＭＭＥ―ＭＣＥ間インターフェース（ＩＦ）にてＭＭＥ１０３と接続される。
【００３４】
図１１は、本発明で用いる移動端末１０１の構成を示すブロック図である。図１１において、移動端末１０１の送信処理は以下のとおり実行される。まず、プロトコル処理部１１０１からの制御データ、アプリケーション部１１０２からのユーザデータが送信データバッファ部１１０３へ保存される。送信データバッファ部１１０３に保存されたデータはエンコーダー部１１０４へ渡され、誤り訂正などのエンコード処理が施される。エンコード処理を施さずに送信データバッファ部１１０３から変調部１１０５へ直接出力されるデータが存在しても良い。エンコーダー部１１０４でエンコード処理されたデータは変調部１１０５にて変調処理が行われる。変調されたデータはベースバンド信号に変換された後、周波数変換部１１０６へ出力され、無線送信周波数に変換される。その後、アンテナ１１０７から基地局１０２に送信信号が送信される。また、移動端末１０１の受信処理は以下のとおり実行される。基地局１０２からの無線信号がアンテナ１１０７により受信される。受信信号は、周波数変換部１１０６にて無線受信周波数からベースバンド信号に変換され、復調部１１０８において復調処理が行われる。復調後のデータはデコーダー部１１０９へ渡され、誤り訂正などのデコード処理が行われる。デコードされたデータのうち、制御データはプロトコル処理部１１０１へ渡され、ユーザデータはアプリケーション部１１０２へ渡される。移動端末の一連の処理は制御部１１１０によって制御される。よって制御部１１１０は、図面では省略しているが、各部（１１０１〜１１０９）と接続している。
【００３５】
図１２は、基地局１０２の構成を示すブロック図である。基地局１０２の送信処理は以下のとおり実行される。ＥＰＣ通信部１２０１は、基地局１０２とＥＰＣ（MME103及びS-GW104）間のデータの送受信を行う。他基地局通信部１２０２は、他の基地局との間のデータの送受信を行う。ＥＰＣ通信部１２０１、他基地局通信部１２０２はそれぞれプロトコル処理部１２０３と情報の受け渡しを行う。プロトコル処理部１２０３からの制御データ、またＥＰＣ通信部１２０１と他基地局通信部１２０２からのユーザデータ及び制御データが送信データバッファ部１２０４へ保存される。送信データバッファ部１２０４に保存されたデータはエンコーダー部１２０５へ渡され、誤り訂正などのエンコード処理が施される。エンコード処理を施さずに送信データバッファ部１２０４から変調部１２０６へ直接出力されるデータが存在しても良い。エンコードされたデータは変調部１２０６にて変調処理が行われる。変調されたデータはベースバンド信号に変換された後、周波数変換部１２０７へ出力され、無線送信周波数に変換される。その後、アンテナ１２０８より一つもしくは複数の移動端末１０１に対して送信信号が送信される。また、基地局１０２の受信処理は以下のとおり実行される。ひとつもしくは複数の移動端末１０１からの無線信号がアンテナ１２０８により受信される。受信信号は周波数変換部１２０７にて無線受信周波数からベースバンド信号に変換され、復調部１２０９で復調処理が行われる。復調されたデータはデコーダー部１２１０へ渡され、誤り訂正などのデコード処理が行われる。デコードされたデータのうち、制御データはプロトコル処理部１２０３あるいはＥＰＣ通信部１２０１、他基地局通信部１２０２へ渡され、ユーザデータはＥＰＣ通信部１２０１、他基地局通信部１２０２へ渡される。基地局１０２の一連の処理は制御部１２１１によって制御される。よって制御部１２１１は図面では省略しているが各部（1201〜1210）と接続している。
【００３６】
図１３は、ＭＭＥ(Mobility Management Entity)の構成を示すブロック図である。ＰＤＮ  ＧＷ通信部１３０１はＭＭＥ１０３とＰＤＮ  ＧＷ９０２間のデータの送受信を行う。基地局通信部１３０２はＭＭＥ１０３と基地局１０２間をＳ１＿ＭＭＥインタフェースによるデータの送受信を行う。ＰＤＮ  ＧＷ９０２から受信したデータがユーザデータであった場合、ユーザデータはＰＤＮ  ＧＷ通信部１３０１からユーザプレイン処理部１３０３経由で基地局通信部１３０２に渡され、１つあるいは複数の基地局１０２へ送信される。基地局１０２から受信したデータがユーザデータであった場合、ユーザデータは基地局通信部１３０２からユーザプレイン処理部１３０３経由でＰＤＮ  ＧＷ通信部１３０１に渡され、ＰＤＮ  ＧＷ９０２へ送信される。
【００３７】
ＭＣＥ通信部１３０４はＭＭＥ１０３とＭＣＥ８０１間をＭＭＥ―ＭＣＥ間ＩＦによるデータの送受信を行う。ＰＤＮ  ＧＷ９０２から受信したデータが制御データであった場合、制御データはＰＤＮ  ＧＷ通信部１３０１から制御プレイン制御部１３０５へ渡される。基地局１０２から受信したデータが制御データであった場合、制御データは基地局通信部１３０２から制御プレイン制御部１３０５へ渡される。ＭＣＥ８０１から受信した制御データはＭＣＥ通信部１３０４から制御プレイン制御部１３０５へ渡される。制御プレイン制御部１３０５での処理の結果は、ＰＤＮ  ＧＷ通信部１３０１経由でＰＤＮ  ＧＷ９０２へ送信され、また基地局通信部１３０２経由でＳ１＿ＭＭＥインタフェースにより１つあるいは複数の基地局１０２へ送信され、またＭＣＥ通信部１３０４経由でＭＭＥ―ＭＣＥ間ＩＦにより１つあるいは複数のＭＣＥ８０１へ送信される。制御プレイン制御部１３０５には、ＮＡＳセキュリティ部１３０５−１、ＳＡＥベアラコントロール部１３０５−２、アイドルステート（Idle State）モビリティ管理部１３０５―３などが含まれ、制御プレインに対する処理全般を行う。ＮＡＳセキュリティ部１３０５―１はＮＡＳ（Non-Access Stratum）メッセージのセキュリティなどを行う。ＳＡＥベアラコントロール部１３０５―２はＳＡＥ（System Architecture Evolution）のベアラの管理などを行う。アイドルステートモビリティ管理部１３０５―３は、待受け（LTE‐IDLE状態、単にアイドルとも称される）状態のモビリティ管理、待受け状態時のページング信号の生成及び制御、傘下の１つあるいは複数の移動端末１０１のトラッキングエリア（TA）の追加、削除、更新、検索、トラッキングエリアリスト（TA List）管理などを行う。ＭＭＥはＵＥが登録されている（registered）追跡領域（トラッキングエリア：tracking Area:TA）に属するセルへページングメッセージを送信することで、ページングプロトコルに着手する。ＭＭＥ１０３の一連の処理は制御部１３０６によって制御される。よって制御部１３０６は図面では省略しているが各部（1301〜1305）と接続している。
【００３８】
図１４は、ＭＣＥ（Multi-cell/multicast Coordination Entity）の構成を示すブロック図である。ＭＢＭＳ  ＧＷ通信部１４０１はＭＣＥ８０１とＭＢＭＳ  ＧＷ８０２間をＭ３インタフェースによる制御データの送受信を行う。基地局通信部１４０２はＭＣＥ８０１と基地局１０２間をＭ２インタフェースによる制御データの送受信を行う。ＭＭＥ通信部１４０３はＭＣＥ８０１とＭＭＥ１０３間をＭＭＥ―ＭＣＥ間ＩＦによる制御データの送受信を行う。ＭＣ送信スケジューラ部１４０４は、ＭＢＭＳ  ＧＷ通信部１４０１経由で渡されたＭＢＭＳ  ＧＷ８０２からの制御データと、基地局通信部１４０２経由で渡されたＭＢＳＦＮ（Multimedia Broadcast multicast service Single Frequency Network）エリア内の基地局１０２からの制御データと、ＭＭＥ通信部１４０３経由で渡されたＭＭＥ１０３からの制御データを用いて、自分が管理している１つあるいは複数のＭＢＳＦＮエリアのマルチセル送信のスケジューリングを行う。スケジューリングの一例としては基地局の無線リソース（時間、周波数など）、無線構造（変調方式、コードなど）などが挙げられる。マルチセル送信のスケジューリング結果は、基地局通信部１４０２に渡され、ＭＢＳＦＮエリア内の１つあるいは複数の基地局１０２へ送信される。ＭＣＥ８０１の一連の処理は制御部１４０５によって制御される。よって制御部１４０５は図面では省略しているが各部（１４０１〜１４０４）と接続している。
【００３９】
図１５はＭＢＭＳゲートウェイの構成を示すブロック図である。図１５において、ＭＢＭＳ  ＧＷ８０２のｅＢＭＳＣ通信部１５０１は、ＭＢＭＳ  ＧＷ８０２とｅＢＭＳＣ９０１間のデータ（ユーザデータ、制御データ）の送受信を行う。ＭＣＥ通信部１５０２はＭＢＭＳ  ＧＷ８０２とＭＣＥ８０１間をＭ３インタフェースによる制御データの送受信を行う。ｅＢＭＳＣ９０１から受信した制御データは、ｅＢＭＳＣ通信部１５０１経由で、ＭＢＭＳ  ＣＰ部１５０３に渡り、ＭＢＭＳ  ＣＰ部１５０３での処理後、ＭＣＥ通信部１５０２経由で、１つあるいは複数のＭＣＥ８０１へ送信される。ＭＣＥ８０１から受信した制御データは、ＭＣＥ通信部１５０２経由で、ＭＢＭＳ  ＣＰ部１５０３に渡り、ＭＢＭＳ  ＣＰ部１５０３での処理後、ｅＢＭＳＣ通信部１５０１経由で、ｅＢＭＳＣ９０１または／かつＭＣＥ８０１へ送信される。基地局通信部１５０４はＭＢＭＳ  ＧＷ８０２と１つあるいは複数の基地局へＭ１＿Ｕインタフェースによるユーザデータ（トラヒックデータとも称される）の送信を行う。ｅＢＭＳＣ９０１から受信したユーザデータは、ｅＢＭＳＣ通信部１５０１経由で、ＭＢＭＳ  ＵＰ部１５０５に渡り、ＭＢＭＳ  ＵＰ部１５０５での処理後、基地局通信部１５０４経由で、１つあるいは複数の基地局１０２へ送信される。ＭＢＭＳ  ＣＰ部１５０３とＭＢＭＳ  ＵＰ部１５０５は接続している。ＭＢＭＳ  ＧＷ８０２の一連の処理は制御部１５０６によって制御される。よって制御部１５０６は図面では省略しているが各部（１５０１〜１５０６）と接続している。
【００４０】
次に図１６に本発明にかかる移動体通信システムとしての処理の流れの一例を示す。図１６は、ＬＴＥ方式の通信システムにおいて移動端末がＭＢＭＳの利用開始から利用修了までの処理の概略を示すフローチャートである。図１６のステップＳＴ１６０１にて移動端末は、ＭＢＭＳ／ユニキャスト混合セルでのサービングセルのセルセレクションを行う。以降、ステップ１６０１の処理を「ユニキャスト側セルセレクション」と称する。ステップＳＴ１６０１−１にてネットワーク側は移動端末に対して「受信可能なＭＢＭＳに関する報知」処理を行う。具体的には、現在利用可能なＭＢＭＳサービスが存在することや、その周波数に関する情報（周波数のリスト）が、ネットワーク側から移動端末に通知される。ＳＴ１６０１−１の処理によって移動端末は、利用可能なＭＢＭＳサービスが存在することやその周波数を知ることができるので、受信可能周波数を総当り的に検索する必要がなくなる。このことは、移動端末が現在の周波数以外の周波数からのサービスを受信するまでの制御遅延を短くするという効果を奏する。
【００４１】
ステップＳＴ１６０２にて移動端末は、ステップＳＴ１６０１でネットワーク側から通知された情報を基に、ＭＢＭＳ送信専用セルのサーチ処理を行う。サーチ処理の具体例としては、タイミング同期（無線フレームタイミングによる同期）や、システム帯域幅、送信アンテナ数、ＭＢＳＦＮエリア識別子（ＩＤ）（MBSFNエリア番号とも称される。）、ＭＣＣＨ（マルチキャスト制御チャネル）関連情報などのシステム情報の取得などがある。以降、ステップ１６０２の処理を「ＭＢＭＳのサーチ」と称する。ステップＳＴ１６０３にて移動端末は、ネットワーク側からＭＢＭＳ送信専用セルにおいて、ＭＢＭＳサービス（MCCH及びMTCH）を受信するための情報を受信する。以降、ステップ１６０３の処理を「ＭＢＭＳ  Ａｒｅａ情報取得」と称する。ステップＳＴ１６０４にてユーザ（移動端末）は、ステップＳＴ１６０３にてネットワーク側から受信したＭＢＭＳサービスを受信するための情報を用いて、ユーザが所望するＭＢＭＳサービスを選択する。以降、ステップ１６０４の処理を「ＭＢＭＳサービス選択」と称する。
【００４２】
先に「第四の課題」として説明したとおり、ＬＴＥ方式による通信システムでは、ＭＢＭＳサービスが提供する放送データを移動端末に送信するための下りリンクのみを設け、上りリンクを省くことで簡略なシステム構成を実現するＭＢＭＳ送信専用のセルを設けることが検討されている。上記説明のステップ１６０１−１からステップＳＴ１６０４は、かかるＭＢＭＳ送信専用セルによるＭＢＭＳサービスを選択するまでの方法を開示した。上記説明の一連の処理により、移動端末がＭＢＭＳ送信専用セルにて所望のＭＢＭＳサービスを受信することが出来るという効果を奏する。
【００４３】
ステップＳＴ１６０５にて移動端末は、ステップＳＴ１６０３にてネットワーク側から受信したＭＢＭＳサービスを受信するための情報を用いて、ＭＢＭＳ送信専用セルからＭＢＭＳデータを間欠受信するための準備を行う。以降、ステップ１６０５の処理を「ＭＢＭＳ受信時  間欠受信準備」と称する。ステップＳＴ１６０６にて移動端末は、ネットワーク側にＭＢＭＳ送信専用セルにおける、ＭＢＭＳの受信状況を通知する「ＭＢＭＳ側受信状況通知」処理を行う。ＭＢＭＳ送信専用セルは上りリンクを設けていないので、ＭＢＭＳ専用セルでＭＢＭＳデータを受信している移動端末はネットワーク側に位置登録を行うことができない。この場合、ネットワーク側は移動端末の存在するセルを特定できないので、当該移動端末宛ての着信が発生した場合にページング信号を送ることが困難であった。本ステップＳＴ１６０６によりネットワーク側は、当該移動端末がＭＢＭＳ送信専用セルにてＭＢＭＳサービスを受信している旨を知ることができ、移動端末を追跡することが可能になるので、ＭＢＭＳ送信専用セルでＭＢＭＳサービスを利用中の移動端末宛てに着信が発生したとき、ページング情報をＭＭＥ１０３、ＭＣＥ８０１−１経由でＭＢＭＳ送信専用セルに転送し、ＭＢＭＳサービスを利用中の移動端末に個別着信が発生したことを知らせることができる。したがって、ＭＢＭＳ送信専用セルでＭＢＭＳサービスを利用中の移動端末に対するページングに関する第一の課題を解決することができる。
【００４４】
ステップＳＴ１６０７にて、移動端末はユニキャストセル（図10 102-1）または／かつＭＢＭＳ／ユニキャスト混合セル（図10  102-2）の電解強度測定やセル選択を含む測定（メジャメント）処理を行う。この処理を「Ｕｎｉｃａｓｔ側メジャメント」と称する。ステップＳＴ１６０７により移動端末は、ＭＢＭＳ送信専用セルにおいてＭＢＭＳデータを受信中であっても、ユニキャストセル（図10 102-1）やＭＢＭＳ／ユニキャスト混合セル（図10 102-2）の測定やセル選択、位置登録などの処理を行うことが可能となる。このメジャメント処理を行うことにより、ＭＢＭＳ送信専用セルにてＭＢＭＳサービスを利用している移動端末は送信対象となるユニキャストセル、あるいはＭＢＭＳ／ユニキャスト混合セルを選択、更新しているので、上りリンクが存在しないＭＢＭＳ専用セルにおけるモビリティを確保することが可能になるという効果を得る。このため、ＭＢＭＳ専用セルでＭＢＭＳサービスを利用している移動端末は、確実に位置登録などモビリティに関する処理を、たとえばユニキャストセルまたは、ＭＢＭＳ／ユニキャスト混合セルを介して行うことが可能となり、したがって、ネットワーク側はＭＢＭＳ送信専用セルでＭＢＭＳサービスを利用している移動端末にページング信号を送ることが可能になる。また、当該移動端末は、ユニキャスト／混合周波数レイヤとの測定を通じた下り同期確立をメジャメント周期により行う。これにより、本発明の第二の課題である、上りリンクが存在しないＭＢＭＳ送信専用セルにおいて、移動端末がＭＢＭＳ／ユニキャスト混合セルを介してページング信号に対する応答を送信する場合であっても、制御遅延を小さくすることができる。
【００４５】
ステップＳＴ１６０８にて、移動端末は、ページング信号を受信するため間欠受信を行う。より具体的には、当該移動端末宛ての個別着信が発生した場合、ネットワーク側は、ＭＢＭＳ送信専用セルにて構成されるＭＢＭＳ送信専用の周波数レイヤからＭＢＭＳサービスを受信している移動端末に対して、ＭＢＭＳ送信専用セルの下りリンクを介してページング信号を送信する。ステップＳＴ１６０５〜ステップＳＴ１６０８にて、本発明の第一の課題である、ＭＢＭＳ送信専用セルでＭＢＭＳサービスを利用している移動端末に、ページングを通知することが可能になる。
【００４６】
ステップＳＴ１６０８の「ＭＢＭＳ受信時  間欠受信」にてページング信号を受信しなかった移動端末は、ステップＳＴ１６０９にてマルチキャストトラヒックチャネル（MTCH）を介してＭＢＭＳ送信専用セルから送信されたＭＢＭＳトラヒックデータを受信する。以降、ステップＳＴ１６０８の処理を「ＭＴＣＨ受信」と称する。「ＭＴＣＨ受信」を行っている移動端末は、「Ｕｎｉｃａｓｔ側メジャメント」のタイミングにてステップＳＴ１６０７へ移行する。あるいは「ＭＴＣＨ受信」を行っている移動端末は、受信感度が悪くなった場合にステップＳＴ１６０２、あるいはステップＳＴ１６０４、あるいはステップＳＴ１６１２へ移行する。一方、ステップＳＴ１６０８の「ＭＢＭＳ受信時  間欠受信」にてページング信号を受信した移動端末は、ステップＳＴ１６１０にて、ＭＢＭＳ送信専用周波数レイヤの周波数（ｆ（ＭＢＭＳ））からユニキャスト／ミクスド周波数レイヤの周波数（ｆ（Ｕｎｉｃａｓｔ））に周波数を変更し、制御データの送受信を行う。以降、ステップＳＴ１６１０の処理を「Ｕｎｉｃａｓｔ側  間欠受信」と称する。これにより当該移動端末は、ユニキャストセルあるいは混合セルを介してネットワーク側へページング信号に対する応答など上りデータを送信することが可能となる。ステップＳＴ１６１１、ステップＳＴ１６１２にて移動端末は、ネットワーク側へＭＢＭＳ送信専用周波数レイヤ（ＭＢＭＳ送信専用セル）におけるＭＢＭＳデータの受信を終了する旨を通知する。ステップＳＴ１６１１によりネットワーク側は、当該移動端末がＭＢＭＳサービスの利用を終了する旨を知ることが出来る。ＭＢＭＳ送信専用周波数レイヤによるＭＢＭＳサービスの利用を終了した移動端末に対しては、ユニキャストセルあるいは混合セルを介してページング信号を送信すればよいので、ネットワーク側がＭＢＭＳ送信セルの下りリンクを介してページング信号を通知する処理を中止することができ、ＭＢＭＳ送信専用セルの無線リソースの有効活用を図る。
【００４７】
実施の形態２．
本実施の形態においては、図１７を用いて、実施の形態１で述べた移動体通信システムの処理の流れの詳細な具体例について説明する。図１７はユニキャスト側のセルセレクションを説明するフローチャートである。ステップＳＴ１７０１にて、ユニキャストセル、ＭＢＭＳ／ユニキャスト混合セル（単に混合セル（Mixed cell）とも称する）は第一同期チャネル（Primary Synchronization Channel: P-SCH）と第二同期チャネル（Secondary Synchronization Channel: S-SCH）、リファレンス信号（リファレンスシンボルとも称される。Reference Symbol :RS）を傘下の移動端末に対して報知する。ステップＳＴ１７０２にて、移動端末は基地局（ユニキャストセルまたは／かつ混合セル）からのＰ−ＳＣＨ、Ｓ−ＳＣＨ、ＲＳを受信する。ステップＳＴ１７０３にて、移動端末は受信したＰ−ＳＣＨ、Ｓ−ＳＣＨ、ＲＳを用いて初期セルサーチ動作を行う。現在３ＧＰＰで議論されているセルサーチ動作の詳細を説明する。第１段階として移動端末は、移動体通信システムとして３種類の規定シーケンスが存在する第一同期チャネル(P-SCH)をブラインド検出する。Ｐ−ＳＣＨは周波数としてはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出と、セルグループ（先のＰ−ＳＣＨの３週類のシーケンスに対応する１〜３グループ）を知ることが出来る。第２段階として、移動端末は、第二同期チャネル(S-SCH)をブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とセル識別子（Cell ID）を知ることが出来る。
【００４８】
ステップＳＴ１７０４にて移動端末は、セルセレクションを行う。セルセレクションは移動端末が複数の基地局からの下り受信感度を測定した測定結果を用いて、サービング基地局（セル）になり得る条件を満足した基地局を１つ選択する処理である。サービング基地局になり得る条件の具体例としては、複数の基地局からの下り受信感度の中でもっとも受信感度が良いもの、あるいはサービング基地局の受信感度の最低閾値を超えた基地局などが考えられる。実際に移動端末が測定する値としては、リファレンスシンボル受信電力（Reference Symbol received power: RSRP）、Ｅ−ＵＴＲＡキャリア受信信号強度値（E-UTRA carrier received signal strength indicator: RSSI）などがある。サービング基地局とは、当該移動端末のスケジューリングを担当する基地局である。当該移動端末のサービング基地局以外の基地局であっても、他の移動端末にとってはサービング基地局になり得る。つまりユニキャストセルあるいは、ＭＢＭＳ／ユニキャスト混合セルの全ての基地局はスケジューリング機能を有し、いずれかの移動端末のサービング基地局となり得る。ステップＳＴ１７０５にて、ユニキャストセル、ＭＢＭＳ／ユニキャスト混合セルは論理チャネルのひとつである報知制御チャネル(BCCH)を用いて報知情報を送信する。報知情報の具体例は、メジャメント周期、間欠受信周期、トラッキングエリア情報（TA情報）などがある。メジャメント周期とはネットワーク側が傘下の移動端末に通知する周期であって、この周期にしたがって移動端末は電界強度などの測定を行う。間欠受信周期とは、移動端末が待受け状態（Idle State）時にページング信号を受信するために、周期的にページング信号をモニタする周期である。ＴＡ情報とは「追跡領域」(Tracking Area)に関する情報である。ＭＭＥはＵＥが登録されている追跡領域に属する各ｅＮＢにページングメッセージを送ることにより、ページング処理を開始する（TS36.300  19.2.2.1）。ステップＳＴ１７０６にて、移動端末はサービング基地局からＢＣＣＨを介してメジャメント周期、間欠受信周期、ＴＡ情報などを受信する。
【００４９】
ステップＳＴ１７０７にてユニキャストセル、ＭＢＭＳ／ユニキャスト混合セルはＢＣＣＨを用いて、移動端末に対して、利用可能なＭＢＭＳサービスの周波数、つまり受信可能なＭＢＳＦＮ同期エリア（MBSFN Synchronization Area）の周波数（f(MBMS)と称する）を１つあるいは複数報知する。Ｗ−ＣＤＭＡ通信システムではプリファード周波数情報（Preferred frequency information: PL情報）というパラメータが存在した。ＰＬ情報はネットワーク側で論理チャネルであるマルチキャスト制御チャネル(MCCH)にマッピングされ、傘下の移動端末に対して報知される。しかし、ＬＴＥシステムにおいては、ＭＢＭＳサービスを提供しないユニキャストセルを設けることが予定されており、かかるユニキャストセルでは、ＭＢＭＳ用のチャネルであるＭＣＣＨを用いてｆ（ＭＢＭＳ）を報知する方法は採用できないという問題がある。
【００５０】
ステップＳＴ１７０８にて、移動端末は、サービング基地局からＢＣＣＨを用いて送信されたｆ（ＭＢＭＳ）を受信する。ｆ（ＭＢＭＳ）を移動端末が受信することで、移動端末は現在の周波数以外でサービスが存在する可能性のある周波数について総当り的に検索する必要がなくなる。このことは、移動端末が現在の周波数以外の周波数からのサービスを受信するまでの制御遅延を短くするという効果を奏する。ステップＳＴ１７０７、ステップＳＴ１７０８は実施の形態１で述べた「受信可能なＭＢＭＳに関する報知」の詳細な具体例である。ここで、移動体通信システムとしてｆ（ＭＢＭＳ）が静的（Static）あるいは準静的（Semi-Static）に決定しておけば、基地局よりｆ（ＭＢＭＳ）を報知せずに上記移動端末が現在の周波数以外の周波数からサービスを受信するまでの制御遅延が短くなるという効果を得ることができる。さらに、ｆ（ＭＢＭＳ）を報知する必要がなくなるので、無線リソースの有効活用という効果も合わせて得ることができる。
【００５１】
一方、ステップＳＴ１７０７とステップＳＴ１７０８において、ｆ（ＭＢＭＳ）に加えて各ｆ（ＭＢＭＳ）におけるシステム帯域幅、送信アンテナ数を基地局からＢＣＣＨを用いて報知することも可能である。これにより、ステップＳＴ１７０８にて、移動端末は、サービング基地局からＢＣＣＨを用いて送信されたｆ（ＭＢＭＳ）を受信することにより、ＭＢＭＳ送信専用の周波数レイヤにおいて、システム情報（システム帯域幅、送信アンテナ数）を取得する必要がなくなるので、制御遅延を短くすることができるという効果を得ることができる。なぜならｆ（ＭＢＭＳ）を受信するためにユニキャスト／周波数レイヤにおいてはサービング基地局からのＢＣＣＨを受信する必要があるので、情報（システム帯域幅、送信アンテナ数）が増えたとしても移動端末の処理時間としてはさほど長くはならない。一方、ＭＢＭＳ送信専用の周波数レイヤに移ってから、ＭＢＭＳ送信専用の周波数レイヤのシステム情報を取得するためには、ＭＢＭＳ送信専用の周波数レイヤにおけるＢＣＣＨを受信する必要があり、あらたに別のチャネルのデコード処理が必要となるため、制御遅延が発生する。
【００５２】
ステップＳＴ１７０９にて移動端末は、プロトコル処理部１１０１あるいは制御部１１１０にて保管している現在のトラッキングエリアリスト（TA List）中に、ステップＳＴ１７０６で受信したサービング基地局のＴＡ情報が含まれているか確認する。含まれている場合、図１８のステップＳＴ１７２０へ移行する。含まれていない場合はステップＳＴ１７１０を実行する。ステップＳＴ１７１０にて移動端末は、「アタッチリクエスト」(Attach Request)をサービング基地局へ通知する。「アタッチリクエスト」に含まれる情報としては、移動端末の識別子（IMSI（International Mobile Subscriber Identity）あるいはS-TMSI（S-Temporary Mobile Subscriber Identity, S-TMSIは単にTemporary Mobile Subscriber Identity（TMSI）と称されることもある）、移動端末の能力（Capability）などがある。ステップＳＴ１７１１にて「アタッチリクエスト」を受信したサービング基地局は、ステップＳＴ１７１２にて「アタッチリクエスト」をＭＭＥ（Mobility Management Entity）あるいはＨＳＳ（Home Subscriber Server）へ通知する。ステップＳＴ１７１３にてＭＭＥは「アタッチリクエスト」を受信する。ＭＭＥのアイドルステートモビリティ管理部１３０５−３は、各移動端末のトラッキングエリアリストを管理している。ステップＳＴ１７１４にてＭＭＥは当該移動端末の管理しているトラッキングエリアリストに当該移動端末のサービング基地局が含まれているか確認する。含まれている場合は、図１８のステップＳＴ１７１６へ移行する。含まれていない場合はステップＳＴ１７１５を実行する。ステップ１７１５にてＭＭＥのアイドルステートモビリティ管理部１３０５−３は、当該移動端末の管理しているトラッキングエリアリストに当該移動端末のサービング基地局のＴＡ情報を追加（あるいは更新）する処理を行う。ステップＳＴ１７１６にてＭＭＥは「アタッチアクセプト」（Attach Accept）をサービング基地局へ通知する。「アタッチアクセプト」に含まれる情報としては、トラッキングエリアリスト、移動端末へ与えられる識別子（S-TMSIなど）などがある。ステップＳＴ１７１７にて「アタッチアクセプト」を受信したサービング基地局は、ステップＳＴ１７１８にて「アタッチアクセプト」を当該移動端末へ通知する。ステップＳＴ１７１９にて移動端末は「アタッチアクセプト」を受信する。
【００５３】
図１８は、ＭＢＭＳサーチ処理を示すフローチャートである。図１８のステップ１７２０〜ステップ１７２５は、実施の形態１で述べた「ＭＢＭＳのサーチ」の具体的な処理である。ステップＳＴ１７２０にて移動端末は、ステップＳＴ１７０８にて受信可能なＭＢＳＦＮ同期エリアの周波数（あるいはMBMS送信専用の周波数レイヤの周波数）を受信したか確認する。つまりｆ（ＭＢＭＳ）を１つ以上受信したか確認する。存在しなかった場合、処理を終了する。存在した場合、ステップＳＴ１７２１を実行する。ステップＳＴ１７２１にて移動端末は、ユーザがｆ（ＭＢＭＳ）にてＭＢＭＳサービスを受信する意思があるかどうかを確認する。確認の具体例としては、ユーザがＭＢＭＳサービスを受信する意思が有る場合にユーザインタフェースを用いて移動端末に対して指示を送り、移動端末はユーザの意思をプロトコル処理部１１０１へ保管する。ステップＳＴ１７２１にて移動端末はプロトコル処理部１１０１に保管されているＭＢＭＳサービスを受信する意思の有無を確認する。ＭＢＭＳサービスを受信する意思がなければ、ステップＳＴ１７２１の処理を繰り返す。繰り返す方法としては、一定周期で移動端末がステップＳＴ１７２１の判断を行う方法、あるいはユーザからのユーザインタフェースを通じたＭＢＭＳサービスを受信する意思の変更通知があった際にステップＳＴ１７２１あるいは、ステップＳＴ１７２０を行う方法などがある。ＭＢＭＳサービスを受信する意思があれば、ステップＳＴ１７２２へ移行する。ステップＳＴ１７２２にて移動端末は、周波数変換部１１０７（シンセサイザ）の設定周波数を変更し、中心周波数をｆ（ＭＢＭＳ）へ変更することによりＭＢＭＳのサーチ動作を開始する。周波数変換部１１０７の設定周波数を変更し、中心周波数を変更することをリチューン（re-tune）と称する。ステップＳＴ１７２３にて、ＭＢＭＳ専用セルは第一同期チャネル（Primary Synchronization Signal: P-SCH）と第二同期チャネル（Secondary Synchronization Signal: S-SCH）、レファレンス信号（RS(MBMS)）、ＢＣＣＨを傘下の移動端末に対して報知する。ステップＳＴ１７２４にて、移動端末はＭＢＭＳ専用セルからのＰ−ＳＣＨ、Ｓ−ＳＣＨ、ＲＳ（ＭＢＭＳ）、ＢＣＣＨ（報知制御チャネル）を受信する。
【００５４】
ステップＳＴ１７２５にて移動端末はＭＢＭＳのサーチ動作を行う。現在３ＧＰＰで議論されているＭＢＭＳ送信専用の周波数レイヤにおけるサーチ動作について説明する。Ｐ−ＳＣＨにＭＢＭＳ送信専用の周波数レイヤにおいて専用的に用いるシーケンスを追加する。追加の専用シーケンスは、静的に規定されたものとする。第一段階として移動端末は、追加の専用のシーケンスにてＰ−ＳＣＨをブラインド検出する。Ｐ−ＳＣＨは周波数的にはシステム帯域幅の中心７２サブキャリアに、時間的としては無線フレーム毎に１番目（＃０）と６番目（＃５）にマッピングされる。よってＰ−ＳＣＨをブラインド検出した移動端末は、５ｍｓタイミング検出することができる。また、Ｐ−ＳＣＨはマルチセル送信される。第二段階として移動端末は、Ｓ−ＳＣＨをブラインド検出する。Ｓ−ＳＣＨのマッピング位置はＰ−ＳＣＨと同様である。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信される。第二段階で得たＭＢＳＦＮエリアＩＤと関連付けられているスクランブリングコード(Scrambling Code)を用いてＢＣＣＨを受信する。移動端末は、ＢＣＣＨをデコードすることにより、ＭＣＣＨ（マルチキャスト制御チャネル）のスケジューリングを得ることが出来る。このデコード処理は、前記ＭＢＳＦＮエリアＩＤと関連付けられているスクランブリングコード（Scrambling Code）を用いる。またＢＣＣＨはマルチセル送信される。本発明では、さらにＢＣＣＨをデコードすることによりｆ（ＭＢＭＳ）におけるシステム帯域幅、ｆ（ＭＢＭＳ）における送信アンテナ数を得ることが出来るものとする。ここで、移動体通信システムとしてｆ（ＭＢＭＳ）におけるシステム帯域幅、送信アンテナ数を静的（Static）あるいは準静的（Semi-Static）に決定しておけば、基地局よりｆ（ＭＢＭＳ）におけるシステム帯域幅または／かつ送信アンテナ数を報知する必要がなく、無線リソースの有効活用という効果を得ることができる。さらにデコードおよび、パラメータ（ｆ（ＭＢＭＳ）におけるシステム帯域幅または／かつ送信アンテナ数）の変更が不要となるので移動端末の低消費電力化、制御遅延の削減という効果を得ることが出来る。
【００５５】
本発明では、更にＭＣＣＨのスケジューリングについて検討する。現在の３ＧＰＰの規格においてＭＢＳＦＮ同期エリア（Multimedia Broadcast multicast service Single Frequency Network Synchronization Area f(MBMS)）は１つ以上のＭＢＳＦＮエリア（MBSFN Areas）を支持することができることになっている（図７参照）。一方、ひとつの周波数（Single Frequency）であるｆ（ＭＢＭＳ）で複数のＭＢＳＦＮエリアをどのように多重するのかは決まっていない。ここではＭＢＳＦＮエリアの多重方法が異なった場合であっても本発明が適応可能となるように多重方法ごとに「ＭＢＭＳ  サーチ」処理を説明する。
【００５６】
まず、ＭＢＳＦＮエリアが時分割多重（TDM: Time Division Multiplexing）された場合について説明する。ＭＢＳＦＮエリアが複数存在した場合の基地局の地理的なロケーションの概念図を図２５に示す。図２５はＭＢＳＦＮ同期エリアを構成する複数のＭＢＳＦＮエリアを示す説明図である。図２５において、１つのＭＢＳＦＮ同期エリア中にＭＢＳＦＮエリア１、ＭＢＳＦＮエリア２、ＭＢＳＦＮエリア３の３つのエリアが存在する。ステップＳＴ１７２５にて得られるＢＣＣＨ中のＭＣＣＨのスケジューリングの具体例については現在の３ＧＰＰでは詳細議論がされていない。本発明では第四の課題であるＭＢＭＳ送信専用の周波数レイヤにて所望のサービスを選択するまでの方法、及びそのための移動体通信システムを開示するために、ＭＢＳＦＮエリアが時分割多重された場合のＢＣＣＨ中のＭＣＣＨのスケジューリングの具体例について示す。図２６は、ＭＢＳＦＮエリアが時分割多重された場合のＭＢＳＦＮ同期エリアの物理チャネルへのマッピング概念図である。
【００５７】
図２６は、ひとつのＭＢＳＦＮ同期エリアにおいて、複数のＭＢＭＦＮエリアへのチャネルが時分割多重されている概念を示す。ひとつのＭＢＳＦＮ同期エリアに含まれる各ＭＢＦＳＮエリアは時間的に同期しているため、Ｐ−ＳＣＨ（第一同期チャネル）はＭＢＳＦＮエリア１内のＭＢＭＳ専用セル、ＭＢＳＦＮエリア２内のＭＢＭＳ専用セル、ＭＢＳＦＮエリア３内のＭＢＭＳ専用セルとも同じタイミングで送信されている。また、追加の専用シーケンスを用いるとすれば全てのＭＢＳＦＮエリア内のＰ−ＳＣＨのシーケンスは同じとなる。よってＰ−ＳＣＨを用いて、ＭＢＳＦＮ同期エリア内にて同じ情報を同じタイミングで送信することになる。また、前記の通り、ＭＢＳＦＮエリアＩＤがＳ−ＳＣＨ（第二同期チャネル）によって送信されることが考えられている。その場合はＳ−ＳＣＨはＭＢＳＦＮエリア毎に異なる情報がＭＢＳＦＮ同期エリアにて同じタイミングで送信されることになる。この場合、各ＭＢＳＦＮエリア内の全ＭＢＭＳ専用セルからは同じ情報が同じタイミングで送信されることになる。移動体通信システムは、ＢＣＣＨを用いた送信を行う際に、ＭＢＳＦＮエリアＩＤと関連付けられたスクランブリングコードを乗算する。このスクランブリングコードは、Ｓ−ＳＣＨ（第二同期チャネル）を用いて移動端末に通知される。よって、ＭＢＳＦＮエリア毎に異なる情報がＢＣＣＨを用いてＭＢＳＦＮ同期エリアにて同じタイミングで送信されることになる。一方、ＢＣＣＨの内容はＭＢＳＦＮエリア内の全ＭＢＭＳ専用基地局にて同じである。移動端末はＢＣＣＨをデコードすることによって、ＭＣＣＨのスケジューリングを取得することができる。
【００５８】
現在の３ＧＰＰ通信システムでは、非特許文献２のとおり、ＭＢＭＳ／ユニキャスト混合セルにおけるＭＢＳＦＮサブフレームの割り当てについて検討されている。ＬＴＥ方式の通信システムで設けられるＭＢＭＳ専用セルにはユニキャスト用のサブフレームが存在しないため、全てがＭＢＳＦＮサブフレームとなる。しかし、ＭＢＭＳ／ユニキャスト混合セルとＭＢＭＳ専用セルの構成を可能な限りにおいて整合させることは重要である。よって非特許文献２で開示されている「ＭＢＳＦＮフレームクラスター」（MBSFN frame Cluster）について考え方を踏襲した上で、ＭＢＭＳ専用セルのスケジューリングについての方法を開示する。さらに、ＭＢＳＦＮサブフレーム内のＭＣＣＨのスケジューリングについても説明する。図２６において、ＭＢＳＦＮフレームクラスターが繰り返される周期をＭＢＳＦＮフレームクラスター繰り返し期間（MBSFN frame Cluster Repetition Period）とする。また、ＭＣＣＨが送信される周期をＭＣＣＨ繰り返し期間（MCCH Repetiton Period）とする。ＭＢＳＦＮフレームクラスターがＭＣＣＨ繰り返し期間より小さい場合について説明する。
【００５９】
図２６において、ＭＣＣＨのスケジューリングとしてＭＣＣＨがマッピングされる時間のスターティングポイント値およびＭＣＣＨ繰り返し期間を通知することを考える。更に具体的には、ＭＣＣＨ繰り返し期間の指定には無線フレームを用いる。スターティングポイント値の指定にはＳＦＮ（System Frame Number）を用いる。ＭＣＣＨ繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）で表される。図２６において、ＭＢＳＦＮエリア１のＭＣＣＨスターティングポイント値１は、１ｍｏｄ７＝１あるいは８ｍｏｄ７＝１・・・となり、ＭＢＳＦＮエリア１のＭＣＣＨスケジューリングのパラメータはＭＣＣＨ繰り返し期間１「７」、スターティングポイント値１「１」となる。また、ＭＢＳＦＮエリア２のＭＣＣＨスターティングポイント値２は、４ｍｏｄ７＝４  ・・・となりＭＢＳＦＮエリア２のＭＣＣＨスケジューリングのパラメータはＭＣＣＨ繰り返し期間２「７」、スターティングポイント値２「４」となる。また、ＭＢＳＦＮエリア３のＭＣＣＨスターティングポイント値３は、６ｍｏｄ７＝６  ・・・となりＭＢＳＦＮエリア３のＭＣＣＨスケジューリングのパラメータはＭＣＣＨ繰り返し期間３「７」、オフセット値３「６」となる。この時のＳＦＮはＢＣＣＨにマッピングされているとすれば無線フレームごとに報知され、ＭＣＣＨスターティングポイント値からＭＣＣＨを受信する際にも有効である。
【００６０】
つまりＭＢＳＦＮエリア１に属する基地局から送信されるデータとしては、次のようになる。前記追加の専用シーケンスであるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＣＣＨ繰り返し期間１「７」などがマッピングされ、スクランブリングコード１がかけられたＢＣＣＨ１、ＭＢＳＦＮエリア１のＭＣＣＨ１とＭＴＣＨ１が送信される。ＭＢＳＦＮエリア１に属する基地局から３は時分割多重されるので、ＭＢＳＦＮエリア１が送信している期間は、ＭＢＳＦＮエリア２、３に属する基地局からのＭＣＣＨ２、３とＭＴＣＨ２、３は送信停止（DTX: Discontinuous transmission）となる。ＭＣＣＨ１とＭＴＣＨ２にはスクランブリングコード１がかけられても良い。ＭＣＣＨ１とＭＴＣＨ１にスクランブリングコードをかけることにより、ＭＢＳＦＮエリア固有のデータ（BCCH,MCCH,MTCH）への処理が統一されるという効果を得ることが出来る。反対にＭＣＣＨ及びＭＴＣＨは時分割多重(TDM)であるので、ＭＢＳＦＮエリア固有のスクランブリングコードをかけなくても良い。ＭＣＣＨ１とＭＴＣＨ１にスクランブリングコードをかけないことにより、基地局側でのエンコード処理、移動端末側でのデコード処理の負荷が軽くなり、データ受信までの遅延が減るという効果を得ることが出来る。
【００６１】
ＭＢＳＦＮエリア１同様にＭＢＳＦＮエリア２に属する基地局から送信されるデータとしては、次のようになる。前記追加の専用シーケンスであるＰ−ＳＣＨ（第一同期チャネル）、ＭＢＳＦＮエリアＩＤ２などがマッピングされたＳ−ＳＣＨ２（第二同期チャネル）、ＭＣＣＨスターティングポイント値２「４」、ＭＣＣＨ繰り返し期間２「７」などがマッピングされ、スクランブリングコード２がかけられたＢＣＣＨ２、ＭＢＳＦＮエリア２に属する基地局のＭＣＣＨ２とＭＴＣＨ２が送信される。この期間、ＭＢＳＦＮエリア１、３に属する基地局のＭＣＣＨ１、３とＭＴＣＨ１、３は送信停止（ＤＴＸ）となる。ＭＢＳＦＮエリア１同様にＭＢＳＦＮエリア３に属する基地局から送信されるデータとしては、次のようになる。前記追加の専用シーケンスであるＰ−ＳＣＨ（第一同期チャネル）、ＭＢＳＦＮエリアＩＤ３などがマッピングされたＳ−ＳＣＨ３(第二同期チャネル)、ＭＣＣＨスターティングポイント値３「６」、ＭＣＣＨ繰り返し期間３「７」などがマッピングされ、スクランブリングコード３がかけられたＢＣＣＨ３、ＭＢＳＦＮエリア３のＭＣＣＨ３とＭＴＣＨ３が送信される。この期間、ＭＢＳＦＮエリア１、２に属する基地局のＭＣＣＨ１、２とＭＴＣＨ１、２は送信停止（ＤＴＸ）となる。図２６においては便宜上ＭＣＣＨとＭＴＣＨが無線フレーム単位で時分割されている例を示しているが、ＭＣＣＨとＭＴＣＨの多重方法が別の方法であっても、時分割多重の単位が無線フレーム単位以外であっても本発明は適用可能である。また移動体通信システムとしてＭＣＣＨ繰り返し期間を静的（Static）あるいは準静的（Semi-Static）に決定しておけば、基地局よりＭＣＣＨ繰り返し期間を報知する必要がなくなる。報知する情報が少なくなるので、無線リソースの有効活用という効果を得ることができる。
【００６２】
次にＭＢＳＦＮエリアが符号分割多重（CDM: Code Division Multiplexing）された場合について説明する。ＭＢＳＦＮエリアが複数存在した場合の基地局のロケーションの概念図は、時分割多重（TDM）の場合と同様である。図２７はＭＢＳＦＮエリアが符号分割多重された場合のＭＢＳＦＮ同期エリアの物理チャネルへのマッピング概念図である。図２７において、各ＭＢＳＦＮエリア内ではＭＢＭＳサービス（MCCH,MTCH）が連続的に送信されていることを想定している。そのような場合は、ＭＢＳＦＮフレームクラスターは定義しなくてもよい。ＭＢＳＦＮフレームクラスターがＭＣＣＨ繰り返し期間より小さい場合について説明する。Ｐ−ＳＣＨ（第一同期チャネル）、Ｓ−ＳＣＨ（第二同期チャネル）、ＢＣＣＨの具体例については時分割多重（TDM）の場合と同様であるため説明を省略する。本発明ではＭＣＣＨのスケジューリングとしてＭＣＣＨがマッピングされる時間のスターティングポイント値およびＭＣＣＨ繰り返し期間を通知することを考える。更に具体的には、ＭＣＣＨ繰り返し期間の指定には無線フレーム数を用いる。スターティングポイント値の指定にはＳＦＮ（System Frame Number）を用いる。ＭＣＣＨ繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）で表される。図２７においては、ＭＢＳＦＮエリア１のＭＣＣＨスターティングポイント値は、１ｍｏｄ３＝１、あるいは４ｍｏｄ３＝１・・・となりＭＢＳＦＮエリア１のＭＣＣＨスケジューリングのパラメータはＭＣＣＨ繰り返し期間１「３」、スターティングポイント値「１」となる。ＭＢＳＦＮエリア２のＭＣＣＨスターティングポイント値は、１ｍｏｄ２＝１、あるいは３ｍｏｄ２＝１・・・となりＭＢＳＦＮエリア１のＭＣＣＨスケジューリングのパラメータはＭＣＣＨ繰り返し期間２「２」、スターティングポイント値「１」となる。ＭＢＳＦＮエリア３のＭＣＣＨスターティングポイント値は、２ｍｏｄ４＝２・・・となりＭＢＳＦＮエリア３のＭＣＣＨスケジューリングのパラメータはＭＣＣＨ繰り返し期間３「４」、スターティングポイント値「２」となる。
【００６３】
つまりＭＢＳＦＮエリア１に属する基地局から送信されるデータとしては、次のようになる。ＭＢＭＳ送信専用の周波数レイヤ専用のシーケンス（前記追加の専用シーケンス）であるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＣＣＨ繰り返し期間１「３」などがマッピングされ、スクランブリングコード１がかけられたＢＣＣＨ１、スクランブリングコード１がかけられたＭＢＳＦＮエリア１に属する基地局のＭＣＣＨ１とＭＴＣＨ１が送信される。ＭＢＳＦＮエリア１同様にＭＢＳＦＮエリア２に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ２などがマッピングされたＳ−ＳＣＨ２（第二同期チャネル）、ＭＣＣＨスターティングポイント値２「１」、ＭＣＣＨ繰り返し期間２「２」などがマッピングされ、スクランブリングコード２がかけられたＢＣＣＨ２、スクランブリングコード２がかけられたＭＢＳＦＮエリア２に属する基地局のＭＣＣＨ２とＭＴＣＨ２が送信される。ＭＢＳＦＮエリア１同様にＭＢＳＦＮエリア３に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ３などがマッピングされたＳ−ＳＣＨ３（第二同期チャネル）、ＭＣＣＨスターティングポイント値３「２」、ＭＣＣＨ繰り返し期間３「４」などがマッピングされ、スクランブリングコード３がかけられたＢＣＣＨ３、スクランブリングコード３がかけられたＭＢＳＦＮエリア３に属する基地局のＭＣＣＨ３とＭＴＣＨ３が送信される。
【００６４】
図２７においては便宜上ＭＣＣＨとＭＴＣＨが無線フレーム単位で時分割された例を示しているが、ＭＣＣＨとＭＴＣＨの多重方法が別の方法であっても、時分割多重の単位が無線フレーム単位以外であっても本発明は適用可能である。また移動体通信システムとしてＭＣＣＨ繰り返し期間を静的（Static）あるいは準静的（Semi-Static）に決定しておけば、基地局よりＭＣＣＨ繰り返し期間を報知する必要がなくなる。報知する情報が少なくなるので、無線リソースの有効活用という効果を得ることができる。ＭＢＳＦＮエリアを符号分割多重(CDM)した場合、ＭＢＳＦＮエリアを時分割多重(TDM)する場合と比較して、ＭＢＳＦＮエリア毎に異なる繰り返し期間を設定することが可能となり、ＭＢＭＳサービスとして自由度の高いスケジューリングが可能となるという効果がある。さらに符号分割多重を用いることにより、移動端末において同時に複数のＭＢＳＦＮエリアからのＭＴＣＨ及びＭＣＣＨが重なっても分離可能となる（スクランブリングコードにより分離できるため）。よって移動体通信システムとして同時にＭＢＳＦＮエリア１−３からのＭＴＣＨ、ＭＣＣＨを送信することが可能となるため、１つのＭＢＳＦＮエリアに割り当てられる周波数及び時間的な無線リソースが拡大するという効果を得ることが出来る。
【００６５】
次に現在の３ＧＰＰの議論において、複数のＭＢＳＦＮエリアをカバーするようなＭＢＳＦＮエリアを設けることが検討されている。図２８はＭＢＳＦＮ同期エリアを構成する複数のＭＢＳＦＮエリアを示す説明図であって、複数のＭＢＳＦＮエリアをカバーするＭＢＳＦＮエリアを示す説明図である。図２８において、１つのＭＢＳＦＮ同期エリア（MBSFN Synchronization Area）中にＭＢＳＦＮエリア１〜４が存在する。そのうち、ＭＢＳＦＮエリア４は、ＭＢＳＦＮエリア１〜３をカバーしている。かかるＭＢＳＦＮエリア４には、カバーされているＭＢＳＦＮエリア１〜３経由でアクセスすることが議論されているが、詳細は決まっていない。そこで、以下、複数のＭＢＳＦＮエリアをカバーするＭＢＳＦＮエリアへのアクセス方法について説明する。
【００６６】
先にも述べたように、現在、ＭＢＳＦＮエリアの多重方法については詳細な決定がなされていないので、まず、ＭＢＳＦＮエリア４とこれにカバーされているＭＢＳＦＮエリア１〜３が時分割多重され、かつ、カバーされているＭＢＳＦＮエリア１〜３間が符号分割多重されているケースについて説明する。図２８のようなＭＢＳＦＮエリアの地理的ロケーションであった場合の、ステップＳＴ１７２５（図１８参照）の具体例を示す。第一段階として移動端末は、前記専用のシーケンスにてＰ-ＳＣＨ（第一同期チャネル）をブラインド検出する。Ｐ−ＳＣＨをブラインド検出した移動端末は、５ｍｓタイミング検出することができる。また、Ｐ−ＳＣＨはマルチセル送信である。ＭＢＳＦＮ同期エリア内に位置する基地局はマルチセル送信のための同期が取られている。よってＰ-ＳＣＨのマルチセル送信は同期エリア内に含まれる基地局が対象となる。第二段階として移動端末は、Ｓ−ＳＣＨ（第二同期チャネル）をブラインド検出する。Ｓ−ＳＣＨをブラインド検出した移動端末は１０ｍｓタイミング検出（フレーム同期）とＭＢＳＦＮエリアＩＤを知ることが出来る。またＳ−ＳＣＨはマルチセル送信である。この時のＭＢＳＦＮエリアＩＤはカバーされているＭＢＳＦＮエリアＩＤとする。つまり移動端末が位置している、カバーされている各ＭＢＳＦＮエリアＩＤ（ＭＢＳＦＮエリア１〜３のいずれか）である。よってＳ-ＳＣＨのマルチセル送信はカバーされている各ＭＢＳＦＮエリア内に含まれる基地局が対象となる。移動端末は、第二段階で得たＭＢＳＦＮエリアＩＤと関連付けられているスクランブリングコードを用いてＢＣＣＨ（報知制御チャネル）を受信する。ＢＣＣＨをデコードすることにより、ＭＣＣＨ（マルチキャスト制御チャネル）のスケジューリングを得ることが出来る。またＢＣＣＨはマルチセル送信である。第二段階で得られたスクランブリングコードを用いることから、ＢＣＣＨはカバーされているＭＢＳＦＮエリアからのＢＣＣＨとなる。よってＢＣＣＨのマルチセル送信はカバーされている各ＭＢＳＦＮエリア内に含まれる基地局が対象となる。移動端末は、ＢＣＣＨをデコードすることにより、ＭＣＣＨのスケジューリング、ｆ（ＭＢＭＳ）におけるシステム帯域幅、送信アンテナ数などを得ることが出来る。
【００６７】
ここで更にＭＣＣＨのスケジューリングについて検討する。図２９は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合のＭＢＳＦＮ同期エリアの物理チャネルへのマッピングを示す説明図である。ＭＢＳＦＮ同期エリアは時間的に同期しているため、Ｐ−ＳＣＨ（第一同期チャネル）はＭＢＳＦＮエリア１〜３内のＭＢＭＳ専用セルとも同じタイミングで送信されている。また、前記ＭＢＭＳ送信専用の周波数レイヤ専用のシーケンス（前記追加の専用シーケンス）を用いるとすれば全てのＭＢＳＦＮエリア内のＰ−ＳＣＨ（第二同期チャネル）のシーケンスは同じとなる。よってＰ−ＳＣＨはＭＢＳＦＮ同期エリア内にて同じ情報を同じタイミングで送信されることになる。Ｓ−ＳＣＨ(第二同期チャネル)によって、前記の通りＭＢＳＦＮエリアＩＤが送信されることが考えられている。よってその場合はＳ−ＳＣＨはＭＢＳＦＮエリア毎に異なる情報がＭＢＳＦＮ同期エリアにて同じタイミングで送信されることになる。この場合、各ＭＢＳＦＮエリア内の全ＭＢＭＳ専用セルからは同じ情報が同じタイミングで送信されることになる。この時、カバーしている方のＭＢＳＦＮエリア（MBSFNエリア4）特有のＳ-ＳＣＨはないものとする。Ｓ−ＳＣＨはＭＢＳＦＮ同期エリアにおいて周波数的、時間的に同じ無線リソースを用いる。またＳ−ＳＣＨに各ＭＢＳＦＮエリアスクランブリングコードに関連付けられたＭＢＳＦＮエリアＩＤのサーチのために用いられることから、Ｓ−ＳＣＨには各ＭＢＳＦＮエリアのスクランブリングコードをかけることは出来ない。カバーしているＭＢＳＦＮエリアＳ−ＳＣＨの送信を行わないことは、地理的なロケーションとしては複数のＭＢＳＦＮエリアが重なっているが、重なっているＭＢＳＦＮエリア（例えばMBSFNエリア1と4）において、Ｓ-ＳＣＨを１種類のみ送信すればよいことになる。これにより、お互いのＭＢＳＦＮエリアからのＳ−ＳＣＨが干渉になることを防ぐことが出来る。移動体通信システムはＳ−ＳＣＨにて通知するＭＢＳＦＮエリアＩＤと関連付けられたスクランブリングコードがかけられたＢＣＣＨを送信する。よってその場合ＢＣＣＨは、カバーされているＭＢＳＦＮエリア毎に異なる情報がＭＢＳＦＮ同期エリアにて同じタイミングで送信されることになる。ＢＣＣＨの内容はＭＢＳＦＮエリア内の全ＭＢＭＳ専用基地局にて同じである。移動端末はＢＣＣＨをデコードすることによって、ＭＣＣＨのスケジューリングを取得することができる。現在の３ＧＰＰではＭＣＣＨのスケジューリングの具体例については議論されていない。本発明ではＭＣＣＨのスケジューリングの具体例を示す。
【００６８】
図２９において、ＭＢＳＦＮフレームクラスターがＭＣＣＨ繰り返し期間より大きい場合についてのＭＣＣＨのスケジューリングについてあわせて説明する。カバーしているＭＢＳＦＮエリアのＭＣＣＨのスケジューリングとしては２段階を考える。以下の説明にて便宜上、移動端末がカバーされているＭＢＳＦＮエリアとしてＭＢＳＦＮエリア１に位置し、カバーしているＭＢＳＦＮエリアとしてＭＢＳＦＮエリア４が存在する場合を説明する。第１段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＢＳＦＮフレームクラスター繰り返し期間、ＭＢＳＦＮフレームクラスター繰り返し期間内のＭＣＣＨ送信回数を通知することを考える。更に具体的には、ＭＢＳＦＮフレームクラスターの繰り返し期間には無線フレーム数を用いる。更に具体的には、スターティングポイント値の指定にはＳＦＮ（System Frame Number）を用いる。ＭＢＳＦＮフレームクラスターの繰り返し期間の指定に無線フレーム以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MBSFN FRAME Cluster Repetition Period）が考えられる。更に具体的には，ＭＢＳＦＮフレームクラスター繰り返し期間内のＭＣＣＨ送信回数としてＭＢＳＦＮフレームクラスター内のＭＣＣＨ送信回数（以降、ＮＭＣＣＨと称する。）を用いる。ＮＭＣＣＨを求める具体的な計算式は、ＮＭＣＣＨ＝ＭＢＳＦＮフレームクラスター／ＭＣＣＨ繰り返し期間（MCCH Repetition Period）で表される。図２９においては、ＭＢＳＦＮエリア１のＭＣＣＨオフセット値１は、１ｍｏｄ１０＝１となる。ＭＢＳＦＮエリア２のＭＣＣＨスターティングポイント値２は、１ｍｏｄ１０＝１となる。ＭＢＳＦＮエリア４のＭＣＣＨスターティングポイント値４は、７ｍｏｄ１０＝７となる。次にＭＢＳＦＮエリア１のＮＭＣＣＨ1は、６／２＝３となる。また、ＭＢＳＦＮエリア２のＮＭＣＣＨ２は、６／３＝２となる。ＭＢＳＦＮエリア４のＮＭＣＣＨ４は、４／２＝２となる。よって、ＭＢＳＦＮエリア１のＭＣＣＨのスケジューリングのパラメータはＭＢＳＦＮフレームクラスター繰り返し期間１「１０」、スターティングポイント値１「１」、ＮＭＣＣＨ１「３」となる。この時ＮＭＣＣＨ１をパラメータとして通知する代わりに、ＭＢＳＦＮフレームクラスター１とＭＣＣＨ繰り返し期間１を通知しても良い。
【００６９】
第二段階としてＭＢＳＦＮエリア１のＭＣＣＨにてＭＢＳＦＮエリア４のＭＣＣＨのスケジューリングが通知される。ＭＣＣＨのスケジューリングの具体例は上記ＭＢＳＦＮエリア４（ＭＢＳＦＮフレームクラスター繰り返し期間４「１０」、ステーティングポイント４「７」、ＮＭＣＣＨ４「２」）のパラメータに加えてカバーしているＭＢＳＦＮエリアのＭＢＳＦＮエリアＩＤ（ＭＢＳＦＮエリア４）を通知する。ＭＢＳＦＮエリア４のＭＣＣＨスケジューリングとして、１段階の場合も考えられる。つまり上記ＭＢＳＦＮエリア４のＭＣＣＨスケジューリングもＭＢＳＦＮエリア１のＢＣＣＨにて通知する方法である。これにより、ＭＢＳＦＮエリア４のサービスを受信する移動端末にとっては、ＭＢＳＦＮエリア１のＭＣＣＨを受信しデコードする処理が不要となるので、制御遅延が減るという効果を得ることが出来る。ＭＣＣＨスケジューリングとして、上記スターティングポイント、ＭＢＳＦＮフレームクラスター繰り返し期間、ＮＭＣＣＨ（MBSFNフレームクラスターとMCCH繰り返し期間でもよい）を用いる方法は、ＭＢＳＦＮエリアが時分割多重された場合（図26参照）のＭＢＳＦＮフレームクラスター内に複数回ＭＣＣＨが存在した場合にも用いることが出来る。
【００７０】
つまりＭＢＳＦＮエリア１に属する基地局から送信されるデータとしては、次のようになる。ＭＢＭＳ送信専用の周波数レイヤ専用のシーケンスであるＰ−ＳＣＨ（第一同期チャネル）、ＭＢＳＦＮエリアＩＤ１などがマッピングされたＳ−ＳＣＨ１（第二同期チャネル）、ＭＣＣＨスターティングポイント値１「１」、ＭＢＳＦＮフレームクラスター繰り返し期間１「１０」、ＮＭＣＣＨ１「３」などがマッピングされ、スクランブリングコード１がかけられたＢＣＣＨ１、スクランブリングコード１がかけられたＭＢＳＦＮエリア１のＭＣＣＨ１とＭＴＣＨ１が送信される。ＭＣＣＨ１ではＭＢＳＦＮエリア４のＭＢＳＦＮエリアＩＤ（ＭＢＳＦＮエリア４）とＭＢＳＦＮエリア４のＭＣＣＨスケジューリングである、ＭＣＣＨスターティングポイント値４「７」、ＭＢＳＦＮフレームクラスター繰り返し期間４「１０」、ＮＭＣＣＨ４「２」が送信される。ＭＢＳＦＮエリア１同様にＭＢＳＦＮエリア２に属する基地局から送信されるデータとしては、次のようになる。ＭＢＭＳ送信専用の周波数レイヤ専用のシーケンスであるＰ−ＳＣＨ、ＭＢＳＦＮエリアＩＤ２などがマッピングされたＳ−ＳＣＨ２、ＭＣＣＨスターティングポイント値２「１」、ＭＢＳＦＮフレームクラスター繰り返し期間２「１０」、ＮＭＣＣＨ２「２」などがマッピングされ、スクランブリングコード２がかけられたＢＣＣＨ２、スクランブリングコード２がかけられたＭＢＳＦＮエリア２のＭＣＣＨ２とＭＴＣＨ２が送信される。ＭＣＣＨ２ではＭＢＳＦＮエリア４のＭＢＳＦＮエリアＩＤ（MBSFNエリア4）とＭＢＳＦＮエリア４のＭＣＣＨスケジューリングである、ＭＣＣＨオフセット値４「７」、ＭＢＳＦＮフレームクラスター繰り返し期間４「１０」、ＮＭＣＣＨ４「２」が送信される。
【００７１】
ＭＢＳＦＮエリア４から送信されるデータとしては、先に説明したようにＰ−ＳＣＨ、Ｓ−ＳＣＨの送信はない。更に、ＭＢＳＦＮエリア４のシステム情報としてカバーされているＭＢＳＦＮエリア（MBSFNエリア1〜3）のＢＣＣＨにて送信されたもの以上に通知する必要がなければ、ＭＢＳＦＮエリア４からのＢＣＣＨの送信を省略することが出来る。これにより、無線リソースの有効活用という効果を得ることが出来る。スクランブリングコードがかけられないＭＢＳＦＮエリア４のＭＣＣＨ４とＭＴＣＨ４が送信される。
【００７２】
図２９においては便宜上ＭＣＣＨとＭＴＣＨが無線フレーム単位で時分割されて例を示しているが、ＭＣＣＨとＭＴＣＨの多重方法が別の方法であっても、時分割多重の単位が無線フレーム単位以外であっても本発明は適用可能である。カバーしているＭＢＳＦＮエリア（MBSFNエリア4）とカバーされているＭＢＳＦＮエリア（ＭＢＳＦＮエリア1〜3 ）が時分割多重される場合であり、カバーされているＭＢＳＦＮエリア間は符号分割多重である多重方法は、地理的なロケーションが分離されているＭＢＳＦＮエリア１〜３の多重方法として符号分割多重を用いている。これにより、周波数及び時間的な無線リソースの有効活用という利点を得られることが出来る。符号分割多重においては、各ＭＢＳＦＮエリアの分離は各ＭＢＳＦＮエリアに割り当てられたスクランブリングコードのみでおこなわれるため、ＭＢＳＦＮエリア間のお互いのデータが干渉となる可能性がある。しかし本多重方法においては、地理的なロケーションが分離されているＭＢＳＦＮエリア１〜３の多重において符号分割多重を用いてもお互いの送信データによる干渉が起こりにくいという効果がある。地理的なロケーションが分離されていないＭＢＳＦＮエリア４とＭＢＭＳＦＮエリア１〜３との多重に時分割多重を用いる。これにより、地理的に分離されていないために、より干渉が起こりやすいＭＢＳＦＮエリア４とＭＢＳＦＮエリア１〜３の多重方法を互いに干渉を起こしにくい多重方法とすることが出来る。この多重方法により各ＭＢＳＦＮエリア間の干渉をおさえつつ、無線リソースの有効活用が可能となる効果を得ることが出来る。更には、カバーしているＭＢＳＦＮエリア（MBSFNエリア4）においてＭＢＭＳサーチを行わないことにより、Ｐ−ＳＣＨ、Ｓ−ＳＣＨ、ＢＣＣＨを削減することが出来る。これにより、ＭＢＳＦＮエリア４の無線リソースを有効活用できるという効果を得ることができる。
【００７３】
次にカバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法も時分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し期間を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い、具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（ＭＣＣＨ繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、上記ＭＢＳＦＮエリア１同様のＭＢＳＦＮエリア４のパラメータに加えてカバーしているＭＢＳＦＮエリアのＭＢＳＦＮエリアＩＤ（MBSFNエリア4）を通知する。ＭＢＳＦＮエリア４のパラメータの説明は省略する。
【００７４】
次に、カバーしているＭＢＳＦＮエリア（MBSFNエリア4）とカバーされているＭＢＳＦＮエリア（MBSFNエリア1〜3）が符合分割多重され、カバーされているＭＢＳＦＮエリア間の多重方法も符号分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し周期を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い，具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（MCCH繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、上記ＭＢＳＦＮエリア１同様ＭＢＳＦＮエリア４のパラメータに加えてカバーしているＭＢＳＦＮエリアのＭＢＳＦＮエリアＩＤ（MBSFNエリア4）を通知する。ＭＢＳＦＮエリア４のパラメータの説明は省略する。ＭＢＳＦＮエリア４にて用いられるスクランブリングコードは、ＭＢＳＦＮエリア１のＭＣＣＨ１で通知されるＭＢＳＦＮエリアＩＤ（MBSFNエリア4）を基に判明する。
【００７５】
次に、カバーしているＭＢＳＦＮエリア（MBSFNエリア4）とカバーされているＭＢＳＦＮエリア（MBSFNエリア1〜3）が符合分割多重され、カバーされているＭＢＳＦＮエリア間の多重方法が時分割多重である場合における具体例について説明する。ＭＢＳＦＮエリアが複数存在した場合の基地局のロケーションの概念図は、カバーしているＭＢＳＦＮエリア（MBSFNエリア4）とカバーされているＭＢＳＦＮエリア（MBSFNエリア1〜3）が時分割多重され、カバーされているＭＢＳＦＮエリア間の多重方法は符号分割多重である場合と同様である。Ｐ−ＳＣＨ、Ｓ−ＳＣＨ、ＢＣＣＨについては前記の場合と同様であるため説明を省略する。ＭＣＣＨのスケジューリングの具体例についてもほぼ前記の場合と同様である、異なる部分を中心に説明する。第一段階としてＭＢＳＦＮエリア１のＢＣＣＨにてＭＢＳＦＮエリア１のＭＣＣＨスケジューリングが通知される。本発明ではＭＣＣＨのスケジューリングの具体例を示す。本発明ではＭＣＣＨのスケジューリングとしてＭＣＣＨがマッピングされる時間のスターティングポイント値およびＭＣＣＨ繰り返し期間を通知することを考える。ＭＣＣＨ繰り返し期間の指定には無線フレーム数を用いる。更に具体的には、スターティングポイント値の指定にはＳＦＮ（System Frame Number）を用いる。ＭＣＣＨ繰り返し期間の指定に無線フレーム数以外を用いても良い，具体例としてサブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値を求める具体的な計算式は、スターティングポイント値＝（MCCHがマッピングされる先頭のSFN番号）ｍｏｄ（ＭＣＣＨ繰り返し期間）となる。第二段階としてＭＢＳＦＮエリア１のＭＣＣＨにてＭＢＳＦＮエリア４のＭＣＣＨのスケジューリングが通知される。ＭＣＣＨのスケジューリングの具体例は、ＭＣＣＨのスケジューリングの具体例はＭＢＳＦＮエリア４のパラメータとしてステーティングポイント、ＭＣＣＨ繰り返し期間、カバーしているＭＢＳＦＮエリアのＭＢＳＦＮエリアＩＤ（MBSFNエリア4）を通知する。
【００７６】
上記記載のＭＢＳＦＮエリアの全ての多重方法での，ＭＣＣＨスケジューリングにおいてＭＣＣＨのスターティングポイントはＭＣＨスターティングポイント、あるいはＰＭＣＨスターティングポイントとしても良い。ＭＣＨスターティングポイントとした場合、ＭＣＣＨスケジューリングにおけるパラメータＭＣＣＨ繰り返し期間は、ＭＣＨ繰り返し期間となる。その際、各ＭＣＨ中にＭＣＣＨが必ずマッピングされている場合は、ＭＣＨ繰り返し期間＝ＭＣＣＨ繰り返し期間となる。一方各ＭＣＨ中にＭＣＣＨが必ずマッピングされていない場合は、ＭＣＨ繰り返し期間と合わせてＭＣＣＨ繰り返し期間をパラメータとして持っても良い。ＰＭＣＨスターティングポイントとした場合、ＭＣＣＨスケジューリングにおけるパラメータＭＣＣＨ繰り返し期間は，ＰＭＣＨ繰り返し期間となる。その際、各ＰＭＣＨ中にＭＣＣＨが必ずマッピングされている場合は、ＰＭＣＨ繰り返し期間＝ＭＣＣＨ繰り返し期間となる。一方各ＰＭＣＨ中にＭＣＣＨが必ずマッピングされていない場合は、ＰＭＣＨ繰り返し期間と合わせてＭＣＣＨ繰り返し期間をパラメータとして持っても良い。
【００７７】
次に３ＧＰＰにおいて、ＭＢＭＳ送信専用の周波数レイヤにおいて、シングルセル送信がサポートされる方向で議論が進んでいる。そのサポート方法として、シングルセル送信を１セル構成のＭＢＳＦＮエリアで実現する方法が議論されている。しかし、具体的な実現方法については何ら議論されていない。本発明では第四の課題であるＭＢＭＳ送信専用の周波数レイヤにて所望のサービスを選択するまでの方法、及びそのための移動体通信システムを開示するために、シングルセル送信のサポート方法について具体例を示す。上記に、複数のＭＢＳＦＮエリアを覆うようなＭＢＳＦＮエリアが存在する場合についての具体的な実現例について説明した。上記の方法において、覆われるＭＢＳＦＮエリア（MBSFN Area1〜3）をシングルセル（Single-cell）送信を行うセルに置き換え、覆う側のＭＢＳＦＮエリア（MBSFN Area4）をマルチセル（multi-cell）送信を行うセルに置き換えることによって、シングルセル送信を１セル構成のＭＢＳＦＮエリアで実現することが可能である。
【００７８】
次に、図１８のステップＳＴ１７２６、１７２７、図１９のステップＳＴ１７２８、１７２９を用いて、実施の形態１で述べた「ＭＢＭＳエリア情報取得」について更に具体的に説明する。各ＭＢＳＦＮエリアのＭＣＣＨ（マルチキャスト制御チャネル）はマルチセル送信を考える。よってステップＳＴ１７２６にてＭＣＥは、ＭＢＳＦＮエリア内の基地局に対してＭＣＣＨの内容及びＭＣＣＨを送信するための無線リソースの割り当てを送信する。ステップＳＴ１７２７にて各ＭＢＭＳ専用基地局はＭＣＥからＭＣＣＨの内容及びＭＣＣＨを送信するための無線リソースの割り当てを受信する。ステップＳＴ１７２８にて各基地局はＭＣＥから割り当られた無線リソースに従い、ＭＢＭＳエリア情報、間欠受信（ＤＲＸ）情報、ページンググループ数Ｋなどの制御情報を、ＭＣＣＨを使用してマルチセル送信する。ステップＳＴ１７２９にて移動端末は、ＭＢＳＦＮエリア内の各基地局からＭＣＣＨを受信する。ＭＣＣＨ受信にはステップＳＴ１７２５にてネットワーク側より受信したＭＣＣＨのスケジューリングを用いる。
【００７９】
受信の方法の具体例について説明する。代表として、複数の基地局が図２５に示すように配置され、各ＭＢＳＦＮエリアが図２６のように時分割多重されている場合について説明する。移動端末がＭＢＳＦＮエリア１の傘下に位置していた場合について説明する。移動端末はＭＢＳＦＮエリア１のＢＣＣＨ１（報知制御チャネル）をデコードすることで、ＭＣＣＨ１のスケジューリングパラメータとして、スターティングポイント値１「１」、ＭＣＣＨ繰返し周期１（MCCH Repetiton Period）「７」を受信する。またＳＦＮ（System Frame Number）がＢＣＣＨにマッピングされているとすれば、移動端末は、ＢＣＣＨをデコードすることでＳＦＮ番号を知ることが出来る。移動端末は、以下の式にてＭＣＣＨがマッピングされているＳＦＮ番号を求めることが出来る。ＳＦＮ＝ＭＣＣＨ繰返し周期１×α＋スターティングポイント値１（αは正の整数）。移動端末は、ＭＣＣＨ１がマッピングされるＳＦＮ番号の無線リソースを受信してデコードすることによりＭＣＣＨ１を受信することが出来る。ＭＣＣＨ１には、ＭＢＳＦＮエリア１からマルチセル送信されるＭＢＭＳサービス用の制御情報がマッピングされている。制御情報の具体例としては、ＭＢＭＳエリア情報、ＤＲＸ情報、ＭＢＭＳ受信時間欠受信用パラメータなどがある。
【００８０】
ＭＢＭＳエリア情報について更に具体例を図２６を用いて説明する。ＭＢＭＳエリア情報として、各エリアのフレーム構成（ＭＢＳＦＮフレームクラスター（MBSFN frame Cluster）、ＭＢＳＦＮサブフレームなど）、サービス内容、ＭＴＣＨの変調情報などが考えられる。ＭＢＳＦＮフレームクラスター１として１ＭＢＳＦＮフレームクラスター繰り返し期間内のＭＢＳＦＮエリア１に割り当てられたフレームの集合中のフレーム数が通知される。ＭＢＳＦＮ  サブフレーム１としてＭＢＳＦＮフレームクラスター１内の１無線フレーム内に実際にＭＢＭＳデータ（ＭＴＣＨまたは／かつＭＣＣＨ）がマッピングされているサブフレーム番号が通知される。ＭＢＭＳ専用基地局を用いたＭＢＭＳサービスの提供においては、ＭＢＭＳ／ユニキャスト混合セルとは異なり、ユニキャストデータとの無線リソースを共有する必要がない。よって１無線フレーム内の全てのサブフレームにＭＢＭＳデータをマッピングすることが可能である（但し、Ｐ−ＳＣＨ、Ｓ−ＳＣＨ、ＢＣＣＨマッピング部分除く）。全てのサブフレームにＭＢＭＳデータをマッピングする場合は、ＭＢＳＦＮサブフレームのパラメータをネットワーク側から移動端末側へ通知する必要がない。これにより無線リソースの有効活用を図ることができる。あるいは、無線通信システムとして静的にＭＢＭＳ専用セルからのＭＢＭＳデータの送信時は全てのサブフレームにＭＢＭＳデータをマッピングするという方法をとれば、大容量のＭＢＭＳデータを送信することが可能となり、またＭＢＳＦＮサブフレームのパラメータをも通知する必要がなくなるので、更に無線リソースの有効活用が図ることができる。サービス内容として、ＭＢＭＳエリア１で行われているサービス内容が通知される。ＭＢＳＦＮエリア１において複数のサービス（映画とスポーツ中継など）が行われている場合、複数のサービス内容とその多重パラメータが通知される。
【００８１】
図３０は、移動端末へのＭＢＭＳデータの送信が停止され、移動端末でのＭＢＭＳデータの受信動作が停止するＤＲＸ期間と、ＤＲＸ期間が繰り返される周期であるＤＲＸ周期の関係を示す説明図である。ＤＲＸ（Discontinuous reception）情報について図３０を用いて更に具体例を説明する。本発明の第一の課題である、ＭＢＭＳ送信専用セルでＭＢＭＳサービスを利用している移動端末にページング信号を通知するためには、ＭＢＭＳ送信専用セルにてＭＢＭＳサービスを受信中の移動端末がユニキャストセルないしＭＢＭＳ／ユニキャスト混合セルを介してネットワークに位置登録などを行う必要がある。そのためには、ユニキャストセルないしＭＢＭＳ／ユニキャスト混合セルのメジャメント及び位置登録（サービング基地局の再選択（cell re-selection））が必要となる。これにより、上りリンクが存在しないＭＢＭＳ専用セルにおけるモビリティをユニキャスト／混合セル経由にて確保することが可能になるという効果を得ることができる。このため、ＭＢＭＳ送信専用の周波数レイヤでＭＢＭＳサービスを受信している移動端末においても、ページング信号を受信可能になるという効果を奏する。よって、ＭＢＭＳ送信専用セルにてＭＢＭＳサービスを受信中の移動端末であっても、一定周期にてユニキャストセル、ＭＢＭＳ／ユニキャスト混合セルのメジャメントを行う必要がある。従来の方法（３ＧＰＰ  Ｗ−ＣＤＭＡ）において、メジャメント周期は間欠受信周期の整数倍であり、移動端末に対してネットワーク側より上位レイヤにて通知される。
【００８２】
ここで、ＭＢＭＳ送信専用セルにてＭＢＭＳサービスを受信している移動端末が、従来の方法を適用してユニキャストセル、ＭＢＭＳ／ユニキャスト混合セルの上位レイヤより通知されたメジャメント周期にてメジャメントを行うとすれば、ＭＢＭＳ送信専用の周波数セルのＭＢＭＳＦＮ同期エリアを構成している基地局とユニキャスト／ミクスド周波数レイヤを構成している基地局は互いに同期していない（非同期）であるため、メジャメントを行うために、ＭＢＭＳ受信を中断しなければならなくなるという課題がある。
【００８３】
そこで、本発明では、上記課題の解決策として、ＭＢＳＦＮ同期エリア内で一つのＤＲＸ期間を設けることとする（図３０参照）。本実施の形態１におけるＤＲＸ期間とは、ＭＢＳＦＮ同期エリア内で全ＭＢＳＦＮエリアのＭＢＭＳサービスに関する、ネットワーク側から移動端末へのＭＢＭＳデータの送信を停止する期間、つまり移動端末側から見るとＭＢＭＳデータの受信を行わない期間を意味することとする。ＭＢＭＳ送信専用周波数レイヤにおいてＭＢＭＳサービスを利用している移動端末は、ＭＢＭＳデータがネットワーク側から送信されないＤＲＸ期間に、ユニキャストセル、ＭＢＭＳ／ユニキャスト混合セルのメジャメントを行うことにより、ＭＢＭＳサービスの利用を中断する必要がなくなるという効果を得る。また、ＤＲＸ期間をＭＢＳＦＮ同期エリアに設けることにより、移動端末は、何の制御を付加することなく、ＭＢＳＦＮ同期エリア内のＭＢＳＦＮエリアからのＭＢＭＳデータを同時に受信可能となる。
【００８４】
次に図３０に示したＤＲＸ周期について説明する。ＤＲＸ周期とは先に説明したＤＲＸ期間が繰り返される周期をいう。従来の方法においてメジャメント周期は移動端末に対してネットワーク側から設定（通知）される。この方法をＬＴＥにおいても踏襲するならば、ＭＢＭＳ送信専用の周波数レイヤにおいてＭＢＭＳサービスを受信中の移動端末がＤＲＸ期間にてユニキャスト／ミクスド周波数レイヤにおけるメジャメントを実施するとすれば、ＭＢＭＳ送信専用の周波数レイヤのＤＲＸ周期及びＤＲＸ期間の情報をいずれかの経路を通じてユニキャストセル、ＭＢＭＳ／ユニキャスト混合セル側の制御装置（基地局、ＭＭＥ、ＰＤＮＧＷなど）に通知する必要がある。さらにはユニキャスト／ミクスド周波数レイヤを構成する基地局は基本的には非同期で構成されていることより、ＭＢＭＳ送信専用の周波数レイヤのＤＲＸ周期及びＤＲＸ期間を各ユニキャストセルあるいは各ＭＢＭＳ／ユニキャスト混合セルに通知する必要が出てくる。この方法は、移動体通信システムを複雑化するものであり好ましくない。よって本発明では以下の方法を開示する。ＭＢＭＳ送信専用セルにおけるＤＲＸ周期を、ユニキャストセル、ユニキャスト／混合周波数セルでとり得るメジャメント周期の最小値あるいは最小値の約数とする。ユニキャストセルあるいは、ＭＢＭＳ／ユニキャスト混合セルが、ＭＢＭＳ送信専用の周波数レイヤにてＭＢＭＳサービスを受信中の移動端末に対して設定可能なメジャメント周期がユニキャスト／ミクスド周波数レイヤで取り得るメジャメント周期と異なる場合は、ＤＲＸ周期は、ＭＢＭＳ送信専用の周波数レイヤにてＭＢＭＳサービスを受信中の移動端末に対して設定可能なメジャメント周期、あるいは前記メジャメント周期の最小値、あるいは前記メジャメント周期の最小値の約数とする。これにより、ユニキャストセル、ＭＢＭＳ／ユニキャスト混合セルにて移動端末にどのメジャメント周期が通知（設定）されたとしても、ＭＢＭＳ送信専用の周波数レイヤにおいてＤＲＸ周期にて設けられたＤＲＸ期間にて、ユニキャスト／ミクスド周波数レイヤのメジャメントを行えば、ネットワーク側から通知されたメジャメント周期を満足することが可能となる。この方法を採用することにより、ＭＢＭＳ送信専用セルの制御装置（基地局、MCE、MBMSゲートウェイ、eBNSCなど）から、ユニキャストセル、ＭＢＭＳ／ユニキャスト混合セルの制御装置に対して、ＭＢＭＳ送信専用セルのＤＲＸ周期やＤＲＸ期間を通知する必要がなくなる。よって、移動体通信システムの複雑化を防ぐ、つまり無線インタフェース上あるいはネットワーク内の追加のシグナリングを回避しつつ、ＭＢＳＦＮ送信専用周波数レイヤにてＭＢＭＳサービス受信中の移動端末がＭＢＭＳサービスの受信を中断することなく、ユニキャストセル、ＭＢＭＳ／ユニキャストミクスドセルが当該移動端末に通知（設定）した、メジャメント周期にてメジャメントを実行することが出来るという効果を得ることになる。また、該ＤＲＸ期間にて、ユニキャスト／ミクスド周波数レイヤのサービングセルから報知情報の取得を行っても良く、例えばサービングセルにおける報知情報が修正された場合などに対応することが可能となる。
【００８５】
ＤＲＸ情報の具体的なパラメータ例について図３０を用いて説明する。具体的には、ＤＲＸ情報のパラメータは、ＤＲＸ期間、ＤＲＸ周期、スターティングポイント値（ＤＲＸ）が考えられる。具体的には、ＤＲＸ期間、ＤＲＸ周期の指定には無線フレーム数を用いる。図３０において、ＤＲＸ期間は「４」無線フレーム（SFN4〜7間での期間）となる。またＤＲＸ周期は「７」無線フレーム（SFN4〜10までの期間）となる。更にＤＲＸ期間が始まるスターティングポイント値（ＤＲＸ）の指定にはＳＦＮを用いる。ＤＲＸ期間、ＤＲＸ周期の指定に無線フレーム数以外を用いても良い、具体例として、サブフレームなどがある。スターティングポイント値の指定にＳＦＮ以外を用いても良い、具体例として何らかの基準値からのオフセット値などがある。ＭＣＣＨが無線フレーム中の一部のサブフレームにマッピングされている場合などは、スターティングポイントとしてＳＦＮかつサブフレーム番号などが通知されても良い。スターティングポイント値（ＤＲＸ）を求める具体的な計算式は、スターティングポイント値（ＤＲＸ）＝（ＤＲＸ期間が始まる先頭のＳＦＮ番号）ｍｏｄ（ＤＲＸ周期）となる。図３０においては、スターティングポイント値（ＤＲＸ）は、４ｍｏｄ７＝４  あるいは  １１ｍｏｄ７＝４・・・となる。ここで、スターティングポイント値（ＤＲＸ）の指定にＳＦＮを用いる例を示した。ここでは、ＭＢＳＦＮ同期エリア内で一つのＤＲＸ期間を設ける例について説明した。よってスターティングポイント値（ＤＲＸ）についても、ＭＢＳＦＮ同期エリア内の基地局共通とする。スターティングポイント値（ＤＲＸ）にＳＦＮを用いた場合を考える。ＭＢＳＦＮ同期エリア内の基地局から同じタイミングで同じ番号が送信されるとする。上記では、ＤＲＸ情報をＭＣＣＨにマッピングしてＭＢＳＦＮ  Ａｒｅａ内の基地局から移動端末に通知する例について説明した。同様にＤＲＸ情報をＢＣＣＨにマッピングしてＭＢＳＦＮエリア内の基地局から移動端末に通知しても、同様の効果が得られる。更には、ＤＲＸ情報をＢＣＣＨにマッピングしてサービング基地局から移動端末に通知しても、同様の効果が得られる。更には、ＤＲＸ情報を静的（Static）あるいは準静的（Semi-Static）に決定しても同様の効果がえられる。これにより報知する必要がなくなるので、無線リソースの有効活用という効果も合わせて得ることができる。
【００８６】
ＭＢＭＳ受信時間欠受信用パラメータについて更に具体例を説明する。先にも述べたが非特許文献１にてページンググループがＬ１／Ｌ２シグナリングチャネル（PDCCH）にて通知されることが開示されている。ＭＢＭＳ専用セルから送信される無線リソースにＬ１／Ｌ２シグナリングチャネルが存在するか否かは、まだ決定されていない。本実施の形態では、ＭＢＭＳ専用セルから送信される無線リソースにはＬ１／Ｌ２シグナリングチャネルが存在しないとして考える。しかし、ＬＴＥという同じ移動体通信システム中に存在するユニキャストセル、ＭＢＭＳ／ユニキャスト混合セル、ＭＢＭＳ送信専用セルのページング通知方法は可能な限り統一することが好ましい。統一することにより、移動体通信システムの複雑化を回避できるからである。以下の説明では、ＭＢＭＳ受信時間欠受信時用のパラメータとしてページンググループ数（以降、ＫＭＢＭＳ）を考える。次に、複数の基地局が図２５に示すように配置され、各ＭＢＳＦＮエリアが図２７のように符号分割多重されている場合について説明する。この場合、ＤＲＸ情報については前記時分割多重の場合と同様であるので説明を省略する。
【００８７】
次に、図１９を用いて実施の形態１で述べた「ＭＢＭＳサービス選択」について更に具体的に説明する。ステップＳＴ１７３０にて移動端末は、該当ＭＢＭＳエリアにてユーザ所望のサービスが行われているか知るため、ＭＢＭＳエリア情報に含まれるサービス内容を確認する。当該ＭＢＳＦＮエリアにてユーザ所望のサービスが行われている場合は、ステップＳＴ１７３１へ移行する。ユーザ所望のサービスが行われていない場合は、ステップＳＴ１７３３へ移行する。ステップＳＴ１７３１にて移動端末は当該ＭＢＳＦＮエリアの無線リソースにてレファレンスシグナル(RS)を受信し、受信電力を測定する（RSRP）。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７３２へ移行し、閾値以下であればステップＳＴ１７３３へ移行する。ステップＳＴ１７３２にて移動端末は、ユーザが所望のＭＢＭＳサービスを受信するためのＭＢＭＳ送信専用の周波数ｆ（ＭＢＭＳ）とＭＢＳＦＮエリアＩＤを取得する。一方、ステップＳＴ１７３３にて移動端末は同じ周波数内（ｆ（ＭＢＭＳ））にて受信可能な他のＭＢＭＳエリアが存在するか否か判断する。本ステップＳＴ１７３３は、図２８に示すような、覆いかぶさるＭＢＳＦＮエリア（MBSFNエリア4）が存在する場合に特に有効である。同じ周波数内（ｆ（ＭＢＭＳ））にて受信可能な他のＭＢＭＳエリアが存在する場合は、ステップＳＴ１７３０へ戻り処理を繰り返す。存在しない場合はステップＳＴ１７３４へ移行する。ステップ１７３４にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、ステップＳＴ１７２０へ戻り処理を繰り返す。またステップ１７３１にてレファレンスシグナルを受信し、受信電力を測定する代わりに、実際に当該ＭＢＳＦＮエリアのＭＢＭＳサービス（ＭＴＣＨまたは／かつＭＣＣＨ）を受信し、デコードを行うことも可能である。その場合、ユーザ自身がデコード後のデータを聞くあるいは見ることにより自分自身が許容できる受信感度であるか否かを判断できる。許せる場合ステップＳＴ１７３２へ移行し、許せない場合ステップＳＴ１７３３へ移行する。許せる受信感度には、ユーザ毎に個人差があるので、よりユーザに適合した移動端末になるという効果を得ることが出来る。
【００８８】
図１９のステップ１７３５は、実施の形態１で述べた「ＭＢＭＳ受信時間欠受信準備」を示す処理である。ステップＳＴ１７３５にて移動端末は、ステップＳＴ１７２９にて受信したＭＢＭＳ受信時間欠受信時用のパラメータを用いてＭＢＭＳ受信時間欠受信準備を行う。具体的には、ステップＳＴ１７２９にて受信したページンググループ数ＫＭＢＭＳを用いて、自移動端末のページンググループを算出する。ページンググループの算出には、移動端末の識別ＩＤ（UE-ID,IMSI）を用いる。ページンググループは、ＩＭＳＩ  ｍｏｄ  ＫＭＢＭＳで表される。
【００８９】
図２０は、ＭＢＭＳ側受信状況通知の処理を説明するフローチャートである。この処理は、図１７を用いて実施の形態１で述べた「ＭＢＭＳ側受信状況通知」について更に具体的に説明するものである。図２０において、ステップＳＴ１７３６にて移動端末は、周波数変換部１１０７の設定周波数を変更し、中心周波数をユニキャスト／混合周波数レイヤの周波数（以降、ｆ（ｕｎｉｃａｓｔ）と称する。）へ変更することによりユニキャスト／混合周波数レイヤへ移動する。ステップＳＴ１７３７にて移動端末は、上りスケジューリングリクエスト（UL Scheduling Request）をサービングセルに対して送信する。ステップＳＴ１７３８にてサービングセルは、当該移動端末からの上りスケジューリングリクエストを受信する。ステップＳＴ１７３９にてサービングセルは、当該移動端末に対して上り無線リソースの割り当てを行うべく、上りスケジューリング（UL Scheduling）を行う。ステップＳＴ１７４０にてサービングセルは、ステップＳＴ１７３９における上りスケジューリングの結果である当該移動端末への上り無線リソースの割り当て（UL allocation、あるいはGrantとも称される）を移動端末へ送信する。ステップＳＴ１７４１にて移動端末は、サービングセルよりＵＬアロケーションを受信する。ステップＳＴ１７４２にて移動端末は、ステップＳＴ１７４１にて受信したＵＬアロケーションに従って「ＭＢＭＳ側受信状況通知」をサービングセルへ送信する。「ＭＢＭＳ側受信状況通知」に含まれるパラメータ例としては、移動端末の識別子（ＵＥ−ＩＤ、ＩＭＳＩ、Ｓ−ＴＭＳＩなど）、ＭＢＭＳサービスを受信する周波数（ｆ（ＭＢＭＳ））、ＭＢＳＦＮ  Ａｒｅａ番号（ＩＤ）などがある。ステップＳＴ１７４３にてサービングセルは、移動端末からステップＳＴ１７４２の「ＭＢＭＳ側受信状況通知」処理により送信された各種パラメータを受信する受信処理を行う。ステップＳＴ１７４３にてネットワーク側は、ＭＢＭＳ専用セルに上りリンクを追加することなく、つまり移動体通信システムとして複雑性を増すことなく、当該移動端末がＭＢＭＳ送信専用の周波数レイヤにてＭＢＭＳサービスを受信している旨を知ることが出来る。これにより、ネットワーク側が通常のページング信号を通知する構成から、ＭＢＭＳ受信時間欠受信構成へ変更することが可能となる効果を奏する。ステップＳＴ１７４４にてサービングセルは、ステップＳＴ１７４２にて移動端末により実行された「ＭＢＭＳ側受信状況通知」で送信されたパラメータをＭＭＥへ送信する。ステップＳＴ１７４５にてＭＭＥはこれを受信する。
【００９０】
ステップＳＴ１７４６にてＭＭＥは、当該移動端末のＭＢＭＳ送信専用の周波数でのＭＢＭＳサービスを受信中のトラッキングエリア（以降、ＴＡ（ＭＢＭＳ）と称する）を決定する。トラッキングエリアの決定に際しては、ＭＭＥはステップＳＴ１７４２により移動端末からサービングセル経由で通知されたＭＢＭＳ側受信状況通知（ＭＢＭＳ側受信状況のパラメータ、ｆ（ＭＢＭＳ）とMBSFNエリア番号）を基に決定する。ステップＳＴ１７４７にて当該移動端末のトラッキングエリアリストを更新する。ステップＳＴ１７４７では、ＴＡ（ｕｎｉｃａｓｔ）または／かつＴＡ（ＭＢＭＳ）を含むＴＡリストの管理（保存、追加、更新、削除）をする。ＴＡ（ｕｎｉｃａｓｔ）とはユニキャスト／ミクスド周波数レイヤにおける当該移動端末のトラッキングエリアとする。図３１はトラッキングエリアリストの詳細を説明する説明図である。以下、図３１を用いてトラッキングエリアリスト管理の具体例について説明する。トラッキングエリアリストは図３１（ａ）に示すとおり、移動端末毎に管理される。図３１（ａ）の例ではＵＥ＃１のＴＡは、ＴＡ（ｕｎｉｃａｓｔ）＃１とＴＡ（ｕｎｉｃａｓｔ）＃２であり、ＵＥ＃２のＴＡはＴＡ（ｕｎｉｃａｓｔ）＃１とＴＡ（ＭＢＭＳ）＃１である。更に、ＭＭＥでは各トラッキングエリア（ＴＡ（ｕｎｉｃａｓｔ））に含まれる基地局も管理している。図３１（ｂ）を用いて説明する。ＴＡ（ｕｎｉｃａｓｔ）＃１には、セル(Cell)ＩＤ１、２、３、４、５のＭＢＭＳ／ユニキャスト混合セルが含まれる。またＴＡ（ｕｎｉｃａｓｔ）＃２には、セルＩＤ２３、２４、２５のＭＢＭＳ／ユニキャスト混合セルが含まれる。次に図３１（ｃ）を用いて説明する。ＴＡ（ＭＢＭＳ）＃１は、当該移動端末がＭＢＭＳ送信専用の周波数レイヤにてＭＢＭＳサービスを受信するＭＢＳＦＮエリアＩＤが対応する。つまり本発明では、ステップＳＴ１７４２にて、移動端末から「ＭＢＭＳ側受信状況通知」にてパラメータが送信され、ステップＳＴ１７４５にてＭＭＥが、当該パラメータであるｆ（ＭＢＭＳ）、ＭＢＳＦＮエリアＩＤを用いてＴＡ（ＭＢＭＳ）が決定することになる。
【００９１】
ステップＳＴ１７４７のＴＡリストの管理の詳細を説明する。ＭＭＥはステップＳＴ１７４５にて受信したｆ（ＭＢＭＳ）、ＭＢＳＦＮエリアＩＤを基にＭＭＥ内で管理しているＴＡ（ＭＢＭＳ）番号を検索する（例えば図３１（ｃ）を用いる）。次に、当該移動端末のＴＡリスト中に検索の結果判明したＴＡ（ＭＢＭＳ）が存在するか否か判断する。存在した場合、現状のＴＡリストを保存する。存在しなかった場合、当該移動端末のＴＡリストに前記ＴＡ（ＭＢＭＳ）を追加する。ステップＳＴ１７４８にてＭＭＥはＭＢＭＳ側受信状況通知を受信したことを示す応答信号Ａｃｋをサービングセルへ送信する。この応答信号に当該移動端末のＴＡリストを含めることが考えられる。ステップＳＴ１７４９にてサービングセルはＭＭＥよりＭＢＭＳ側受信状況通知のＡｃｋを受信し、ステップＳＴ１７５０にてＭＢＭＳ側受信状況通知のＡｃｋを移動端末へ送信する。ステップＳＴ１７５１にて移動端末はサービングセルよりＭＢＭＳ側受信状況通知のＡｃｋを受信する。ステップＳＴ１７５２にて移動端末は、周波数変換部１１０７の設定周波数を変更し、中心周波数をＭＢＭＳ送信専用の周波数レイヤの周波数（ｆ（ＭＢＭＳ））へ変更することによりＭＢＭＳ送信専用の周波数レイヤへ移動する。
【００９２】
図２１は、ユニキャスト側メジャメント処理を示すフローチャートである。以下、図２１を用いて実施の形態１で述べた「Ｕｎｉｃａｓｔ側メジャメント」について更に具体的に説明する。ステップＳＴ１７５３にて移動端末は、図１９のステップＳＴ１７２９で受信したＤＲＸ情報を用いて、ＭＢＭＳサービスのＤＲＸ期間開始タイミングが到来したか判断する。具体例としては、ステップＳＴ１７２９にて受信するパラメータ例のＤＲＸ周期、スターティングポイント値（ＤＲＸ）を用いてＤＲＸ期間が始まる先頭のＳＦＮ番号を求め、ＢＣＣＨ（報知制御チャネル）などにマッピングされるＳＦＮを基にＤＲＸ期間開始タイミングであるか否かを判断する。具体的な計算例は，ＳＦＮ＝ＤＲＸ周期×α＋スターティングポイント値（ＤＲＸ）  α：正の整数となる。開始タイミングでなかった場合、ステップＳＴ１７７２に移行する。開始タイミングであった場合、ステップＳＴ１７５４へ移行する。ステップＳＴ１７５４にて移動端末は、ステップＳＴ１７０５にて受信したＭＢＭＳ／ユニキャスト混合セルにおけるメジャメント周期であるか否かを判断する。メジャメント周期でなかった場合、ステップＳＴ１７７２に移行する。メジャメント周期であった場合、ステップＳＴ１７５５へ移行する。ステップＳＴ１７５５にて移動端末は、周波数変換部１１０７（シンセサイザ）の設定周波数を変更し、中心周波数をｆ（Ｕｎｉｃａｓｔ）へ変更することによりＭＢＭＳ／ユニキャスト混合セルの下り信号を受信するようにする。ステップＳＴ１７５６にて移動端末は、ユニキャスト側（ユニキャストセルまたは／かつＭＢＭＳ／ユニキャスト混合セル）のメジャメントを実行する。実際に移動端末が測定する値としては、サービングセルと周辺セルのＲＳＲＰ、ＲＳＳＩなどが考えられる。周辺セルの情報は、周辺セル情報（リスト）としてサービングセルから報知される場合もある。
【００９３】
ステップＳＴ１７５７にて移動端末は、ステップＳＴ１７５６にて測定した結果、サービングセルの再選択（cell re-selection）が必要か否か判断する。判断の具体例としては、周辺セルの中の１つのセルの測定結果が、サービングセルの測定結果を上回った場合などが考えられる。再選択が必要ない場合、ステップＳＴ１７７１へ移行する。再選択が必要な場合、ステップＳＴ１７５８、１７５９が実行される。ステップ１７５８にて新しくサービングセルとして選択する基地局（新しいサービングセル:New serving cell）は、ステップＳＴ１７０５同様、ＢＣＣＨ（報知制御チャネル）にてメジャメント周期、間欠受信周期、トラッキングエリア情報（ＴＡ情報）を傘下の移動端末に対して報知する。ステップＳＴ１７５９にて移動端末は、移動端末は新しいサービングセルからのＢＣＣＨを受信しデコードすることによりメジャメント周期、間欠受信周期、ＴＡ情報を受信する。ステップＳＴ１７６１〜ステップＳＴ１７７０までの説明は、ステップＳＴ１７１０〜ステップＳＴ１７１９までの説明と同様であるために省略する。ステップＳＴ１７７１にて移動端末は、周波数変換部１１０７の設定周波数を変更し、中心周波数をｆ（ＭＢＭＳ）へ変更することによりＭＢＭＳ送信専用の周波数レイヤへ移動する。
【００９４】
ステップＳＴ１７５３〜ステップＳＴ１７７１までの「Ｕｎｉｃａｓｔ側メジャメント」処理により、移動端末は、ＭＢＭＳ送信専用の周波数レイヤにてＭＢＭＳサービスを受信中であっても、ユニキャストセルまたは／かつＭＢＭＳ／ユニキャスト混合セルのメジャメントが可能となる。これによりＭＢＭＳ送信専用の周波数レイヤにてＭＢＭＳサービスを受信中の移動端末が、ユニキャストセルまたは／かつＭＢＭＳ／ユニキャスト混合セルにおいてのモビリティを確保することが可能になるという効果を奏する。これにより、上りリンクが存在しないＭＢＭＳ専用セルにおけるモビリティをＭＢＭＳ／ユニキャスト混合セル経由にて確保することが可能になるという効果を得ることができる。このため、ＭＢＭＳ送信専用の周波数レイヤでＭＢＭＳサービスを受信している移動端末においても、ページング信号を受信可能になるという効果を奏する。また、ＭＢＳＦＮ送信専用周波数レイヤにてサービスを受信中の移動端末においてもユニキャストセルまたはＭＢＭＳ／ユニキャスト混合セルとの測定を通じた下り同期確立をメジャメント周期により行う。これにより、本発明の第二の課題である、上りリンクが存在しないＭＢＭＳ送信専用の周波数レイヤにてページング信号を受信した移動端末が、ユニキャストセルまたはＭＢＭＳ／ユニキャスト混合セルにてページング信号に対する応答を送信する場合であっても、制御遅延少なく実現可能となる効果を得ることが出来る。
【００９５】
図２２は、ＭＢＭＳ受信時における間欠受信処理を示すフローチャートである、図２２は、図１７を用いて実施の形態１で述べた「ＭＢＭＳ受信時  間欠受信」について更に具体的に説明するものである。図２１のステップＳＴ１７７２にて移動端末は、ＭＣＣＨスケジューリング情報により、受信中のＭＢＳＦＮエリア番号のＭＣＣＨ受信タイミングであるか判断する。つまり、移動端末はステップＳＴ１７２５にて受信したＭＣＣＨ（マルチキャスト制御チャネル）のスケジューリングを用いて、ＭＣＣＨ受信タイミングであるか否か判断する。具体的には、ステップＳＴ１７２５にて受信するパラメータ例のＭＣＣＨ繰り返し期間、スターティングポイント値を用いてＭＣＣＨがマッピングされる先頭のＳＦＮ番号を求め、ＢＣＣＨなどにマッピングされるＳＦＮを基にＭＣＣＨがマッピングされる先頭であるか否かを判断することにより、ＭＣＣＨがマッピングされる先頭のＳＦＮ番号であるか否かを判断する。ＭＣＣＨがマッピングされる先頭のタイミングでなかった場合、ステップＳＴ１７５３へ移行する。ＭＣＣＨがマッピングされる先頭のタイミングであった場合、ステップＳＴ１７７３へ移行する。またステップＳＴ１７７２は、例えば図２６であればＭＣＣＨ  Ｒｅｐｅｔｉｔｉｏｎ  Ｐｅｒｉｏｄ１ごとに判断するとしても良い。
【００９６】
ここで、ステップＳＴ１７７２にてＭＣＣＨの受信タイミング（ＭＣＣＨがマッピングされている先頭のＳＦＮ番号）とＭＢＭＳ受信時の間欠受信周期が別々であっても構わない。別々にすることにより、ＭＢＭＳ受信時の間欠受信周期の設定をネットワークの状況などに応じて「長く」「短く」することが可能となり、より自由度の高い移動体通信システムを構築することが可能となる。ＭＢＭＳ受信時の間欠受信周期は、ステップＳＴ１７０７にてサービングセルからＢＣＣＨにマッピングされて移動端末へ通知されてもよいし、ステップＳＴ１７２３にてＭＢＭＳ専用セルからＢＣＣＨにマッピングされて移動端末へ通知されてもよい。また、ステップＳＴ１７２８にてＭＢＭＳ専用セルからＭＣＣＨにマッピングされて移動端末へ通知されてもよい。具体的には、ステップＳＴ１７７２にてＭＢＭＳ受信時の間欠受信タイミングであるか否かを判断し、間欠受信タイミングであれば、ステップ１７８４へ移行する。間欠受信タイミングでなければ、ＭＣＣＨの受信タイミングであるか否かを判断し、ＭＣＣＨの受信タイミングであれば、ステップＳＴ１７８８へ移行する。ＭＣＣＨの受信タイミングでなければ、図２１のステップＳＴ１７５３へ移行する。
【００９７】
ステップＳＴ１７７３にて、当該移動端末へページングが発生すると、ステップＳＴ１７７４にてＭＭＥはページングのあて先となる移動端末の識別子（UE-ID,IMSI,S-TMSIなど）を基に当該移動端末のトラッキングエリア(TA)リストを確認する。ステップＳＴ１７７５にてＭＭＥは、当該移動端末のトラッキングエリアリスト中にＴＡ（ＭＢＭＳ）が含まれているか否か判断する。具体例としては、図３１（ａ）のようなリストにてＵＥ−ＩＤを基に当該移動端末のトラッキングエリアリストを検索する。当該移動端末が図３１（ａ）のＵＥ＃１（UE-ID#1）であった場合にはＴＡ（ＭＢＭＳ）は含まれないと判断する。一方当該移動端末が図３１（ａ）のＵＥ＃２（ＵＥ−ＩＤ＃２）であった場合には、ＴＡ（ＭＢＭＳ）＃１が含まれているので、ＴＡ（ＭＢＭＳ）は含まれると判断する。ＴＡ（ＭＢＭＳ）が含まれていない場合、ステップＳＴ１８１４へ移行する。ＴＡ（ＭＢＭＳ）が含まれていた場合、ステップＳＴ１７７６へ移行する。ステップＳＴ１７７６にてＭＭＥはＭＣＥに対してページングリクエスト（Paging Request）を送信する。つまり、図１０のＭＭＥ１０３はＭＣＥ８０１に対してＭＭＥ−ＭＣＥ間インタフェースを用いてページングリクエストを送信する。ＭＭＥからページングリクエストを送信するＭＣＥとしては、ＭＭＥが管理する基地局と地理的に重なっている基地局を管理する全ＭＣＥが考えられる。
【００９８】
ページングリクエスト中のパラメータの具体例としては、移動端末の識別子（UE-ID,IMSI,S-TMSIなど）、ＴＡ（ＭＢＭＳ）ナンバーなどが考えられる。この時、ＴＡ（ＭＢＭＳ）ナンバーの代わりにｆ（ＭＢＭＳ）かつＭＢＳＦＮエリアＩＤの両方、あるいはＭＢＳＦＮエリアＩＤのみとしても良い。ステップＳＴ１７７７にてＭＣＥはページングリクエストを受信する。ステップＳＴ１７７８にてページングリクエストを受信したＭＣＥのうち、ページングリクエスト中のパラメータとして通知された、ＴＡ（ＭＢＭＳ）ナンバーと関連付けられたＭＢＳＦＮエリアＩＤを制御しているＭＣＥは、ページング送信準備を行う。一方、ＴＡ（ＭＢＭＳ）ナンバーと関連付けられたＭＢＳＦＮエリアＩＤを制御していないＭＣＥはページング送信準備を行わない。ページング送信準備の具体例としては、自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる（Ｐａｇｉｎｇグループ＝ＩＭＳＩ  ｍｏｄ  ＫＭＢＭＳ）。上記のように、ページングリクエストを受信したＭＣＥ側で、ＴＡ（ＭＢＭＳ）ナンバー（ＭＢＳＦＮエリア）とＭＣＥの対応付けを管理する方法は、ＭＢＳＦＮエリアＩＤとそれを制御するＭＣＥとの関係をＭＢＭＳサービスのアーキテクチャ内のみで行えるため、つまりＭＭＥと無関係に行えるため、自由度の高い移動体通信システムを構築することが可能になるという効果を得ることが出来る。
【００９９】
またＭＭＥが図３１（ｃ）に示すように、ＴＡ（ＭＢＭＳ）ナンバーと関係するＭＢＳＦＮエリアＩＤを管理し、更には図３１（ｄ）に示すように、ＭＢＳＦＮエリアＩＤとそれを制御するＭＣＥの番号を管理する場合を考える。その場合、ステップＳＴ１７７６にてＭＭＥは、ＴＡ（ＭＢＭＳ）ナンバーと関係するＭＢＳＦＮエリアＩＤを管理するＭＣＥのみにページングリクエストを送信する。その時のページングリクエスト中のパラメータの具体例としては、移動端末の識別子などが考えられる。ステップＳＴ１７７８にてページングリクエストを受信したＭＣＥは、上記同様ページング送信準備を行う。上記のように、ＭＭＥ内でＭＢＳＦＮエリアＩＤとそれを制御するＭＣＥとの関係を管理する方法（図３１（ｄ））は、ＭＭＥからページングリクエストを通知するＭＣＥの数が少なくなるためリソースの有効活用が可能となる効果を得られる。また通知する情報量が少なくなるためにリソースの有効活用が可能となる効果を得られる。
【０１００】
またＭＭＥが図３１（ｃ）に示すように、ＴＡ（ＭＢＭＳ）ナンバーと関係するＭＢＳＦＮエリアＩＤを管理し、更に図３１（ｅ）に示すように、ＭＢＳＦＮエリアＩＤとＭＢＳＦＮエリアＩＤに含まれるＭＢＭＳ専用セルまたは／かつＭＢＭＳ／ユニキャスト混合セルのセルＩＤを管理する場合を考える。その場合、ステップＳＴ１７７６にてＭＭＥは、ＭＣＥではなくＭＭＥが管理するＭＢＳＦＮエリアＩＤに含まれるセルに対して、ページングリクエストを送信する。その時のページングリクエスト中のパラメータの具体例としては、移動端末の識別子などが考えられる。上記のように、ＭＭＥ内でＭＢＳＦＮエリアＩＤとＭＢＳＦＮエリアＩＤに含まれるセルの関係を管理する方法（図３１（ｅ））は、ＭＣＥにて移動端末のページング信号送信に関する処理を行わなくてもよくなる。このことは、ＭＣＥへの機能追加を行わなくても良くなるのでＭＣＥの複雑性を回避できるという効果を得ることができる。またＭＣＥの処理負荷の低減を図れるという効果を得ることが出来る。
【０１０１】
図３２は、ＭＢＭＳ送信専用周波数レイヤにおけるページング信号をマッピングするチャネル構成例を説明する説明図である。図３２（ａ）はＰＭＣＨ（Physical multicast channel）上にＭＢＭＳ関連情報とページング信号を含む構成を示す図である。ＭＢＭＳ関連の情報はＭＢＭＳ用のロジカルチャネルＭＴＣＨ、ＭＣＣＨ上にのる。ＭＢＭＳ関連の情報とページング信号は、各々がＭＴＣＨ、ＭＣＣＨ内の情報要素として存在しても良いし、各々がマッピングされる物理領域(リソース)が時間的に分割多重されても良い。あるＭＢＳＦＮエリア内の全てのセルは、該ＭＢＳＦＮエリアに対応するＰＭＣＨにおいて、ＭＢＳＦＮエリア内でＭＣＣＨを周期的にマルチセル送信する。一方、該ＭＢＳＦＮエリア内セルからマルチセル送信されるＭＢＭＳサービスを受信している、あるいはしようとしている移動端末は、該ＭＣＣＨを定期的に受信し、ＭＢＭＳサービスの内容やフレーム構成等を受信することによって、ＭＢＭＳサービスを受信可能とする。
【０１０２】
ページング信号を該ＭＣＣＨに含ませることによって、ＭＢＭＳサービスを受信している、あるいはしようとしている移動端末がＭＣＣＨを受信する際にページング情報を受信可能とすることができる。これにより、移動端末はＭＣＣＨを受信する以外のタイミングで別途ページングを受信する必要がなくなるため、ＭＢＭＳサービスの受信を中断することなくページングを受信可能となる。また、ＭＣＣＨを受信していない時間、ＭＢＭＳサービスの受信を行っていない持間はＤＲＸ動作（受信動作をストップ）することができ、移動端末の消費電力の削減が図ることができる。また、ＭＣＣＨとページング信号がのるＰＣＣＨが同じＭＢＳＦＮサブフレームに構成されるようにしても良いし、ＭＣＣＨの乗るＭＢＳＦＮサブフレームとページング信号ののるＭＢＳＦＮサブフレームを時間的に隣接するようにしておいても良い。このような構成にすることで、ＭＢＭＳサービスを受信している、あるいはしようとしている移動端末がＭＣＣＨを受信する際にページング信号を連続して受信可能とすることができる。これにより、移動端末はＭＣＣＨおよびページング信号ののる連続したＭＢＳＦＮサブフレームを受信する以外のタイミングでページングのための受信をする必要が無くなるため、ＭＢＭＳサービスの受信を中断することなくページング信号を受信可能となる。また、ＭＣＣＨおよびページング信号を受信していない時間、ＭＢＭＳサービスの受信を行っていない持間はＤＲＸ動作することができ、移動端末の消費電力の削減が図れる。
【０１０３】
図３２（ｂ）に、ＭＢＭＳ制御情報が変更されたかどうかを示すインジケータ、ページング信号が送信されたかどうかを示すインジケータを設けた構成を開示する。ＭＢＭＳ制御情報が変更されたかどうかを示すインジケータをＭＢＭＳ関連情報の変更有無インジケータとし、ページング信号が送信されたかどうかを示すインジケータをページング信号有無インジケータとする。インジケータがマッピングされる物理領域はＰＭＣＨが送信されるＭＢＳＦＮサブフレームに設けられても良いし、また、ＰＭＣＨが送信されるＭＢＳＦＮサブフレームと時間的に隣接する物理領域に設けられても良い。こうすることにより、移動端末はインジケータ受信後ただちにＰＭＣＨにのるＭＣＣＨやページング信号を受信しデコード可能となる。具体的には、例えば、インジケータとして１ビット(bit)の情報とする。各インジケータはＭＢＳＦＮエリア固有の拡散コード等が乗じられ、あらかじめ決められた物理領域にマッピングされる。別の方法として例えば、各インジケータはＭＢＳＦＮエリア固有のシーケンスからなり、予め決められた物理領域にマッピングされても良い。移動端末に着信がかかった場合、例えばページング信号有無インジケータを“1”にセットし、着信がない場合はページング信号有無インジケータを“0”にセットする。また、例えば、ＭＢＳＦＮエリア内で送信されるＭＢＭＳサービスの内容が変更されるなどしてＭＣＣＨにのるＭＢＭＳ制御情報が変更された場合、例えばＭＢＭＳ関連情報の変更有無インジケータを“1”にセットする。１回以上のＭＢＭＳ制御情報とＭＢＭＳ関連情報変更有無インジケータを含むＭＢＭＳ関連情報の変更が可能な周期(MBMS modification periodとする)を決めておき、該周期内でＭＢＭＳ関連情報変更有無インジケータ“1”を繰り返し送信する。MBMS modification period、スタートタイミング(SFN,スターティングポイント)、等はあらかじめ決められていても良いし、ユニキャストサービスでのサービングセルから、もしくはＭＢＭＳ専用セルから報知情報で通知されても良い。該ＭＢＭＳ変更期間分経過した後に更にＭＢＭＳ関連情報の変更が無い場合は、例えばＭＢＭＳ関連情報の変更有無インジケータを“0”にセットする。移動端末は、所望のＭＢＳＦＮエリアのＭＣＣＨ内のインジケータを受信し逆拡散等を行い、インジケータが１か０かを判定することで、ＭＣＣＨ内に存在するＭＢＭＳ関連の情報に変更が生じたかどうかや、ページング信号が存在するかどうかを判断することが可能となる。
【０１０４】
このようにインジケータを設けることで、ＭＢＭＳ制御情報に変更が生じ無い場合や、ページング信号が存在しない場合は、移動端末はＰＭＣＨ全部の情報を受信または／かつデコードする必要が無くなる。このため、移動端末の受信電力の削減を図ることが可能となる。ＭＢＭＳ関連情報の変更が可能な周期を決めておき、該１周期期間内で１回以上の同じＭＢＭＳ制御情報が送信されるようにしておくことで、移動端末は同じＭＢＭＳ制御情報を１回以上受信することが可能となるため、ＭＢＭＳ制御情報の受信誤り率を低下させることができ、従って、ＭＢＭＳサービスの受信品質を向上することが可能となる。ＭＢＭＳ制御情報が変更されたかどうかを示すＭＢＭＳ関連情報変更有無インジケータをマッピングする物理領域を、ＭＢＭＳ制御情報がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ＭＢＭＳ制御情報に変更が生じたかどうかを判断することが可能となる。
【０１０５】
また、ページング信号が存在するかどうかを示すページング信号有無インジケータをマッピングする物理領域を、ページング信号がマッピングされるひとつまたは複数のＭＢＳＦＮサブフレームの最初のＭＢＳＦＮサブフレームとしても良い。さらに、該最初のＭＢＳＦＮサブフレームの先頭のＯＦＤＭシンボルとしても良い。これにより、移動端末は、最初のＯＦＤＭシンボルを受信することで、ページング信号が存在するかどうかを判断することが可能となる。各インジケータを上記のような物理領域にマッピングすることで、MBMS制御信号変更無しの場合、ページング情報が存在しない場合、各々その後のＯＦＤＭシンボルを受信または／かつデコードする必要が無くなり、さらなる移動端末の受信電力の削減をはかることが可能となる。また、最初のＭＢＳＦＮサブフレームや先頭のＯＦＤＭシンボルで早期に判断できるので、ＭＢＭＳ制御情報をただちに受信することができたり、または、ページング信号をただちに受信することができたりするため、移動端末での制御遅延を低減することが可能となる。
【０１０６】
インジケータとして，MBMS関連情報の変更有無インジケータとページング信号有無インジケータを同じ物理領域にマッピングしても良いし、各々異なる物理領域にマッピングしても良い。同じ物理領域にマッピングする場合は、各インジケータのオア(or)演算をとれば良い。これにより移動端末は受信するインジケータがひとつですむため、受信回路構成を間単にできる効果が得られる．各々異なる物理領域にマッピングする場合は、移動端末は、必要なインジケータのみ受信しておけば良く、他のインジケータを受信する必要はなくなる。したがって、移動端末の受信電力のさらなる削減や、必要な情報の受信遅延のさらなる低減が図れる。例えば、ＭＢＭＳサービスを受信しているが、ページング信号を受信しないように設定している移動端末では、ＭＢＭＳ関連情報の変更有無インジケータのみ受信すればよく、ページング信号有無インジケータを受信する必要をなくすことができる。また、ＭＢＭＳ関連情報の変更有無インジケータとページング信号有無インジケータが異なる物理領域にマッピングされると、ステップＳＴ１７７２にてＭＣＣＨの受信タイミング（ＭＣＣＨがマッピングされている先頭のＳＦＮ番号）あるいはＭＢＭＳ関連変更有無インジケータ繰り返し周期とページング信号有無インジケータ繰り返し周期が別々の値に設定された場合、ＭＣＣＨの受信タイミングあるいは、ＭＢＭＳ関連変更有無インジケータ繰り返し期間ではＭＢＭＳ関連情報の変更有無インジケータのみを受信または／かつデコードし、ページング信号有無インジケータ繰り返し周期ではページング信号有無インジケータのみ受信または／かつデコードすることが可能となる。これにより、移動端末の処理時間が短くなり、低消費電力化が可能になるという効果を得ることができる。
【０１０７】
各々のインジケータの繰返し周期は同じでも良いし、異なっていても良い。各々のインジケータの繰返し周期はＭＣＣＨの繰返し周期と同じでも良いし、異なっていても良い。例えばＭＢＭＳ関連情報の変更有無インジケータの繰返し周期をＭＣＣＨの繰返し周期（MCCH Repetition Period）と同じにし、ページング信号有無インジケータの繰返し周期をＭＣＣＨの繰返し周期のｎ倍（ｎは2以上の整数）にする。こうすることで、ＭＢＭＳ受信時の間欠受信周期の設定をネットワークの状況などに応じて「長く」「短く」することが可能となり、より自由度の高い移動体通信システムを構築することが可能となる。インジケータの繰返し周期は、各々、ページング信号有無インジケータ繰返し周期（Repetition period）、ＭＢＭＳ関連変更有無インジケータ繰返し周期（Repetition period）とする。インジケータの存在するＭＢＳＦＮサブフレームのスタートタイミング(SFN,スターティングポイント)、サブフレームナンバ、各々のインジケータの繰り返し周期等はユニキャストサービスのサービングセルの報知情報で通知されても良いし、ＭＢＭＳ専用セルの報知情報で通知されても良いし、あらかじめ決められていても良い。この場合、移動端末はステップＳＴ１７７２、あるいはステップＳＴ１７８８、あるいはステップＳＴ１７８９をMBMS関連変更有無インジケータ繰返し周期ごとに行う。ＭＢＭＳ関連情報の変更有無インジケータ専用のチャネルを、例えばＭＩＣＨ(MBMS Indicating CHannel)としても良く、さらには、ＭＩＣＨ内にページング信号有無インジケータを構成するようにしても良い。ＭＩＣＨの繰り返し周期を「ＭＩＣＨ繰返し周期」（MICH Repitition period）とする。ページング信号有無インジケータの繰返し周期はＭＩＣＨの繰返し周期と同じでも良いし異なっていても良い。インジケータの通知に関しては先に記載した同様の方法で行うことができる。この場合、移動端末はステップＳＴ１７７２、あるいはステップＳＴ１７８４をページング信号有無インジケータ繰返し周期ごとに行う。これにより、各々のインジケータが送信される時間がＭＣＣＨが送信される時間に限定されず、システムにおいて柔軟に設計することが可能となる。
【０１０８】
ページング信号をＰＭＣＨに含める場合、着信がかかった移動端末の数が膨大になった場合、自移動端末の宛てのページング信号を検出するのに時間がかかりすぎてしまうという問題が生じる。また、ページング信号ののる所定の物理領域に、着信がかかった全ての移動端末のページング信号をマッピングする領域が確保できないという問題が生じる。これらの問題を解決するため、ページンググループ化する方法を開示する。図３２（ｃ)に、ページンググループ化の方法について示す。全移動端末をＫ個のグループに分け、各グループ毎にページング信号有無インジケータを設ける。ＭＣＣＨ内のページング信号有無インジケータ用の物理領域をＫ個に分割し、分割した各々の物理領域に各グループのページング信号有無インジケータをマッピングする。ここで、Ｋは１から全移動端末数の値までをとりうる。ある移動端末に着信がかかった場合、該移動端末が属するグループのページング信号有無インジケータを“1”にセットする。あるグループに属する全ての移動端末に着信がない場合は該グループのページング信号有無インジケータを“0”にセットする。ページング信号有無インジケータは移動端末での所望の受信誤り率を満足するためにリピテーション等が行われても良い。ページング信号をマッピングする物理領域もK個に分割し、上記Ｋ個のグループに対応するようにしておく。ページング信号として、移動端末毎の識別子（識別番号、識別コード）であっても良い。Ｋ個に分割されたひとつの物理領域は、移動端末１台が必要とするページング信号データが収まる物理領域を、グループ内の移動端末数分加算した物理領域とする。グループ内の移動端末数はグループ全てで同じであっても良いし、グループ毎に異なっていても良い。
【０１０９】
グループ内の移動端末数は、例えば、同時に着信が発生する移動端末数の平均値とする方法がある。また、全周波数帯域のひとつのＯＦＤＭシンボルに割り当て可能な移動端末台数とし、各ＯＦＤＭシンボルを各グループに対応させる方法としても良い。ある移動端末に着信がかかった場合、該移動端末が属するグループのページング信号有無インジケータを“1”にセットし、該グループに対応したページング信号有無インジケータ用物理領域にマッピングする。それとともに、着信がかかった移動端末向けのページング信号を、該移動端末が属するグループに対応するページング信号の物理領域にマッピングする。ページング信号の物理領域へのマッピングは、移動端末毎に該移動端末固有の識別コードを乗じる方法とする。ページング信号が移動端末毎の識別子であってもよく、この場合は上記移動端末固有の識別コードを乗じる制御を省略できる。移動端末は、自移動端末が属するグループのページング信号有無インジケータを受信することで、自移動端末が属するグループに着信がかかっているかどうか判定する。着信がかかっていると判定した場合、自移動端末が属するグループに対応づけられたページング信号がマッピングされる物理領域を受信しデコードする。デコード後、移動端末固有の識別コードとの相関演算を行うことによりブラインドディテクションを行い、自移動端末向けのページング信号を特定することで、自移動端末への着信有りと判定することが可能となる。自移動端末向けのページング信号を検出しなかった場合は、自移動端末への着信なしと判定する。
【０１１０】
移動端末をＫ個のグループにグルーピングすることで、移動端末は、ページング信号用領域全てを受信する必要が無くなり、必要な領域のみ、すなわち自移動端末が属するグループが対応する物理領域のみ受信すればよくなるため、移動端末でのページング信号検出時間の短縮が図れ、さらには自移動端末が属さないグループの対応する物理領域を受信する必要がなくなるため移動端末の受信電力の削減が図れる。さらには、グループ毎に対応したページング信号有無インジケータを用いることで、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。
【０１１１】
上記実施の形態では、ページング信号をマッピングする、Ｋ個に分割されたひとつの物理領域は、移動端末１台が必要とするページング信号データが収まる物理領域を、グループ内の移動端末数分加算した物理領域としていた。しかし、移動端末数が多大になると、必要とする物理領域が多大になり、ＭＢＭＳサービスを送信するためのオーバーヘッドが多大になるためＭＢＭＳサービスデータの送信速度が低下する。これを防ぐため、移動端末向けのページング信号に移動端末毎に該移動端末固有の識別コードを乗じる。これにより、移動端末は自移動端末宛ての情報かどうかを該移動端末固有の識別コードを用いてブラインド検出（Blind Detection）することが可能となるため、各移動端末毎のページング信号をマッピングする物理領域をあらかじめ固定しておく必要がなくなる。したがって、全移動端末分のページング信号用の物理領域を必要とせず、実際に着信が生じると予測される移動端末数分の領域さえあれば良い。例として、グループ内の移動端末数を、同時に着信が発生する移動端末数の平均値とする方法がある。この方法により、限られた物理リソースを有効に利用することが可能となる。また、上記の方法とすることで、たとえ予測以上に着信する移動端末数が多くなった場合でも、新しい着信の移動端末へのページング信号を次のＰＭＣＨ上で送信することが可能となる等、基地局でのスケジューリングにより柔軟に対応することが可能となる。
【０１１２】
全移動端末数が少ない場合、Ｋの値を全移動端末数として、ページング信号有無インジケータのみ送信しても良い。この場合、ページング関連の物理領域を確保する必要が無く、ページング信号有無インジケータ用の物理領域を全移動端末数分確保しておけばよい。このため、無線リソースの効率化が図れる。また、この場合、移動端末毎に対応するページング信号有無インジケータ用の物理領域が存在することになる。このため、移動端末においては、自移動端末に対応したページング信号有無インジケータ用の物理領域を受信してデコードするだけで、ページング信号用領域を受信せずに、着信の有無が判定でき、移動端末のページング動作での制御遅延が低減できる。
【０１１３】
図３３に、ページング信号をＰＭＣＨ上のページング信号ののる物理領域にマッピングする方法の一例を示す。ページンググループｎに属する移動端末のうち、着信がかかっている移動端末のn1、n2等に対してページング信号を、該グループnに対する物理領域にマッピングする。基地局は、各々の移動端末のページング信号に該移動端末固有の識別コード(番号、シーケンス)を乗じ、ＣＲＣ付加を行い、エンコード、レートマッチング等の処理を行う。ページング信号が移動端末毎の識別子である場合は上記移動端末固有の識別コードを乗じる制御を省略できる。これら一連の処理を行った結果を、マッピングする物理領域の大きさに対応した情報要素単位に割当て、着信がかかっている各々の移動端末分連結する。連結した結果を、ＭＢＳＦＮエリア固有のスクランブリングコードによるスクランブリング処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“1”をセットし、ページング信号有無インジケータのページンググループnの物理領域にマッピングする。ページンググループnに対応する物理領域は、あらかじめ決められていても良いし、報知情報としてユニキャスト側サービングセルもしくはＭＢＭＳ専用セルから通知されても良い。移動端末では、自移動端末が属するページンググループのページング信号有無インジケータを受信し、“1”であれば、該ページンググループに対応するページング信号用物理領域を受信する。ページング信号用物理領域を受信し、復調、ＭＢＳＦＮエリア固有のスクランブリングコードによるデスクランブリングを行い、その結果を情報要素単位に分割する。分割した情報要素単位毎にデコード等の処理を行い、自移動端末固有の識別番号により相関演算を行うことによって、自移動端末向けのページング信号をブラインドディテクションする。ある閾値より相関演算結果が大きい場合は自移動端末向けのページングが有ると判定し、ページング信号によりページング着信動作に入る。ある閾値以下の場合は自端末向けのページングは無しと判定し、ＭＢＭＳ関連情報の受信に移行する、またはＭＢＭＳ関連情報の受信の必要がなければＤＲＸ動作に移行する。自移動端末がどのグループに属するかは、あらかじめ決められた計算方法によって導出されても良いし、上位レイヤから、報知情報としてユニキャストサービスのサービングセルもしくはＭＢＭＳ専用セルから通知されても良い。
【０１１４】
図３４に、ページング信号をＰＭＣＨ上のページング信号ののる物理領域にマッピングする方法の別の例を示す。ページンググループｎに属する移動端末のうち、着信がかかっている移動端末のn1、n2等に対してページング信号を、該グループｎに対する物理領域にマッピングする。基地局は、各々の移動端末のページング信号にＣＲＣ（Cyclic Redundancy Check）付加を行い、エンコード、レートマッチング等の処理を行う。それら処理を行った結果に、該移動端末固有の識別コード(番号)を乗じる。該移動端末固有の識別コードを直交性を有す拡散コードとして、移動端末間で直交性が得られるようにする。基地局は、該拡散コードを乗じた結果を、着信がかかっている各々の移動端末分多重する。多重した結果を、ＭＢＳＦＮエリア固有のスクランブリングコードによるスクランブリング処理、変調処理等を行う。変調処理は、ＭＢＳＦＮエリア固有であっても良い。これらの処理を行った結果をページンググループｎに対応する物理領域へマッピングする。この際、基地局は、ページンググループｎのページング信号有無インジケータに“1”をセットし、ページング信号有無インジケータのページンググループnの物理領域にマッピングする。ページンググループｎに対応する物理領域は、あらかじめ決められていても良いし、報知情報としてユニキャスト側サービングセルもしくはＭＢＭＳ専用セルから通知されても良い。
【０１１５】
移動端末では、自移動端末が属するページンググループのページング信号有無インジケータを受信し、“1”であれば、該ページンググループに対応するページング信号用物理領域を受信する。ページング信号用物理領域を受信し、復調、ＭＢＳＦＮエリア固有のスクランブリングコードによるデスクランブリングを行う。その結果を自移動端末固有の識別番号により相関演算を行うことによって、自移動端末向けのページング信号をブラインド検出する。ある閾値より相関演算結果が大きい場合は自移動端末向けのページングが有ると判定し、デコードを行った後のページング信号によりページング着信動作に入る。ある閾値以下の場合は自端末向けのページングはなしと判定し、ＭＢＭＳ関連情報の受信に移行する、またはＭＢＭＳ関連情報の受信の必要がなければＤＲＸ動作に移行する。自移動端末がどのグループに属するかは、あらかじめ決められた計算方法によって導出されても良いし、上位レイヤから、報知情報としてユニキャストサービスのサービングセルもしくはMBMS専用セルから通知されても良い。なお、図３３、図３４で記載したページング信号は、ページング信号のマッピングされたトランスポートチャネルとしても良い。これは以降の実施例においても適用できる。移動端末がページング受信時に必要となるページング関連の情報であるページング信号ののった情報であれば良い。
【０１１６】
ページング信号をPMCHのページング信号ののる領域にマッピングするいくつかの方法を開示したが、該ページング信号ののる領域へのマッピングは、任意のあらかじめ決められた領域でも良いし、ローカライズド(周波数軸上で連続する物理領域)にマッピングしても良いし、ディストリビューテッド(周波数軸上で分散する物理領域)にマッピングしても良い。
【０１１７】
上記の例ではページング信号に移動端末固有の識別番号や拡散コードを乗じる構成とした。このような構成とすることで、ページング信号の情報量が各移動端末で同じ場合、エンコード、レートマッチング等の処理を各移動端末間で同じにすることで、割当てる情報要素単位の領域の大きさを同じにすることが可能となる。従って、移動端末においてブラインド検出する情報要素単位の領域の大きさがひとつに限られるため、ブラインド検出の回数が削減でき、検出時間の短縮も図れる。従って、移動端末の回路構成の削減、消費電力の削減、制御遅延の低減を図れる効果が得られる。
【０１１８】
上記のように、ページング信号に移動端末固有の識別番号や拡散コードを乗じ、ページンググループ毎にＰＭＣＨのページング信号ののる領域にマッピングすることで、移動端末は、ページング信号用領域全てを受信する必要がなくなり、必要な領域のみ、すなわち自移動端末が属するグループが対応する物理領域のみ受信すればよくなるため、移動端末でのページング信号検出時間の短縮が図れ、さらには時移動端末が属さないグループの対応する物理領域を受信する必要がなくなるため移動端末の受信電力の削減が図れる。さらには、グループ毎に対応したページング信号有無インジケータを用いることができ、多数の移動端末がある場合も少ない物理リソースでページング信号有無インジケータを設けることができる。さらには、移動端末は必要に応じてページング信号用領域を受信すればよく、移動端末の受信電力の削減が可能となるとともに、ページング信号を受信する必要がない場合はすぐに次の動作に移行できるため、制御遅延を小さくすることが可能となる。さらには、移動端末は自移動端末宛ての情報かどうかを該移動端末固有の識別コードや拡散コードを用いてブラインド検出することが可能となるため、各移動端末毎のページング信号をマッピングする物理領域をあらかじめ固定しておく必要がなくなり、全移動端末分のページング信号用の物理領域を必要とせず、実際に着信が生じると予測される移動端末数分の領域さえあれば良いため、限られた物理リソースを有効に利用することが可能となる。さらには、たとえ予測以上に着信する移動端末数が多くなった場合でも、新しい着信の移動端末へのページング信号を次のＭＣＣＨののるPMCH上で送信することが可能となる等、基地局でのスケジューリングにより柔軟に対応することが可能となる。
【０１１９】
上記の例では基地局においてページング信号に移動端末固有の識別番号を乗じることとした。しかし、ページング信号ではなくＣＲＣに移動端末固有の識別番号を乗じる方法を用いることも可能である。ＣＲＣに移動端末固有の識別番号を乗じる方法は、各移動端末のページング信号の情報量が異なる場合に有効である。上記で開示したＰＭＣＨ上にページング信号をのせる方法とすることで、移動体通信システムとして、ＭＢＭＳ専用セルからＭＢＭＳサービスを受信しているもしくは受信しようとしている全移動端末のページング信号を送信できるようになり、該移動端末がMBMS専用セルからページング信号を受信することを可能とする。
【０１２０】
以降、ＭＢＭＳ送信専用周波数レイヤにおけるページング信号をマッピングするチャネル構成については図３２（ｃ）、図３３を例にして説明する。ステップＳＴ１７７９にてＭＣＥは、当該移動端末のページング信号のスケジューリングを行う。具体的には、ステップＳＴ１７７８にて算出した当該移動端末のページンググループ番号に割り当てられた物理領域にマッピングされる情報要素の何番目に当該移動端末の識別子を割り当てるかを決定する。このスケジューリングをＭＣＥにて行うことによりＭＢＳＦＮエリア内に含まれる基地局の同じ物理リソースから当該移動端末の識別子が送信されることになる。これにより、移動端末はＭＢＳＦＮエリアにてマルチセル送信されているＰＭＣＨを受信することにより、ＳＦＮゲインの恩恵を受けたページング信号が受信可能となるという効果を得ることができる。ステップＳＴ１７８０にてＭＣＥはＭＢＳＦＮエリア内の基地局に対して当該移動端末に対するページングリクエストを送信する。ページングリクエストに含まれるパラメータの具体例としては、移動端末の識別子（UE-ID,IMSI,S-TMSIなど）、ステップＳＴ１７７９にて行ったページング信号のスケジューリング結果（具体的にはSFN、MBSFNサブフレームナンバ、情報要素ナンバ）などが考えられる。ステップＳＴ１７８１にてＭＢＳＦＮエリア内の各基地局はＭＣＥからのページングリクエストを受信する。
【０１２１】
図１０に示す、ＭＭＥ１０３とＭＣＥ８０１間にＭＭＥ―ＭＣＥ間ＩＦを設ける代わりに、ＭＭＥ１０３とＭＢＭＳ  ＧＷ８０２（更に詳しくは、ＭＢＭＳ  ＣＰ８０２−１）間にＭＭＥ−ＭＢＭＳ  ＧＷインタフェースを設けてもよい。そして、ステップＳＴ１７７６〜ステップＳＴ１７８０までのＭＣＥの処理内容をＭＢＭＳ  ＧＷで行うとしても本発明と同じ効果が得られる。
【０１２２】
ステップＳＴ１７８２にてＭＢＳＦＮエリア内の各基地局は当該移動端末ページンググループを算出する。算出方法の具体例としては、自基地局（自ＭＢＳＦＮエリア）のページンググループ数ＫＭＢＭＳと受信したページングリクエストを用いて当該移動端末のページンググループを算出する。算出の際には、移動端末側で用いた算出式と同じ式を用いる（ページンググループ＝ＩＭＳＩ  ｍｏｄ  ＫＭＢＭＳ）。ステップＳＴ１７８０にて当該移動端末のページンググループをも通知していれば、ステップＳＴ１７８２は省略可能である。これにより、ＭＢＳＦＮエリア内の各基地局の制御負荷の軽減等効果を得ることができる。一方ステップＳＴ１７８０にて当該移動端末のページンググループを通知せず、ステップＳＴ１７８２にてＭＢＳＦＮエリア内の各基地局にてページンググループを算出する方法においては、ＭＣＥからＭＢＳＦＮエリア内の各基地局に対する通知情報を軽減可能となり、リソースの有効活用という効果を得ることができる。ステップＳＴ１７８３にてＭＢＳＦＮエリア内の各基地局は、ステップＳＴ１７８１にて受信した当該移動端末の識別子、ページング信号のスケジューリング結果、ステップＳＴ１７８２にて算出した当該移動端末のページンググループなどを用いて、ページング信号をのせたＰＭＣＨの送信を行う。その際のＰＭＣＨ内のページング関連領域へのマッピング方法や、具体的な物理チャネルへのマッピング方法などは上記説明した方法を用いることが可能である。
【０１２３】
ステップＳＴ１７８４にて移動端末は、ＰＭＣＨ内の自移動端末のステップＳＴ１７３５にて算出したページンググループに対応したページング関連の変更有無インジケータを受信する。ステップＳＴ１７８５にて移動端末は、ページング関連の変更有無インジケータの変更の有無を判断する。変更無しの場合は、ステップＳＴ１７８８へ移行する。変更有りの場合は、ステップＳＴ１７８６へ移行する。ステップＳＴ１７８６にて移動端末は、つづけて自ページンググループのページング関連情報がマッピングされる物理領域を受信しデコードする。その際、移動端末固有の識別コードとの相関演算を行うことによりブラインド検出を行う。ステップＳＴ１７８７にて移動端末は、ステップＳＴ１７８６にて行ったブラインド検出において自移動端末の識別子を検出したか否か判断する。検出しなかった場合はステップＳＴ１７８８へ移行する。検出した場合はステップＳＴ１８１４へ移行する。上記ステップＳＴ１７７３〜ステップＳＴ１７８７までにて説明した内容は、実施の形態１で述べた「ＭＢＭＳ受信時間欠受信構成」の具体例である。これにより、本発明の第一の課題である、ＭＢＭＳ送信専用の周波数レイヤでＭＢＭＳサービスを受信している移動端末に対する、ページング信号の通知方法、及びそのための移動体通信システムを開示することができ、これにより、ＭＢＭＳ送信専用の周波数レイヤでＭＢＭＳサービスを受信している移動端末においても、ページング信号を受信可能になるという効果を奏する。
【０１２４】
次に、図１７を用いて実施の形態１で述べた「ＭＴＣＨ受信」について、図２２及び図２３を用いて更に具体的に説明する。ステップＳＴ１７８８にて移動端末は、当該ＭＢＳＦＮエリアでのＭＢＭＳサービスを連続受信中か否か判断する。連続受信中でない場合は、ステップＳＴ１７９２へ移行する。連続受信中である場合には、ステップＳＴ１７８９へ移行する。ステップＳＴ１７８９にて移動端末は、ＰＭＣＨ内のＭＢＭＳ関連の変更有無インジケータを受信する。ステップＳＴ１７９０にて移動端末は、ＭＢＭＳ関連の変更有無インジケータの変更の有無を判断する。変更無しの場合は、ステップＳＴ１７９１へ移行する。変更有りの場合は、ステップＳＴ１７９２へ移行する。ステップＳＴ１７９１にて移動端末は、本ＭＣＣＨの受信タイミングにおいてはＭＣＣＨの変更はないので、ＭＣＣＨ内のＭＢＭＳ関連の受信または／かつデコードを行わない。移動端末は、制御情報（ＭＣＣＨ）を更新せずにＭＴＣＨの受信、デコードを行う。ステップＳＴ１７９２にて移動端末は、ＭＣＣＨ内のＭＢＭＳ関連の受信、デコードを行い、制御情報を更新する。ステップＳＴ１７９３にて移動端末は、ステップＳＴ１７９２にて受信した制御情報に従ってＭＴＣＨの受信、デコードを行う。
【０１２５】
図２３のステップＳＴ１７９４にて移動端末は、受信中のＭＢＭＳサービスの受信品質を測定する。移動端末は当該ＭＢＳＦＮエリアの無線リソースにてレファレンスシグナル(RS)を受信し、受信電力を測定する(RSRP)。受信電力が静的あるいは準静的に決められた、閾値以上であるか否か判断する。前記閾値は、閾値以上であればＭＢＭＳサービスを受信するのに満足な感度であることを示し、閾値未満であればＭＢＭＳサービスを受信するのに満足な感度を満たしていないことを示す。閾値以上であればステップＳＴ１７９５へ移行し、閾値以下であればステップＳＴ１７９６へ移行する。またステップ１７９４にてレファレンスシグナルを受信し、受信電力を測定する代わりに、実際に当該ＭＢＳＦＮエリアのＭＢＭＳサービス（MTCHまたは/かつMCCH）を受信し、デコードを行うことも可能である。その場合、ユーザ自身がデコード後のデータを聞くあるいは見ることにより自分自身が許せる受信感度であるか否かを判断できる。許せる場合ステップＳＴ１７９５へ移行し、許せない場合ステップＳＴ１７９６へ移行する。許せる受信感度には、ユーザ毎に個人差があるので、よりユーザに適合した移動端末になるという効果を得ることが出来る。ステップＳＴ１７９５にて移動端末は、ユーザの意思を確認する。ユーザが受信中のＭＢＭＳサービスの受信を引き続き望んでいる場合には、ステップＳＴ１７５３へ移行する。ユーザが受信中のＭＢＭＳサービスの受信の終了を望んでいる場合には、ステップＳＴ１７９８へ移行する。ステップＳＴ１７９６にて移動端末は、同じ周波数内（ｆ（ＭＢＭＳ））にて受信可能な他のＭＢＭＳエリアが存在するか否か判断する。本ステップＳＴ１７９６は、覆いかぶさるＭＢＳＦＮエリアが存在する場合に特に有効である。存在する場合は、ステップＳＴ１７３０へ戻り処理を繰り返す。存在しない場合はステップＳＴ１７９７へ移行する。
【０１２６】
但し、その後ユーザ所望の、受信可能な他のＭＢＭＳエリアが見つからなければ、ステップＳＴ１７９８以降の「ＭＢＭＳ受信終了  Ａ」の処理を行う。これにより、ネットワーク側は、当該移動端末がＭＢＭＳ送信専用の周波数レイヤでのＭＢＭＳサービスの受信を終了する旨を知ることが出来る。よって、ネットワーク側がＭＢＭＳ送信専用の周波数レイヤにて当該移動端末へのページング信号を通知する構成を中止することが出来る。これにより、当該移動端末が受信することがない、ＭＢＭＳ送信専用の周波数レイヤからの当該移動端末へのページング信号を移動体通信システムとして中止することが可能となり、無線リソースの有効活用という効果を奏する。ステップ１７９７にて移動端末は、ステップＳＴ１７０８にて受信した受信可能なＭＢＳＦＮ同期エリアの周波数リストにて他の周波数が存在するか否か判断する。存在した場合は、ステップＳＴ１７２２へ戻り、新たな周波数（ｆ２（ＭＢＭＳ））へシンセサイザを切り替えて処理を繰り返す。存在しない場合は、ステップＳＴ１７９８へ移行する。
【０１２７】
次に、図２３を用いて実施の形態１で述べた「ＭＢＭＳ受信終了Ａ」について更に具体的に説明する。ステップＳＴ１７９８にて移動端末は、周波数変換部１１０７の設定周波数を変更し、中心周波数をｆ（unicast）へ変更することによりＭＢＭＳ／ユニキャスト混合セルへ移動する。ステップＳＴ１７９９〜ステップＳＴ１８０３の説明は、ステップＳＴ１７３７〜ステップＳＴ１７４１の説明と同様であるため省略する。ステップＳＴ１８０４にて移動端末は、ステップＳＴ１８０３にて受信したＵＬ（Uplink）アロケーションに従って「ＭＢＭＳ受信終了」をサービングセルへ送信する。「ＭＢＭＳ受信終了」に含まれるパラメータ例としては、移動端末の識別子（UE-ID,IMSI,S-TMSIなど）、ＭＢＭＳサービス受信を終了する周波数（ｆ（ＭＢＭＳ））、ＭＢＳＦＮエリア番号（ＩＤ）などがある。ステップＳＴ１８０５にてサービングセルは、移動端末からＭＢＭＳ受信終了を受信する。ステップＳＴ１８０５にてネットワーク側は、ＭＢＭＳ専用セルに上りリンクを追加することなく、当該移動端末がＭＢＭＳ送信専用の周波数レイヤにてＭＢＭＳサービスの受信を終了する旨を知ることが出来る。これにより、ネットワーク側がＭＢＭＳ受信時間欠受信構成から、通常のページング信号を通知する構成へ変更することが可能となる効果を奏する。ステップＳＴ１８０６にてサービングセルは、ＭＢＭＳ受信終了をＭＭＥへ送信する。ステップＳＴ１８０７にてＭＭＥは、ＭＢＭＳ受信終了をサービングセルより受信する。
【０１２８】
ステップＳＴ１８０８にてＭＭＥは、当該移動端末のＭＢＭＳ受信を終了するＴＡ（ＭＢＭＳ）を検索する。ＭＢＭＳ受信終了に含まれるパラメータとＴＡ（ＭＢＭＳ）の関係例は、ステップＳＴ１７４７と同様であるため説明を省略する。ステップＳＴ１８０９にて当該移動端末のトラッキングエリアリストよりステップＳＴ１８０８の検索の結果得られた、ＴＡ（ＭＢＭＳ）を削除する。ステップＳＴ１８１０にてＭＭＥは、サービングセル経由で伝達されたＭＢＭＳ受信終了を通知する信号を受信すると、応答信号であるＡｃｋをサービングセルへ送信する。この応答信号Ａｃｋに含まれるパラメータ例としては、当該移動端末のトラッキングエリアリストが考えられる。ステップＳＴ１８１１にてサービングセルはＭＭＥより送信された応答信号Ａｃｋを受信する。ステップＳＴ１８１２にてサービングセルは、受信した応答信号Ａｃｋを移動端末へ送信する。ステップＳＴ１８１３にて移動端末はサービングセル経由で伝達されたＭＭＥからの応答信号Ａｃｋを受信する。
【０１２９】
次に、実施の形態１で述べた「Ｕｎｉｃａｓｔ側  間欠受信」について、図２４を用いて更に具体的に説明する。ステップＳＴ１８１４にてＭＭＥは、ページングが発生した、当該移動端末の識別子（UE-ID,IMSI,S-TMSIなど）を基に、当該移動端末のトラッキングエリアリストを確認する。当該移動端末のトラッキングエリアリスト中にＴＡ（Ｕｎｉｃａｓｔ）を検索する。具体例としては、図３１（ａ）のようなリストにてＵＥ−ＩＤを基に当該移動端末のトラッキングエリアリストを検索する。当該移動端末が図３１（ａ）のＵＥ＃１であった場合にはＴＡ（Ｕｎｉｃａｓｔ）は＃１、＃２が含まれている。次にＭＭＥは、図３１（ｂ）のようなリストにてＴＡ（Ｕｎｉｃａｓｔ）に含まれている基地局の識別子（セルＩＤ）を検索する。当該移動端末が図３１（ａ）のＵＥ＃１であった場合には、当該移動端末のトラッキングエリアリストにふくまれるセルＩＤは、セルＩＤ１、２、３、４、５、２３、２４、２５となる。ＭＭＥは当該移動端末のトラッキングエリアリストに含まれる基地局（サービングセルも含まれる）にページングリクエストを送信する。ページングリクエスト中のパラメータの具体例としては、移動端末の識別子（UE-ID,IMSI,S-TMSIなど）などがある。ステップＳＴ１８１５にて当該移動端末のトラッキングエリアリスト（ＴＡ（Ｕｎｉｃａｓｔ））内に含まれる基地局（サービングセルも含まれる）はページングリクエストを受信する。
【０１３０】
ここで、本発明の第三の課題について説明する。ＭＢＭＳ／ユニキャスト混合セルにて待受け状態（Idle State）にある移動端末においても、ページングメッセージの通知方法の詳細は確立されていない。非特許文献１において、ＰＣＨがＰＤＳＣＨあるいは、ＰＤＣＣＨにマッピングされることが開示されている。また非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。一方、移動端末がどのようにページンググループに分けられ、ページンググループ毎にどのようにＰＣＨを通知されるのかの開示はない。また移動端末がどのように待ち受け状態にて間欠受信するかの開示もない。本発明では、ユニキャストまたは／かつ混合周波数レイヤにて待ち受け状態にある移動端末へのページング信号の通知方法の詳細、及びそのための移動体通信システムについて開示することを目的とする。
【０１３１】
そこで、ページング信号の通知方法の具体例について開示する。移動端末はページンググループに分けられる。従来の技術（W-CDMAシステム）では、ＰＣＨがマッピングされるＳ−ＣＣＰＣＨ（Secondary Common Control CHannel）の本数（チャネライゼーションコードの数）をグループ数としていた。しかし、ＬＴＥシステムは符号分割多重（CDM）方式ではないので、チャネライゼーションコード数という考え方は、適合できない。現在の３ＧＰＰにて非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。しかし、具体例の開示はない。ページンググループの算出式（ＩＭＳＩ  ｍｏｄ  ＫＵｎｉｃａｓｔ）のＫＵｎｉｃａｓｔとは、ＭＢＭＳ／ユニキャスト混合セルにおけるページンググループ数とする。Ｋの値の具体例としては、Ｌ１／Ｌ２シグナリングチャネル（ＰＤＣＣＨ）は、毎サブフレームにマッピングされる。サブフレームは１無線フレーム中１０個存在する。よってページンググループ数を１０個とする。つまり、ページンググループにより無線フレーム中のどのサブフレームに自分が属するグループのページング情報がマッピングされるかが分かる。次にどの無線フレームに自分が属するグループのページング情報がマッピングされるかであるが、これは従来の技術（Ｗ−ＣＤＭＡ）を踏襲することが出来る。具体的な算出式は「Ｐａｇｉｎｇ  Ｏｃｃａｓｉｏｎ＝（ＩＭＳＩ  ｄｉｖ  Ｋｕｎｉｃａｓｔ）ｍｏｄ（ユニキャスト／混合周波数レイヤにおける間欠受信周期）＋ｎ×（ユニキャスト／混合周波数レイヤにおける間欠受信周期）  ｎ：０、１、２・・・、ただし、Ｐａｇｉｎｇ  Ｏｃｃａｓｉｏｎ≦ＳＦＮの最大値」となる。ここでＳＦＮは０からＳＦＮの最大値までの整数である。
【０１３２】
次に現在の３ＧＰＰでは非特許文献１において、移動端末の明確な識別子（UE-ID）はＰＣＨ上で見つけることが出来ることが開示されている。しかし、具体例についての開示はない。ＰＣＨへの具体的なページング情報のマッピング方法の具体例としては、ＰＣＨは移動端末の識別情報で構成されている、あるいは移動端末の識別情報をかけることによって相関がとれるような構成となっている。ＰＣＨはＬ１／Ｌ２シグナリングチャネル上のＣＣＥ単位でマッピングされる。また、ＰＣＨには、次に移動端末が受信すべき制御チャネルの下り無線リソースの割当が含まれるものとする。これにより、再度の下り割当が不要となり、制御遅延を削減できるという効果を得ることが出来る。ＰＣＨにて、次に移動端末が受信すべき、制御チャネルの下り無線リソースの割り当てを送らない方法としても良い。この方法として、Ｌ１／Ｌ２シグナリングチャネル上にページングインジケータをのせて送信し、自分宛のページングインジケータをブラインド検出して、受信した移動端末は、無線割当を基地局に要求するために上りＲＡＣＨを送信するようにしておく方法が考えられる。
【０１３３】
ステップＳＴ１８１６にて当該移動端末のトラッキングエリアリスト（ＴＡ（Ｕｎｉｃａｓｔ））内に含まれる基地局（サービングセルも含まれる）はユニキャスト側間欠受信準備を行う。具体的には、ステップＳＴ１８１５にて受信した当該移動端末の識別子よりページンググループ及び、Ｐａｇｉｎｇ  Ｏｃｃａｓｉｏｎを算出する。算出式の具体例は上記の通りである。ステップＳＴ１８１７にて当該移動端末のトラッキングエリアリスト（ＴＡ（Ｕｎｉｃａｓｔ））内に含まれる基地局（サービングセルも含まれる）はステップＳＴ１８１６にて算出したページンググループ、Ｐａｇｉｎｇ  Ｏｃｃａｓｉｏｎに従って当該移動端末のページング情報をＰＣＨにマッピングする。この時、上記Ｐａｇｉｎｇ  Ｏｃｃａｓｉｏｎが示す無線フレーム中の上記ページンググループが示すサブフレーム中のＬ１／Ｌ２シグナリングチャネル内のＣＣＥであれば、どのＣＣＥでも可とする。あるいは、ＰＣＨへの割当が決められたＣＣＥへマッピングする。ＰＣＨの割当が決められていた場合、当該移動端末がブラインド検出する回数が減るために、制御遅延が低減するという効果を得ることができる。ステップＳＴ１８１８にて当該移動端末のＴＡリスト（ＴＡ（Ｕｎｉｃａｓｔ））内に含まれる基地局（サービングセルも含まれる）は、ＰＣＨを送信する。
【０１３４】
ステップＳＴ１８１９にて移動端末は、周波数変換部１１０７の設定周波数を変更し、中心周波数をｆ（ｕｎｉｃａｓｔ）へ変更することによりユニキャスト／混合周波数レイヤへ移動する。ステップＳＴ１８２０にて移動端末は、ユニキャスト側間欠受信準備を行う。具体的には、自移動端末の識別子よりページンググループ及び、Ｐａｇｉｎｇ  Ｏｃｃａｓｉｏｎを算出する。算出式は、ネットワーク側と同様の上記の通りである。ステップＳＴ１８２１にて移動端末は、ステップＳＴ１８２０にて算出したページンググループ及び、Ｐａｇｉｎｇ  Ｏｃｃａｓｉｏｎに従って、Ｌ１／Ｌ２シグナリングチャネル上のＰＣＨをブラインド検出する。ブラインド検出には自移動端末の識別子を用いる。ＰＣＨのＣＣＥ単位にて自移動端末の識別子を掛け、相関値を得る。相関値が閾値以上であれば、自移動端末へのページング有りと判断する。ステップＳＴ１８２２にて移動端末は、ＰＣＨをデコードし、次の制御チャネルの下り割当を得る。その割当に従って制御情報を受信する。
【０１３５】
次に、現在の３ＧＰＰにおいて、混合セルにおいては、ＭＢＳＦＮフレーム（サブフレーム）において、サブフレーム単位において先頭の１〜２ＯＦＤＭシンボル以外は、ユニキャスト送信用に用いてはいけないことが決定されている。つまり先頭の１〜２ＯＦＤＭシンボル以外は、ＭＢＭＳ送信専用のリソースとなる。ＭＢＳＦＮフレームはサブフレーム＃０と＃５には割当てられない、ＳＣＨがマッピングされるサブフレームだからである。ここで、以下の問題が発生する。上記ページンググループ及びＰａｇｉｎｇ  Ｏｃｃａｓｉｏｎの算出式を用いれば、ページング信号は毎無線フレーム、毎サブフレーム発生の可能性がある。ＰＣＨは、Ｌ１／Ｌ２シグナリングチャネルを用いるため、ＭＢＳＦＮフレームであってもマッピングすることができる。一方、ＭＢＳＦＮフレームにおいては、ＰＣＨにて次の制御情報の下り無線リソースの割当をする場合、同じサブフレーム上の下り無線リソースはＭＢＭＳ送信専用となるため、同じサブフレーム内に制御情報の割当をすることは出来ないという課題が発生する。第一の解決策としては、ＰＣＨでの次の制御情報の下り無線リソースの割当は、以降のＭＢＳＦＮフレーム以外の無線フレームとする。第二の解決策としては、ページング信号を、ＭＢＳＦＮサブフレームを除いたひとつまたは複数のサブフレームに割り当てる方法とする。例えば、ページンググループ数を、無線フレーム内のＭＢＳＦＮサブフレームを除いたサブフレーム数以下にする。これにより、ＭＢＳＦＮサブフレームにページング信号を割り当てなくてすむことになる。具体例として、ページンググループ数を２とし、ページンググループの算出式を以下のように、「ＩＭＳＩ  ｍｏｄ  ２」とする。具体的なグループの割当例は、ページンググループ＝０となれば、サブフレーム＃０を割り当てる。またページンググループ＝１となれば、サブフレーム＃５を割り当てる。これにより、ＭＢＳＦＮフレームが割当てられないサブフレーム（＃０、＃５）のみでページング情報を通知することが可能となるので、上記、ページング信号と同じサブフレームにて次の制御情報の割り当てが出来ないという問題を解決できる。
【０１３６】
図２４には、ＭＢＭＳ受信終了Ｂの処理詳細が示されている。図２４において、ステップＳＴ１８２３〜ステップＳＴ１８３７は、ステップＳＴ１７９９〜ステップＳＴ１８１３と同様であるため、説明を省略する。違いは、ステップＳＴ１８２８において、「Ｐａｇｉｎｇへの応答」が含まれることである。このＭＢＭＳ受信終了Ｂの処理によって、ネットワーク側は、ＭＢＭＳ専用セルに上りリンクを追加することなく、当該移動端末がＭＢＭＳ送信専用の周波数レイヤにてＭＢＭＳサービスの受信を終了する旨を知ることが出来る。これにより、ネットワーク側がＭＢＭＳ受信時間欠受信構成から、通常のページング信号を通知する構成へ変更することが可能となる効果を奏する。本実施の形態２では、ＭＢＭＳ送信専用の周波数レイヤがＭＢＭＳ専用セルにて構成される場合について記載した。ＭＢＭＳ送信専用の周波数レイヤがＭＢＭＳ／ユニキャスト混合セルにて構成されたとしても本実施の形態２は適用可能である。実施の形態１のほか、以下説明する実施の形態３、４、５、６についても同様にＭＢＭＳ送信専用の周波数レイヤがＭＢＭＳ／ユニキャスト混合セルにて構成されたとしても適用可能である。
【０１３７】
実施の形態３．
本実施の形態においては、図３５を用いて、実施の形態１及び実施の形態２で述べた移動体通信システムの処理のうち、「受信可能なＭＢＭＳに関する報知」及び「ＭＢＭＳのサーチ」「ＭＢＭＳサービス選択」部分について更に説明する。図３５のステップＳＴ３５０１にて、サービングセルは移動端末に対して、受信可能なＭＢＭＳに関する情報を通知する。サービングセルとは、当該移動端末に対して、上り無線リソース、下り無線リソースの割り当てを行うべく、スケジューリング（Scheduling）を行う基地局である。サービングセルになり得る基地局としては、ユニキャストセルあるいはＭＢＭＳ／ユニキャスト混合セルがある。受信可能なＭＢＭＳに関する情報の具体例としては、利用可能なＭＢＭＳサービスの周波数、つまり受信可能なＭＢＳＦＮ同期エリア（MBSFN Synchronization Area）の周波数、つまり受信可能なＭＢＭＳ送信専用の周波数レイヤの周波数（f(ＭＢＭＳ)と称する）を１つあるいは複数通知する。サービングセルから移動端末に対して、受信可能なＭＢＭＳに関する情報を通知する際に、報知制御チャネル（BCCH）が使用される。受信可能なＭＢＭＳに関する情報は、まず、ロジカルチャネルである報知制御チャネル（BCCH）にマッピングされ、さらに、トランスポートチャネルである報知チャネル（BCH）、物理チャネルである物理報知チャネル（PBCH）にマッピングされる。また、受信可能なＭＢＭＳに関する情報は、ロジカルチャネルである報知制御チャネル（BCCH）にマッピングされた後、トランスポートチャネルである下り共有チャネル（DL-SCH）、さらに、物理チャネルである物理下り共有チャネル（PDSCH）にマッピングされてもよい。
【０１３８】
ステップＳＴ３５０２にて移動端末は、サービングセルから送信されたf(ＭＢＭＳ)を受信する。ここで、ステップＳＴ３５０１にて、サービングセルから移動端末に対して通知される受信可能なＭＢＭＳに関する情報を、サービングセルがどのように入手するかが問題となる。具体的には、受信可能なＭＢＭＳに関する情報が頻繁に変更されず、準静的（semi-static）に決定されたものであるならば、変更の度にサービングセルへ設定することも可能である。また、受信可能なＭＢＭＳに関する情報は、ＭＢＭＳ送信専用の周波数レイヤの制御装置からユニキャスト／ミクスド周波数レイヤの制御装置へ変更時、あるいは定期的に通知されても良い。さらなる具体例としては、受信可能なＭＢＭＳに関する情報は、ＭＣＥからＭＭＥあるいは基地局へ通知される。またＭＢＭＳ  ＧＷからＭＭＥあるいは基地局へ通知されても良い。
【０１３９】
ステップＳＴ３５０３にて移動端末は、ステップＳＴ３５０２にて、受信可能なＭＢＭＳ送信専用の周波数レイヤの周波数を１つ以上受信したか否かを確認する。受信していなかった場合、処理を終了する。受信していた場合、ステップＳＴ３５０４へ移行する。ステップＳＴ３５０４にて移動端末は、ユーザがＭＢＭＳ送信専用の周波数レイヤにてＭＢＭＳサービスを受信する意思があるかどうかを確認する。確認の具体例としては、ユーザがＭＢＭＳサービスを受信する意思が有る場合に、ユーザインタフェースを用いて移動端末に対して指示を送り、移動端末はユーザの意思をプロトコル処理部１１０１へ保管する。ステップＳＴ３５０４にて、移動端末は、プロトコル処理部１１０１に保管されているＭＢＭＳサービスを受信する意思の有無を確認する。ＭＢＭＳサービスを受信する意思がなければ、ステップＳＴ３５０４の処理を繰り返す。繰り返す方法としては、一定周期で移動端末がステップＳＴ３５０４の判断を行う方法、あるいは、ユーザインタフェースを通じてユーザにより入力された、ＭＢＭＳサービスを受信する意思の変更通知があった際に、ステップＳＴ３５０４あるいは、ステップＳＴ３５０３を行う方法などがある。ＭＢＭＳサービスを受信する意思があれば、ステップＳＴ３５０５へ移行する。ステップＳＴ３５０３とステップＳＴ３５０４の処理の順序は任意であり、同時であっても構わない。ステップＳＴ３５０５にて移動端末は、周波数変換部１１０７の設定周波数を変更し、中心周波数をｆ（ＭＢＭＳ）へ変更することによりＭＢＭＳ送信専用の周波数レイヤへ移動する。周波数変換部１１０７の設定周波数を変更し、中心周波数を変更することをリチューン（re-tune）と称する。
【０１４０】
ステップＳＴ３５０６にて、移動端末はＭＢＭＳのサーチ動作を行う。ＭＢＭＳのサーチ動作の詳細は実施の形態２に記載しているので、ここでは省略する。移動端末は、ＭＢＭＳのサーチ動作によりＭＢＭＳ専用セルとの同期確立、ＭＢＭＳ専用セルのシステム情報の入手、ＭＣＣＨスケジューリングの入手などを行う。ステップＳＴ３５０７にてＭＢＭＳ専用セルは、移動端末に対して、ＭＢＭＳのサービス内容を通知する。非特許文献１にて、ＭＣＥ８０１は、マルチセルＭＢＭＳ送信（multi-cell ＭＢＭＳ transmission）を行うため、ＭＢＳＦＮエリア中の全ての基地局に対する無線リソースの割り当てを行うと記載されている。このことより、ＭＢＳＦＮエリアにおいてＳＦＮ合成（Combining）可能な、同じＭＢＭＳサービスが提供されていると考えられる。よって、ステップＳＴ３５０７でのＭＢＭＳのサービス内容の通知は、ＭＢＳＦＮエリア毎のチャネルを用いてMBSFNエリア毎に行う。また、非特許文献１にて、ＭＢＳＦＮ同期エリアは１つ以上のＭＢＳＦＮエリア（MBSFN Areas）を含むと記載されている。このことより、ステップＳＴ３５０７でのＭＢＭＳのサービス内容の通知は、ＭＢＳＦＮ同期エリア毎のチャネルを用いて、ＭＢＳＦＮ同期エリアに含まれる全てのMBSFNエリアについて、MBSFNエリア毎に行う。
【０１４１】
ＭＢＭＳのサービス内容の具体例としては、直接的なサービス内容、例えば「天気予報」「野球中継」、「ニュース」などがある。また、直接的なサービス内容ではなく、サービス番号あるいはＭＢＳＦＮエリア番号（ID）であっても良い。ＭＢＭＳのサービス内容がサービス番号、あるいはＭＢＳＦＮエリア番号（ID）で通知される場合、静的あるいは準静的に、サービス番号あるいはＭＢＳＦＮエリア番号（ID）と直接的なサービス内容の対応（図３６参照）をネットワーク側および移動端末側で把握しておく必要がある。サービス番号と直接的なサービス内容の対応が準静的に決定される場合は、変更されるたびに、あるいは周期的に、ネットワーク側から移動端末側へ、サービス番号と直接的なサービス内容の対応が通知される必要がある。
【０１４２】
サービス番号と直接的なサービス内容の対応は、ＭＢＭＳ専用セルのロジカルチャネルである報知制御チャネル（BCCH）にマッピングされ、さらに、トランスポートチャネルである報知チャネル（BCH）、物理チャネルである物理報知チャネル（PBCH）にマッピングされる。ロジカルチャネルである報知制御チャネル（BCCH）にマッピングされ、さらに、トランスポートチャネルである下り共有チャネル（DL-SCH）、物理チャネルである物理下り共有チャネル（PDSCH）にマッピングされてもよい。また、ロジカルチャネルであるマルチキャスト制御チャネル（MCCH）にマッピングされ、トランスポートチャネルであるマルチキャストチャネル（MCH）、物理チャネルである物理マルチキャストチャネル（PMCH）にマッピングされてもよい。また、ロジカルチャネルであるマルチキャスト制御チャネル（MCCH）にマッピングされ、トランスポートチャネルである下り共有チャネル（DL-SCH）、物理チャネルである物理下り共有チャネル（PDSCH）にマッピングされてもよい。
【０１４３】
また、直接的なサービス内容ではなく、チャネル番号あるいはＭＢＳＦＮエリア番号（ID）を、ネットワーク側から移動端末側へ通知するようにしてもよい。ここでいうチャネル番号、あるいはＭＢＳＦＮエリア番号（ID）とは、テレビのチャネル番号のようなものを想定している。この場合、別途チャネル毎の番組表（時間毎の直接的なサービス内容）をユーザが知る必要がある。この番組表は変更されるたびに、あるいは周期的にネットワーク側から移動端末側へ通知されても良いし、新聞などの既存の媒体に掲載されても良い。チャネル毎の番組表を、ネットワーク側から移動端末側へ通知するのに用いるチャネルの具体例は、サービス番号と直接的なサービス内容の対応を通知する場合と同様であるので説明を省略する。ステップＳＴ３５０８にて、移動端末は、ＭＢＭＳ専用セルから送信されたＭＢＭＳのサービス内容を受信する。
【０１４４】
ステップＳＴ３５０９にて、移動端末は、ユーザ所望のサービスが行われているか知るため、ステップＳＴ３５０８にて受信したＭＢＭＳのサービス内容を確認する。ユーザ所望のサービスが行われている場合は、ステップＳＴ３５１０へ移行する。ユーザ所望のサービスが行われていない場合は、ステップＳＴ３５１２へ移行する。ステップＳＴ３５１０にて、移動端末は、ユーザ所望のサービスが行われているＭＢＳＦＮエリアの無線リソースにてレファレンスシグナル(RS)を受信して受信電力の測定（RSRP）を行う。ステップＳＴ３５１０では、移動端末は、受信電力が静的あるいは準静的に決められた閾値以上であるか否か判断する。前記閾値は、閾値以上であればＭＢＭＳサービスを受信するのに満足な品質であることを示し、閾値未満であればＭＢＭＳサービスを受信するのに満足な品質を満たしていないことを示す。閾値以上であればステップＳＴ３５１１へ移行し、閾値以下であればステップＳＴ３５１２へ移行する。ステップＳＴ３５１０においては、受信品質がＭＢＭＳサービスを受信するのに満足な品質を満たしているか否かを判定できれば、レファレンスシグナル（RS）の受信電力を測定する上記方法を用いなくても良い。ステップＳＴ３５１１にて、移動端末はＭＢＭＳサービスを選択する。具体的には、移動端末は、ユーザが所望するＭＢＭＳサービスを受信するための、ＭＢＭＳ送信専用の周波数ｆ（ＭＢＭＳ）とＭＢＳＦＮエリアＩＤ（番号）などを取得、確定する。ステップＳＴ３５１２にて、移動端末は、ステップＳＴ３５０２にて受信した、受信可能なＭＢＳＦＮ同期エリアの周波数（周波数リスト）にて、他の周波数（現在の周波数とは別のＭＢＭＳ送信専用の周波数レイヤの周波数）が存在するか否か判断する。存在した場合は、ステップＳＴ３５０５へ戻り、新たな周波数（例えば、f2（ＭＢＭＳ））へ設定周波数を切り替えて処理を繰り返す。存在しない場合は処理を終了する。
【０１４５】
実施の形態３により、本発明の第一の課題である、移動端末がＭＢＭＳ送信専用の周波数レイヤに移動する方法や所望のサービスを選択するまでの方法を得ることが出来る。更に、移動端末が地理的に位置する場所において、利用可能なＭＢＭＳサービスが存在することや、その周波数を知ることができるので、移動端末がＭＢＭＳ送信専用の周波数レイヤにてＭＢＭＳサービスを受信する意思がある場合、ＭＢＭＳ送信専用の周波数レイヤが存在する可能性のある周波数を総当り的に検索する必要がなくなる。このことは、現在の周波数以外の周波数によるサービスを受信するまでの、移動端末の制御遅延が短縮されるという効果を奏する。これにより移動端末の低消費電力化の効果も合わせて得ることが出来る。また、後述する実施の形態４と比較して、第一の課題を解決するにあたり、サービングセルから通知する情報量が少なくて良い。このことは、サービングセルからの情報を受信する時間、つまり受信時間・受信データのデコード時間などが実施の形態４と比較して短くなることを意味する。これにより、現在の周波数以外の周波数によるサービスを受信するまでの、移動端末の制御遅延が短縮されるという効果を奏する。さらには、移動端末の低消費電力化という効果も得ることが出来る。
【０１４６】
変形例１．
以下、本実施例の変形例1について説明する。サービングセルから移動端末に、周辺セルの情報（周辺セル情報（リスト）、隣接セル（neighboring cell）情報（リスト））が通知された場合、サービングセルから隣接セルにおける受信可能なＭＢＭＳに関する情報を通知しても良い。隣接セルにおける受信可能なＭＢＭＳに関する情報は、隣接セル情報と同時に通知しても良いし、同時に通知しなくても良い。受信可能なＭＢＭＳに関する情報の具体例は、実施の形態３と同様であるため、説明を省略する。変形例１により、以下の効果を得ることが出来る。ユニキャスト／ミクスド周波数レイヤにおいて、隣接セルの受信感度が良好になってきた場合、つまりハンドオーバを実行するタイミングが到来した場合を考える。新しくサービングセルとして選択する基地局（新しいサービングセル：New Serving cell、ハンドオーバ先基地局）における受信可能なＭＢＭＳに関する情報に、現在移動端末が受信中のｆ(ＭＢＭＳ)が存在しない場合、このまま移動をつづけると現在受信中のｆ(ＭＢＭＳ)によるサービスの感度が悪くなると判断できる。この判断結果を表示部への表示、鳴動などによりユーザに知らせることが出来る。これにより、ユーザが移動より現在のＭＢＭＳサービス受信を優先する場合、移動を中止することが可能になり、よりユーザのニーズに合わせた使い方が可能となる効果を得ることが出来る。また、受信中のｆ１(ＭＢＭＳ)の受信感度が悪くなってきた場合、サービングセル（自セル）の受信可能なＭＢＭＳに関する情報中に存在しないが、隣接セルにおける受信可能なＭＢＭＳに関する情報中にｆ２(ＭＢＭＳ)が存在した場合、ｆ２(ＭＢＭＳ)にてＭＢＭＳサーチなどの動作を試してみることが出来る。これにより、よりユーザのニーズに合わせた使い方が可能となる効果を得ることが出来る。
【０１４７】
実施の形態４．
本実施の形態においては、図３７を用いて、実施の形態１及び実施の形態２で述べた移動体通信システムの処理の流れのうち、「受信可能なＭＢＭＳに関する報知」及び「ＭＢＭＳのサーチ」「ＭＢＭＳサービス選択」部分について更に説明する。なお、図３７において、図３５と同一のステップは同一または相当の処理を示すので説明は省略する。ステップＳＴ３７０１にて、サービングセルは移動端末に対して、受信可能なＭＢＭＳに関する情報を通知する。受信可能なＭＢＭＳに関する情報の具体例としては、利用可能なＭＢＭＳサービスの周波数、つまり受信可能なＭＢＳＦＮ同期エリア（MBSFN Synchronization Area）の周波数、つまり受信可能なＭＢＭＳ送信専用の周波数レイヤの周波数（f(MBMS)と称する）を１つあるいは複数通知する。また、当該ｆ（ＭＢＭＳ）にて受信可能なサービス内容を通知する。上記ｆ（ＭＢＭＳ）とｆ（ＭＢＭＳ）にて受信可能なサービス内容の通知は同時であっても良いし、同時でなくても良い。受信可能なＭＢＭＳに関する情報を通知する際に用いるチャネルの具体例は、実施の形態３と同様であるので、説明を省略する。また、サービス内容の具体例は実施の形態３と同様であるので、説明を省略する。ステップＳＴ３７０２にて、移動端末は、サービングセルから送信されたｆ(ＭＢＭＳ)およびf（ＭＢＭＳ）にて受信可能なサービス内容を受信する。ここで、ステップＳＴ３７０１にて、サービングセルから移動端末に対して通知される受信可能なＭＢＭＳに関する情報を、サービングセルがどのように入手するかが問題となる。具体的には、受信可能なＭＢＭＳに関する情報が頻繁に変更されず、準静的（semi-static）に決定されたものであるならば、変更の度にサービングセルへ設定することも可能である。また、受信可能なＭＢＭＳに関する情報は、ＭＢＭＳ送信専用の周波数レイヤの制御装置からユニキャスト／ミクスド周波数レイヤの制御装置へ、変更時あるいは定期的に通知されても良い。さらなる具体例としては、受信可能なＭＢＭＳに関する情報は、ＭＣＥからＭＭＥあるいは基地局へ通知される。またＭＢＭＳ  ＧＷからＭＭＥあるいは基地局へ通知されても良い。ステップＳＴ３５０４にて移動端末は、ユーザがＭＢＭＳ送信専用の周波数レイヤにてＭＢＭＳサービスを受信する意思があるかどうかを確認する。ＭＢＭＳサービスを受信する意思があれば、ステップＳＴ３７０３へ移行する。ＭＢＭＳサービスを受信する意思がなければ、ステップＳＴ３５０４の処理を繰り返す。
【０１４８】
ステップＳＴ３７０３にて、移動端末は、ステップＳＴ３７０２にて、ユーザ所望のサービスを行っている受信可能なＭＢＭＳ送信専用の周波数レイヤの周波数を、１つ以上受信したか否か確認する。受信していなかった場合、処理を終了する。受信していた場合、ステップＳＴ３７０４へ移行する。例えば、ユーザ所望のサービスを行っている受信可能なＭＢＭＳ送信専用の周波数レイヤの周波数をｆａ（ＭＢＭＳ）とする。ステップＳＴ３７０４にて、周波数変換部１１０７の設定周波数を変更し、中心周波数をｆa（ＭＢＭＳ）へ変更することによりユーザ所望のサービスを行っている受信可能なＭＢＭＳ送信専用の周波数レイヤへ移動する。ステップＳＴ３５０６にて、移動端末は、ＭＢＭＳのサーチ動作を行う。ステップＳＴ３５０７にて、ＭＢＭＳ専用セルは、移動端末に対して、ＭＢＭＳのサービス内容を通知する。ステップＳＴ３５０８にて、移動端末は、ＭＢＭＳ専用セルからＭＢＭＳのサービス内容を受信する。ステップＳＴ３５１０にて、移動端末は、ユーザ所望のサービスが行われているＭＢＳＦＮエリアの受信感度が、受信するのに充分な品質であるかを判断する。受信品質が良好である場合、ステップＳＴ３５１１へ移行する。受信品質が良好でない場合、ステップＳＴ３７０５へ移行する。ステップＳＴ３５１１にて、移動端末はＭＢＭＳサービスを選択する。ステップＳＴ３７０５にて、移動端末は、ステップＳＴ３７０２にて受信した、受信可能なＭＢＳＦＮ同期エリアの周波数（周波数リスト）にて、ユーザ所望のサービスを行っている他の周波数（現在の周波数とは別のＭＢＭＳ送信専用の周波数レイヤの周波数）が存在するか否か判断する。存在した場合は、ステップＳＴ３７０４へ戻り、新たな周波数、例えば、ｆｂ（ＭＢＭＳ）へシンセサイザを切り替えて処理を繰り返す。存在しない場合は処理を終了する。
【０１４９】
実施の形態４により、本発明の第一の課題である、移動端末がＭＢＭＳ送信専用の周波数レイヤに移動する方法や所望のサービスを選択するまでの方法を得ることが出来る。実施の形態３と比較して、第一の課題を解決するにあたり以下の効果を得ることが出来る。実施の形態３では、周波数を変更しＭＢＭＳ送信専用の周波数レイヤへ移動する前には、当該ＭＢＭＳ送信専用の周波数レイヤにおいてユーザ所望のサービスが行われているか否かを知る手段はない。よって実施の形態３では、ユーザがＭＢＭＳ送信専用の周波数レイヤにてＭＢＭＳサービスを受信する意思がある場合、受信可能なＭＢＭＳ送信専用の周波数レイヤの周波数に対して総当り的にリチューンを行い、ユーザ所望のサービスが行われているか確認する必要がある。一方、実施の形態４では、移動端末は周波数を変更し、ＭＢＭＳ送信専用の周波数レイヤへ移動する前に、受信可能なＭＢＭＳ送信専用の周波数レイヤの周波数と、当該周波数にて受信可能なサービス内容を知ることが出来る。よって、ユーザ所望のサービスを行っていない周波数に対しての処理、図３７におけるステップＳＴ３７０４以降の処理をする必要がなくなる。このように、実施の形態４では、移動端末がＭＢＭＳ送信専用の周波数レイヤにてＭＢＭＳサービスを受信する意思がある場合、受信可能なＭＢＭＳ送信専用の周波数を総当り的に検索する必要がなくなる。このことは、移動端末が現在の周波数以外の周波数からのサービスを受信するまでの制御遅延を短くするという効果を奏する。これにより移動端末の低消費電力化の効果も合わせて得ることが出来る。
【０１５０】
変形例１．
以下、本実施例の変形例を説明する。図３７のステップＳＴ３７０１にて、サービングセルは、移動端末に対して、受信可能なＭＢＭＳに関する情報を通知する。受信可能なＭＢＭＳに関する情報の具体例としては、利用可能なＭＢＭＳサービスの周波数、つまり受信可能なＭＢＳＦＮ同期エリア（MBSFN Synchronization Area）の周波数、つまり受信可能なＭＢＭＳ送信専用の周波数レイヤの周波数（f(MBMS)と称する）を１つあるいは複数通知する。また、当該ｆ（ＭＢＭＳ）にて受信可能なサービス内容を通知する。その際、ｆ(ＭＢＭＳ)にて受信可能なサービス内容全てではなく、サービングセルのカバレッジエリアと重なるカバレッジエリアを持つMBSFNエリアで行われているサービス内容を通知する。実施の形態４では、移動端末は、サービングセルのカバレッジエリアと重なるカバレッジエリアを持つ、MBSFNエリアで行われているサービス内容を知る手段を持たない。よって、以下のような状況が生じる。ユーザが所望するサービスを行っているMBSFNエリアのカバレッジエリアに、移動端末が位置していない場合であっても、図３７のステップＳＴ３７０３にて、移動端末は、ユーザが所望するサービスを行っている、受信可能なＭＢＭＳ送信専用の周波数レイヤの周波数（ｆc（ＭＢＭＳ））が存在すると判断し、その後、ステップＳＴ３７０４にて、ｆｃ（ＭＢＭＳ）へ移動することになる。しかし、移動端末は、ユーザが所望するサービスを行っているMBSFNエリアのカバレッジエリア外に位置するので、ステップＳＴ３５１０にて、ユーザが所望するサービスが行われているＭＢＳＦＮエリア（ｆｃ（ＭＢＭＳ））の受信品質が良好ではないと判断される可能性が高くなる。
【０１５１】
変形例１により、実施の形態４と比較して以下の更なる効果を得ることが出来る。実施の形態４と比較して、本変形例１は、移動端末が、サービングセルのカバレッジエリアと重なるカバレッジエリアを持つMBSFNエリアで行われているサービス内容を受信し、ステップＳＴ３７０３にて、サービングセルのカバレッジエリアと重なるカバレッジエリアを持つＭＢＳＦＮエリアにて、ユーザが所望するサービスを行っている受信可能なＭＢＭＳ送信専用の周波数レイヤの周波数を１つ以上受信したか否か確認することが可能となる。よって、ステップＳＴ３５１０にて、ユーザが所望するサービスが行われているＭＢＳＦＮエリアの受信品質が、受信するのに充分良好ではないと判断される可能性が低くなる。このことは、移動端末が、現在の周波数以外の周波数からのサービスを受信するまでの制御遅延を短くするという効果を奏する。これにより移動端末の低消費電力化の効果も合わせて得ることが出来る。
【０１５２】
変形例２．
サービングセルから移動端末に、隣接セル（neighboring cell）情報が通知された場合、サービングセルから移動端末に、隣接セルにおける受信可能なＭＢＭＳに関する情報を通知しても良い。隣接セルにおける受信可能なＭＢＭＳに関する情報は、隣接セル情報と同時に通知しても良いし、同時に通知しなくても良い。受信可能なＭＢＭＳに関する情報の具体例は、実施の形態４と同様であるため、説明を省略する。変形例２により、以下の効果を得ることが出来る。ユニキャスト／ミクスド周波数レイヤにおいて、隣接セルの受信感度が良好になってきた場合、つまり、ハンドオーバ処理を行うタイミングが近づいた場合を考える。新しくサービングセルとして選択する基地局（新しいサービングセル：New Serving cell、ハンドオーバ先基地局）における受信可能なＭＢＭＳに関する情報に、現在移動端末が受信中のサービス内容が含まれていない場合、このまま移動をつづけると現在受信中のサービスの感度が悪くなると判断できる。この判断結果を表示部への表示、鳴動などによりユーザに知らせることが出来る。これにより、ユーザが移動より現在のＭＢＭＳサービス受信を優先する場合、移動を中止することが可能になり、よりユーザのニーズに合わせた使い方が可能となる効果を得ることが出来る。また、受信中の周波数ｆ１（ＭＢＭＳ）でのサービスの受信品質が悪くなってきた場合、サービングセルの受信可能なＭＢＭＳに関する情報中に存在しないが、隣接セルにおける受信可能なＭＢＭＳに関する情報中に異なる周波数ｆ２（ＭＢＭＳ）にて同じサービスが存在した場合、ｆ２(ＭＢＭＳ)にてＭＢＭＳサーチなどの動作を試してみることが出来る。これにより、よりユーザのニーズに合わせた使い方が可能となる効果を得ることが出来る。本変形例２は、実施の形態４のみではなく、実施の形態４の変形例１にも適用可能である。
【０１５３】
実施の形態５．
非特許文献３には、現在の３ＧＰＰでの移動端末からネットワーク側（基地局）へのサービングセルと周辺セルの測定結果の通知に用いるイベント（event）について説明されている。サービングセルと同じ周波数内での測定について以下説明する。移動端末は、サービングセルの測定結果が、ある閾値（threshold）より大きくなったになった場合、イベントＡ１をネットワーク側（基地局）へ通知することが開示されている。移動端末は、サービングセルの測定結果がある閾値（threshold）より小さくになった場合、イベントＡ２をネットワーク側（基地局）へ通知する。移動端末は、周辺セルの測定結果が、サービングセルの測定結果にあるオフセット値（offset）を加えた値より大きくなった場合、イベントＡ３をネットワーク側（基地局）へ通知する。イベントＡ３は、同じ周波数内でのハンドオーバのために用いられる。非特許文献３には、本発明の第二の課題についての記載はない。また閾値、オフセット値を複数持つことの記載もない。更には、移動端末の状態に応じて複数の閾値、オフセット値を使い分ける旨の記載もない。
【０１５４】
ユニキャスト／ミクスド周波数レイヤにおいて、ユニキャスト／ＭＢＭＳ混合セルからマルチセル送信された、ＭＢＭＳサービスを受信している移動端末がハンドオーバを行う場合のシーケンス図の具体例を図３８に示す。ステップＳＴ３８０１にて、サービングセルは、自セルのシステム情報を傘下の移動端末へ通知する。通知されるシステム情報の具体例としては、メジャメント周期、間欠受信周期、トラッキングエリア情報（TA情報）などがある。メジャメント周期とは、ネットワーク側が傘下の移動端末に通知する周期であって、この周期にしたがって移動端末は電界強度などの測定を行う。また、自セル情報をサービングセルから移動端末に対して通知する際、かかる自セル情報は、ロジカルチャネルである報知制御チャネル（BCCH）にマッピングされ、さらにトランスポートチャネルである報知チャネル（BCH）、物理チャネルである物理報知チャネル（PBCH）にマッピングされる。また、自セル情報は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされてもよい。
【０１５５】
ステップＳＴ３８０２にて、移動端末は、サービングセルから送信された、自セルのシステム情報を受信する。ステップＳＴ３８０３にて、サービングセルは、自セルのＭＢＭＳスケジューリング情報を傘下の移動端末へ通知する。通知されるＭＢＭＳスケジューリング情報の具体例としては、ＭＢＳＦＮサブフレームの割当て情報（MBSFN sub-frame allocation）などが考えられる。また、ＭＢＭＳスケジューリング情報を、サービングセルから移動端末に対して通知する際、かかるＭＢＭＳスケジューリング情報は、ロジカルチャネルである報知制御チャネル（BCCH）にマッピングされ、さらにトランスポートチャネルである報知チャネル（BCH）、物理チャネルである物理報知チャネル（PBCH）にマッピングされる。また、ＭＢＭＳスケジューリング情報は、ロジカルチャネルである報知制御チャネル（BCCH）にマッピングされ、さらにトランスポートチャネルである下り共有チャネル（DL-SCH）、物理チャネルである物理下り共有チャネル（PDSCH）にマッピングされてもよい。ステップＳＴ３８０４にて、移動端末は、サービングセルから送信された、自セルのＭＢＭＳスケジューリング情報を受信する。
【０１５６】
ステップＳＴ3805にて、移動端末は、ユーザがＭＢＭＳサービスを受信する意思があるかどうかを確認する。ユーザがＭＢＭＳサービスを受信する意思がある場合、ステップＳＴ３８０７へ移行する。ユーザがＭＢＭＳサービスを受信する意思がない場合、処理を終了する。ステップＳＴ３８０６にて、サービングセルは、ＭＢＭＳサービスの制御情報を移動端末へ通知する。ステップＳＴ３８０７にて、移動端末は、ＭＢＭＳサービスの制御情報を受信する。ＭＢＭＳサービスの制御情報の具体例としては、ＭＢＭＳのサービス内容などが考えられる。ＭＢＭＳのサービス内容の具体例は実施の形態３と同様であるので説明を省略する。また、ＭＢＭＳサービスの制御情報をサービングセルから移動端末に対して通知する際、ＭＢＭＳサービスの制御情報は、ロジカルチャネルである報知制御チャネル（BCCH）にマッピングされ、さらに、トランスポートチャネルである報知チャネル（BCH）、物理チャネルである物理報知チャネル（PBCH）にマッピングされる。また、ＭＢＭＳサービスの制御情報は、ロジカルチャネルとである報知制御チャネル（BCCH）にマッピングされ、さらにトランスポートチャネルである下り共有チャネル（DL-SCH）、物理チャネルである物理下り共有チャネル（PDSCH）にマッピングされてもよい。また、ＭＢＭＳサービスの制御情報は、ロジカルチャネルであるマルチキャスト制御チャネル（MCCH）にマッピングされ、さらにトランスポートチャネルであるマルチキャストチャネル（MCH）、物理チャネルである物理マルチキャストチャネル（PMCH）にマッピングされてもよい。MCCHにマッピングされる場合、移動端末は、ステップＳＴ３８０４にて受信したＭＢＭＳスケジューリング情報（MBSFNサブフレームの割当て情報）に従い、ＭＢＳＦＮサブフレーム内のデータを受信する。ステップＳＴ３８０８にて、移動端末は、ステップＳＴ３８０７にて受信したＭＢＭＳサービスの制御情報に従い、ユーザ所望のサービスが行われているか否かを判断する。ユーザ所望のサービスが行われている場合、ステップＳＴ３８０９へ移行する。ユーザ所望のサービスが行われていない場合、処理を終了する。ステップＳＴ３８０９にて、移動端末は、ＭＢＭＳサービス（MTCH、MCCH）の受信を開始する。ＭＢＭＳサービスの受信に際しては、移動端末はステップＳＴ３８０４にて受信したＭＢＭＳスケジューリング情報（MBSFNサブフレームの割当て情報）に従い、ＭＢＳＦＮサブフレーム内のデータを受信する。
【０１５７】
ステップＳＴ３８１０にて、移動端末は、ＭＢＭＳサービスの受信動作と並行しながら、ステップＳＴ３８０２にて受信したメジャメント周期であるか否か判断する。メジャメント周期であった場合、ステップＳＴ３８１１へ移行する。メジャメント周期でなければステップＳＴ３８１０の判断を繰り返す。ステップＳＴ３８１１にて、移動端末は測定を実行する。実際に移動端末が測定する値としては、サービングセルと周辺セルのリファレンスシンボル受信電力（Reference Symbol received power: RSRP）、Ｅ−ＵＴＲＡキャリア受信信号強度値（E-UTRA carrier received signal strength indicator: RSSI）などが考えられる。周辺セルの情報は、周辺セル情報（リスト）（あるいは隣接セル（neighboring cells）情報（リスト）と呼ばれることもある）としてサービングセルから報知される場合もある。ステップＳＴ３８１２にて、移動端末は、ステップＳＴ３８１１にて測定した結果、サービングセルの再選択（cell re-selection）が必要か否か判断する。判断の具体例としては、周辺セルの測定結果が、サービングセルの測定結果にあるオフセット値（offset）を加えた値より大きくなった場合などが考えられる。再選択が必要ない場合、ステップＳＴ３８１０へ移行する。再選択が必要な場合、ステップＳＴ３８１３へ移行する。ステップＳＴ３８１３にて、移動端末は、測定結果の通知に用いるイベントをサービングセルへ通知する。サービングセルの再選択が必要となった場合のイベントの具体例としては、移動端末は、イベントA３をサービングセルへ通知する。ステップＳＴ３８１４にて、サービングセルは、移動端末よりイベントA３を受信する。その後、移動体通信システムとしてハンドオーバ処理が行われ、ステップＳＴ３８１５へ移行する。
【０１５８】
ステップＳＴ３８１５にて、新しくサービングセルとして選択する基地局（新しいサービングセル:New serving cell、ハンドオーバ先基地局）は、ステップＳＴ３８０１同様、自セルのシステム情報を傘下の移動端末へ通知する。ステップＳＴ３８１６にて、移動端末は、ステップＳＴ３８０２同様、新しいサービングセルから自セルのシステム情報を受信する。ステップＳＴ３８１７にて新しいサービングセルは、ステップＳＴ３８０３同様、自セルのＭＢＭＳスケジューリング情報を傘下の移動端末へ通知する。ステップＳＴ３８１８にて移動端末は、ステップＳＴ３８０４同様、新しいサービングセルから自セルのＭＢＭＳスケジューリング情報を受信する。ステップＳＴ３８１９にて、新しいサービングセルは、ステップＳＴ３８０６同様、ＭＢＭＳサービスの制御情報を移動端末へ通知する。ステップＳＴ３８２０にて、移動端末は、ステップＳＴ３８０７同様、ＭＢＭＳサービスの制御情報を受信する。ステップＳＴ３８２１にて、移動端末は、ステップＳＴ３８０８同様、ステップＳＴ３８２０にて受信したＭＢＭＳサービスの制御情報に従い、ユーザ所望のサービスが行われているか否かを判断する。ユーザ所望のサービスが行われている場合、ステップＳＴ３８２２へ移行する。ユーザ所望のサービスが行われていない場合、ステップＳＴ３８２３へ移行する。ステップＳＴ３８２２にて、移動端末は、ステップＳＴ３８１８にて受信した新しいサービング基地局のＭＢＭＳスケジューリング情報（MBSFNサブフレームの割当て情報）に従い、ＭＢＭＳサービス（MTCH、MCCH）の受信を開始する。ステップＳＴ３８２３にて移動端末は、ＭＢＭＳサービス受信の停止処理を行う。
【０１５９】
図３８のステップＳＴ３８２１、ステップＳＴ３８２３に示すように、ハンドオーバによりＭＢＭＳサービス受信の中断が発生するという問題が生じる。本実施の形態５においては、隣接セル情報にＭＢＭＳサービスのサービス内容を付加することにより上記課題を解決することを考える。詳細な方法を図３９を用いて説明する。また、図３９は、図３８と類似しているため、同じ部分の説明は省略する。ステップＳＴ３９０１にて、サービングセルは、隣接セル情報を傘下の移動端末へ通知する。隣接セル情報に、隣接セルのＭＢＭＳサービスのサービス内容を新たに設ける。サービス内容の具体例としては、実施の形態３と同様であるので説明を省略する。また、隣接セルのＭＢＭＳサービス内容ではなく、隣接セルのＭＢＳＦＮサブフレームの割当情報を代用しても良い。隣接セルのＭＢＳＦＮサブフレームの割り当てが、サービングセルのＭＢＳＦＮサブフレームの割り当てと同じであれば、該隣接セルとサービングセルは、ＳＦＮ合成をサポートするべく、ＭＢＭＳサービスのマルチセル送信を行っていると判断できる。よって該隣接セルとサービングセルは、同じＭＢＭＳサービスを行っていると判断できるからである。また、隣接セル情報を、サービングセルから移動端末に対して通知する際、隣接セル情報は、ロジカルチャネルである報知制御チャネル（BCCH）にマッピングされ、さらにトランスポートチャネルである報知チャネル（BCH）、物理チャネルである物理報知チャネル（PBCH）にマッピングされる。また、隣接セル情報は、ロジカルチャネルである報知制御チャネル（BCCH）にマッピングされ、さらに、トランスポートチャネルである下り共有チャネル（DL-SCH）、物理チャネルである物理下り共有チャネル（PDSCH）にマッピングされてもよい。
【０１６０】
また、サービングセルは、隣接セル情報にＭＢＭＳサービスのサービス内容を付加するのではなく、隣接セル毎のサービス内容を、ステップＳＴ３８０６にてＭＢＭＳサービスの制御情報として送信しても良い。この場合、隣接セル番号（ID）に対応させた形で、隣接セル毎のサービス内容を通知する必要がある。「隣接セルで行われているＭＢＭＳサービスのサービス内容」という情報は、ユニキャスト／ミクスド周波数レイヤにおいてユニキャスト／ＭＢＭＳ混合セルからマルチセル送信されている、ＭＢＭＳサービスを受信している移動端末が、ハンドオーバを行う場合に、ＭＢＭＳ受信の中断という問題を解決するために、本実施の形態５により新設したパラメータである。よって、ＭＢＭＳサービスを受信している移動端末にのみ有効なパラメータである。よってＭＢＭＳサービスを受信する移動端末のみが受信するＭＢＭＳサービスの制御情報に付加しても問題ない。これにより、ＢＣＣＨの情報量増加を防ぐことが可能となり、移動体通信システム全体の制御遅延を防止するという効果を得ることが出来る。更に、移動端末はステップＳＴ３８０９にて、実際にＭＢＭＳサービスの受信を開始してからのみ、ＭＢＭＳサービスの制御情報に付加された隣接セル毎のサービス内容を受信、デコードしても良い。ここでサービングセルがどのようにして隣接セル毎のサービス内容を入手するかが問題となる。解決方法としては、基地局間通信を用いて、つまり隣接セル毎からサービングセルへサービス内容を通知する場合が考えられる。また、別の解決策としては、各セルからサービス内容をＭＭＥへ通知し、ＭＭＥからサービングセルへ隣接セルに含まれるセルのサービス内容を通知する場合が考えられる。また、別の解決策としては、ＭＣＥがＭＭＥへ各セルのサービス内容を通知し、MMEからサービングセルへ、隣接セルに含まれるセルのサービス内容を通知する場合が考えられる。また、別の解決策としては、ＭＣＥから直接、各サービングセルへ各隣接セルのサービス内容を通知する場合が考えられる。ステップＳＴ３９０２にて、移動端末は隣接セル情報を受信する。
【０１６１】
ステップＳＴ３９０３にて、移動端末は、隣接セルのＭＢＭＳサービスのサービス内容を確認し、新しいサービングセルにて、現在移動端末が受信中のサービスが行われているか否かを判断する。サービスが行われている場合、ステップＳＴ３８１３へ移行する。サービスが行われていない場合、ステップＳＴ３９０４へ移行する。ステップＳＴ３９０４にて、移動端末は、サービングセルへの測定結果の通知に用いるイベントの通知を行わない。具体的には、サービングセルの再選択が必要となった場合のイベントの通知を行わない。更に具体的には、イベントＡ３のサービングセルへの通知を行わない。これにより、移動体通信システムとしてのハンドオーバ処理が開始されることはなく、サービングセルの再選択は行われない。よってユーザ所望のＭＢＭＳサービスが行われている、従来のサービングセルが変更されることはなく、ＭＢＭＳサービス受信の中断は起こらないという効果を得ることができる。これにより、本発明の第二の課題である、ユニキャスト／ミクスド周波数レイヤにおいて、ＭＢＭＳ専用セル、ないしユニキャスト／ＭＢＭＳ混合セルからマルチセル送信されているＭＢＭＳサービスを受信している移動端末が、ハンドオーバによりＭＢＭＳサービス受信の中断が発生するという問題を解決することが出来る。
【０１６２】
また、ステップＳＴ３８１２において、ステップＳＴ３８１１にて測定した結果、サービングセルの再選択（cell re-selection）が必要であると判断されているのは事実であるので、ＭＢＭＳサービスの中断を行いたくないのであれば、ユーザは移動を中断すべきとも考えられる。よって、サービングセルの再選択が必要であると判断したにも関わらず、新しいサービングセルにて所望のＭＢＭＳサービスが行われていないことにより、ハンドオーバ処理を中止した旨を表示部への表示、鳴動などによりユーザに知らせても良い。これにより、ユーザが移動より現在のＭＢＭＳサービス受信を優先する場合、移動を中止することが可能になり、よりユーザのニーズに合わせた使い方が可能となる効果を得ることが出来る。また、ステップＳＴ３９０４にて、イベントＡ３のサービングセルへの通知を行わない代わりに、サービングセルの再選択が必要となった場合のイベント（イベントA３）をサービングセルへ通知するとともに、ユーザの意思を通知しても良い。ユーザの意思の具体例としては、ハンドオーバを希望しない旨などが考えられる。
【０１６３】
実施の形態５により、本発明の第二の課題である、ユニキャスト／ミクスド周波数レイヤにおいて、ユニキャスト／ＭＢＭＳ混合セルからマルチセル送信されているＭＢＭＳサービスを受信している移動端末が、ハンドオーバによりＭＢＭＳサービス受信の中断が発生するという問題を解決することが出来る。
【０１６４】
実施の形態６．
実施の形態６で用いる移動体通信システムのシーケンス図を図４０に示す。図４０において、図３８と同一のステップは同一または相当する処理を示すので、説明は省略する。ステップＳＴ４００１にて、サービングセルは、自セルのシステム情報を傘下の移動端末へ通知する。通知されるシステム情報の具体例としては、メジャメント周期、間欠受信周期、トラッキングエリア情報（TA情報）などがある。メジャメント周期とはネットワーク側が傘下の移動端末に通知する周期であって、この周期にしたがって移動端末は電界強度などの測定を行う。自セルのシステム情報には、サービングセルと周辺セルの測定時に用いる測定報告用パラメータ（measurement reporting parameters）を含むものとする。測定報告用パラメータの具体例としては、非特許文献３に示されている「閾値（threshold）」「オフセット値（offset）」などが考えられる。本実施の形態６では、新たに、ユニキャスト／ミクスド周波数レイヤにおいて、ユニキャスト／ＭＢＭＳ混合セルからマルチセル送信されているＭＢＭＳサービスを受信していない移動端末用（以降、単にＭＢＭＳサービス未受信中の移動端末と称する）と、ユニキャスト／ミクスド周波数レイヤにおいて、ユニキャスト／ＭＢＭＳ混合セルからマルチセル送信されているＭＢＭＳサービスを受信している移動端末用（以降、単にＭＢＭＳサービス受信中の移動端末と称する）とに上記測定報告用パラメータを分離することを考える。更に、ＭＢＭＳサービス未受信の移動端末とＭＢＭＳサービス受信中の移動端末用にオフセット値を分離することを考える。更に、ＭＢＭＳサービス受信中の移動端末用のオフセット値を、ＭＢＭＳサービス未受信の移動端末用のオフセット値より大きい値とすることを考える。
【０１６５】
サービングセルから移動端末に対して、自セル情報を通知する際、自セル情報は、ロジカルチャネルである報知制御チャネル（BCCH）にマッピングされ、さらに、トランスポートチャネルである報知チャネル（BCH）、物理チャネルである物理報知チャネル（PBCH）にマッピングされる。また、自セル情報は、ロジカルチャネルである報知制御チャネル（BCCH）にマッピングされ、さらに、トランスポートチャネルである下り共有チャネル（DL-SCH）、物理チャネルである物理下り共有チャネル（PDSCH）にマッピングされてもよい。ＭＢＭＳサービス受信中の移動端末用の「測定報告用パラメータ」は、ユニキャスト／ミクスド周波数レイヤにおいて、ユニキャスト／ＭＢＭＳ混合セルからマルチセル送信されているＭＢＭＳサービスを受信している移動端末が、ハンドオーバを行う場合に発生し得るＭＢＭＳ受信中断という問題を解決するために、新設されたパラメータである。よって、ＭＢＭＳサービスを受信している移動端末に有効なパラメータである。よって、他のシステム情報とは分離して、ＭＢＭＳサービスを受信する移動端末が受信する、ＭＢＭＳサービスの制御情報に付加しても問題ない。これにより、ＢＣＣＨの情報量増加を防ぐことが可能となり、移動体通信システム全体の制御遅延を防止するという効果を得ることが出来る。サービングセルから移動端末に対して、ＭＢＭＳサービスの制御情報を通知する際、ＭＢＭＳサービスの制御情報は、ロジカルチャネルである報知制御チャネル（BCCH）にマッピングされ、さらに、トランスポートチャネルである報知チャネル（BCH）、物理チャネルである物理報知チャネル（PBCH）にマッピングされる。また、ＭＢＭＳサービスの制御情報は、ロジカルチャネルである報知制御チャネル（BCCH）にマッピングされ、さらに、トランスポートチャネルである下り共有チャネル（DL-SCH）、物理チャネルである物理下り共有チャネル（PDSCH）にマッピングされてもよい。また、ＭＢＭＳサービスの制御情報は、ロジカルチャネルであるマルチキャスト制御チャネル（MCCH）にマッピングされ、さらにトランスポートチャネルであるマルチキャストチャネル（MCH）、物理チャネルである物理マルチキャストチャネル（PMCH）にマッピングされてもよい。ステップＳＴ４００２にて、移動端末は、サービングセルから自セルのシステム情報を受信する。
【０１６６】
ステップＳＴ４００３にて、移動端末は、ＭＢＭＳ受信中であるか否かを判断する。具体的には、ユニキャスト／ミクスド周波数レイヤにおいて、ユニキャスト／ＭＢＭＳ混合セルからマルチセル送信されているＭＢＭＳサービスを受信しているか否かを判断する。受信中であれば、ステップＳＴ４００４へ移行する。受信中でなければステップＳＴ４００５へ移行する。ステップＳＴ４００４にて、移動端末は、測定報告用パラメータにＭＢＭＳ受信中の移動端末用の測定報告用パラメータをセットする。具体的には、オフセット値にＭＢＭＳ受信中の移動端末用のオフセット値をセットする。ステップＳＴ４００５にて、移動端末は、測定報告用パラメータにＭＢＭＳ未受信中の移動端末用の測定報告用パラメータをセットする。更に具体的には、オフセット値にＭＢＭＳ未受信中の移動端末用のオフセット値をセットする。
【０１６７】
本実施の形態６により、ＭＢＭＳサービスを受信中とＭＢＭＳサービスを未受信の移動端末のハンドオーバ処理が起こる周辺セル（新しいサービングセル）の測定結果を変更することが可能となる。更には、ＭＢＭＳサービス受信中の移動端末用のオフセット値をＭＢＭＳサービス未受信の移動端末用のオフセット値より大きい値とすることにより、ＭＢＭＳサービス受信中の移動端末がハンドオーバ処理を行う周辺セルの測定結果をＭＢＭＳサービス未受信中より高くすることが可能となる。これにより、ユニキャスト／ミクスド周波数レイヤにおいて、ユニキャスト／ＭＢＭＳ混合セルからマルチセル送信されているＭＢＭＳサービスを受信している移動端末が、ユニキャスト／ミクスド周波数レイヤにおいて、ユニキャスト／ＭＢＭＳ混合セルからマルチセル送信されているＭＢＭＳサービスを受信していない移動端末と比較して、地理的に同じ場所に位置した場合、ハンドオーバを起こりにくくすることが可能となる。これにより、同じ基地局からユニキャスト／ミクスド周波数レイヤにおいて、ユニキャスト／ＭＢＭＳ混合セルからマルチセル送信されているＭＢＭＳサービスを受信することが可能な地理的範囲を広くすることが出来る。これにより、ユニキャスト／ミクスド周波数レイヤにおいて、ユニキャスト／ＭＢＭＳ混合セルからマルチセル送信されているＭＢＭＳサービスを受信している移動端末が、ハンドオーバによりＭＢＭＳサービス受信の中断の発生を減らすという効果を得ることが出来る。実施の形態５では、隣接セル情報に、新たに隣接セルのＭＢＭＳサービスのサービス内容を付加することにより、第二の課題を解決した。しかし、隣接セル毎のＭＢＭＳサービスのサービス内容の情報量は多くなることが考えられる。本実施の形態６では、隣接セルのＭＢＭＳサービスのサービス内容を付加することなく、第二の課題を解決した。よって、実施の形態５と比較してサービングセルから移動端末へ通知される情報量を少なくしつつ、第二の課題を解決可能となる。よって、実施の形態５と比較して無線リソースの有効活用という効果を得ることが出来る。
【０１６８】
変形例１．
実施の形態６を以下のように変形すれば、更なる効果を得ることが出来る。実施の形態６の変形例１で用いる移動体通信システムのシーケンス図を図４１に示す。なお、図４１において、図３８ないし図４０と同一番号のステップは、同一または相当の処理を示すので説明は省略する。ステップＳＴ４００３にて、移動端末は、ＭＢＭＳ受信中であるか否かを判断する。更に具体的には、ユニキャスト／ミクスド周波数レイヤにおいて、ユニキャスト／ＭＢＭＳ混合セルからマルチセル送信されているＭＢＭＳサービスを受信しているか否かを判断する。受信中であれば、ステップＳＴ４１０１へ移行する。受信中でなければステップＳＴ４００５へ移行する。ステップＳＴ４１０１にて、移動端末は、ユーザの意思を確認する。更に具体的には、ユニキャスト通信よりＭＢＭＳサービス受信を優先するか否かを判断する。更に具体的には、ユニキャスト通信よりユニキャスト／ミクスド周波数レイヤにおいて、ユニキャスト／ＭＢＭＳ混合セルからマルチセル送信されているＭＢＭＳサービスを受信を優先するか否かを判断する。優先する場合、ステップＳＴ４００４へ移行する。優先しない場合、ステップＳＴ４００５へ移行する。
【０１６９】
実施の形態６の変形例１により以下の更なる効果を得ることが出来る。ステップＳＴ４００４にて、オフセット値に、ＭＢＭＳ受信中の移動端末用のオフセット値をセットした場合、ＭＢＭＳサービスを受信していない移動端末が、現在のサービングセルからの受信状況が悪くなり、新しいサービングセルへハンドオーバ処理を開始したとしても（イベントA3をサービングセルへ通知したとしても）、ＭＢＭＳサービス受信中の移動端末は同じ受信状況（同じ地理的な位置とも言える）であってもハンドオーバ処理を開始しない。このことは、ＭＢＭＳサービスを受信していない移動端末が、現在のサービングセルからの受信状況が悪いとして、ハンドオーバ処理を開始する場合であっても、ＭＢＭＳサービス受信中の移動端末は、現在のサービングセルに留まることを意味する。よって、ＭＢＭＳサービス受信の中断はおこらないが、ユニキャストサービスの受信品質の劣化に繋がることも考えられる。よって、本変形例を用いれば、ＭＢＭＳサービスの受信の中断を可能な限り行いたくないのか、ＭＢＭＳサービスの受信の中断を許しユニキャストサービスの受信品質の劣化を防ぎたいのか、ユーザの意思を反映した移動体通信システムの処理とすることが可能となり、よりユーザのニーズに合わせた使い方が可能となる効果を得ることが出来る。
【０１７０】
変形例２．
実施の形態６を以下のように変形すれば、更なる効果を得ることが出来る。実施の形態６の変形例２で用いる移動体通信システムのシーケンス図を図４２に示す。なお、図４２において、図３８〜４０と同一番号のステップは、同一または相当の処理を示すので説明は省略する。ステップＳＴ４００３にて、移動端末は、ＭＢＭＳ受信中であるか否かを判断する。受信中であれば、ステップＳＴ４２０１へ移行する。受信中でなければステップＳＴ４００５へ移行する。ステップＳＴ４２０１にて、移動端末は、測定対象の周辺セルについて、ステップＳＴ３９０２にて受信した隣接セル情報を用いて、隣接セルのＭＢＭＳサービスのサービス内容を確認する。測定対象の周辺セルにて、現在のサービングセルにて受信中のＭＢＭＳサービスが行われているかを判断する。行われていた場合、ステップＳＴ４００５へ移行する。行われていない場合、ステップＳＴ４００４へ移行する。
【０１７１】
実施の形態６の変形例２により、以下の更なる効果を得ることが出来る。新しいサービングセルにて、現在のサービングセルにて受信中のＭＢＭＳサービスが行われている場合、ハンドオーバによるＭＢＭＳサービス受信の中断という問題は発生しない。よって、新しいサービングセルにて、現在のサービングセルにて受信中のＭＢＭＳサービスが行われている場合、ユニキャストサービス（ＭＢＭＳサービスも含む）の受信品質の劣化につながる、ＭＢＭＳサービス受信中の測定報告用パラメータを用いることを防ぐことが可能となる。また、実施の形態６の変形例１と実施の形態６の変形例２は、組み合わせて用いることが可能である。
【０１７２】
実施の形態７．
ＭＢＳＦＮ同期エリア内の、全てのＭＢＳＦＮエリアに属する基地局が、ユニキャスト／ミクスド周波数レイヤにおいて、ユニキャスト／ＭＢＭＳ混合セルからマルチセル送信に用いる無線リソースを同じとすることを考える。更に具体的には、ＭＢＳＦＮ同期エリア内の、全てのＭＢＳＦＮエリアが、ＭＢＭＳサービス（MCCH、MTCH）送信に用いるMBSFNサブフレームを、ともに用いることを考える。更に具体的には、ＭＢＳＦＮ同期エリアにて共通の無線リソース（MBSFNサブフレーム）を、各ＭＢＳＦＮエリアにて多重して用いる。多重方法の具体例を図４３に示す。図４３は、ＭＢＳＦＮサブフレームをＭＢＳＦＮエリアで多重する概念を示す説明図である。図４３において、パターンＡでは、ＭＢＳＦＮエリアＡに属する基地局とＭＢＳＦＮエリアBに属する基地局が使用する無線リソース（MBSFNサブフレーム）が時分割多重されている。ＭＢＳＦＮサブフレーム中にて、ＭＢＳＦＮエリアＡに属する基地局がＭＢＭＳサービスを送信している時間は、ＭＢＳＦＮエリアＢに属する基地局からのＭＢＭＳサービス及びユニキャストサービスの送信は行わない、つまり送信オフの期間である。また、ＭＢＳＦＮエリアBに属する基地局がＭＢＭＳサービスを送信している時間は、ＭＢＳＦＮエリアＡに属する基地局からのＭＢＭＳサービス及びユニキャストサービスの送信は行わない、つまり送信オフの期間である。パターンＢも時分割多重の具体例であるが、パターンＢはＭＢＳＦＮサブフレーム内を時分割するのではなく、ＭＢＳＦＮエリア毎に用いるＭＢＳＦＮサブフレームを決定する。ただし、パターンＢもパターンＡ同様、ＭＢＳＦＮエリアＡに属する基地局がＭＢＭＳサービスを送信しているＭＢＳＦＮサブフレームでは、ＭＢＳＦＮエリアＢに属する基地局からのＭＢＭＳサービス及びユニキャストサービスの送信は行わない、つまり送信オフである。また、ＭＢＳＦＮエリアＢに属する基地局がＭＢＭＳサービスを送信しているＭＢＳＦＮサブフレームでは、ＭＢＳＦＮエリアＡに属する基地局からのＭＢＭＳサービス及びユニキャストサービスの送信は行わない、つまり送信オフである。
【０１７３】
パターンＣでは、ＭＢＳＦＮエリアＡに属する基地局とＭＢＳＦＮエリアBに属する基地局が使用する無線リソース（MBSFNサブフレーム）が周波数分割多重（FDM：Frequency Division Multiplexing）されている例である。ＭＢＳＦＮサブフレーム中にて、ＭＢＳＦＮエリアＡに属する基地局が、ＭＢＭＳサービスを送信している周波数では、ＭＢＳＦＮエリアＢに属する基地局からのＭＢＭＳサービス及びユニキャストサービスの送信は行わない、つまり送信オフである。ＭＢＳＦＮサブフレーム中にて、ＭＢＳＦＮエリアＢに属する基地局がＭＢＭＳサービスを送信している周波数では、ＭＢＳＦＮエリアＡに属する基地局からのＭＢＭＳサービス及びユニキャストサービスの送信は行わない、つまり送信オフである。パターンＤでは、ＭＢＳＦＮエリアＡに属する基地局とＭＢＳＦＮエリアBに属する基地局が使用する無線リソース（MBSFNサブフレーム）が符号分割多重されている例である。ＭＢＳＦＮ同期エリアにて共通の無線リソース（ＭＢＳＦＮサブフレーム）にて、ＭＢＳＦNエリアＡに属する基地局は、データにコードＡを乗算してＭＢＭＳサービスを送信する。また、ＭＢＳＦＮ同期エリアにて、共通の無線リソース（MBSFNサブフレーム）にて、ＭＢＳＦＮエリアＢに属する基地局は、データにコードＢを乗算してＭＢＭＳサービスを送信する。また、ＭＢＳＦＮエリア内の全てのＭＢＳＦＮエリアに属する基地局が同じ無線リソース（MBSFNサブフレーム）を用いる例について述べたが、ＭＢＳＦＮエリアを構成する基地局が隣接するMBSFNエリアに属する基地局が同じ無線リソースを用いるとしても良い。
【０１７４】
実施の形態７により、第二の課題であるユニキャスト／ミクスド周波数レイヤにおいて、ユニキャスト／ＭＢＭＳ混合セルからマルチセル送信されているＭＢＭＳサービスを受信している移動端末が、ハンドオーバによりＭＢＭＳサービス受信の中断の発生を減らすという効果を得ることが出来る。なぜなら、実施の形態７のような移動体通信システムにより、ＭＢＳＦＮ同期エリアに属する基地局においては、同じ無線リソース（MBSFNサブフレーム）を用いてＭＢＭＳサービスを提供することになる。現在のサービングセルがＭＢＳＦＮエリアＡに属し、新しいサービングセルがＭＢＳＦＮエリアＢに属した場合を考える。ユニキャストサービスは受信品質の良好な新しいサービングセルと送受信を行い、また、新しいサービングセルがスケジューリングを行う。一方、ＭＢＭＳサービスはユーザ所望のサービスを行っているＭＢＳＦＮエリアのＭＢＭＳサービスを受信することが可能となる。また、ＭＢＳＦＮ同期エリアに属する基地局を対象としているため、本実施の形態を実現するために新たに基地局間の同期を維持する基地局を増やす必要がないので、移動体通信システムの複雑性を増すことはない。実施の形態5と比較して以下の効果を得ることが出来る。実施の形態５で必要な隣接セルのＭＢＭＳサービスのサービス内容が不要である。よって、実施の形態５と比較してサービングセルから移動端末へ通知される情報量を少なくしつつ、第二の課題を解決可能となる。よって、実施の形態５と比較して無線リソースの有効活用という効果を得ることが出来る。
【０１７５】
実施の形態６と比較して以下の効果を得ることが出来る。実施の形態６で必要なユニキャスト／ミクスド周波数レイヤにおいてユニキャスト／ＭＢＭＳ混合セルからマルチセル送信されているＭＢＭＳサービスを受信していない移動端末用と、ユニキャスト／ミクスド周波数レイヤにおいてユニキャスト／ＭＢＭＳ混合セルからマルチセル送信されているＭＢＭＳサービスを受信している移動端末用とに分離した測定報告用パラメータが不要となる。よって実施の形態６と比較してサービングセルから移動端末へ通知される情報量を少なくしつつ、第二の課題を解決可能となる。よって、実施の形態６と比較して無線リソースの有効活用という効果を得ることが出来る。さらには、実施の形態７では、ＭＢＭＳサービス受信中の移動端末であってもサービングセルの受信品質がＭＢＭＳサービス未受信中の移動端末と同じだけ悪くなれば、新しいサービングセルにて現在受信中のＭＢＭＳサービスが行われているか行われていないかに関わらずハンドオーバすることが可能となるので、実施の形態６と比較してユニキャストサービスの受信品質の劣化がおこらないという効果を得ることが出来る。
【０１７６】
実施の形態８．
発明が解決しようとする第三の課題について図４４を用いて説明する。非特許文献２のとおり、ＭＢＭＳ／ユニキャスト混合セルにおけるＭＢＳＦＮサブフレームの割り当てについて検討されている。非特許文献１のとおり、サブフレーム単位にてＭＢＳＦＮ（Multimedia Broadcast multicast service Single Frequency Network）用とＭＢＳＦＮ以外のチャネルの多重が行われる。以降、ＭＢＳＦＮ送信用のサブフレームをＭＢＳＦＮサブフレーム（ＭＢＳＦＮ sub-frame）と称する。また、現在の３ＧＰＰにおいて、混合セルにおいては、ＭＢＳＦＮフレーム（サブフレーム）において、サブフレーム単位において先頭の１〜２ＯＦＤＭシンボル以外は、ユニキャスト送信用に用いてはいけないことが決定されている。つまり先頭の１〜２ＯＦＤＭシンボル以外は、ＭＢＭＳ送信専用のリソースとなる。図４４ではＰＭＣＨと表記している。一方、非特許文献１において、ＰＣＨがＰＤＳＣＨあるいは、ＰＤＣＣＨにマッピングされることが開示されている。また非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。よって、ＰＣＨは、Ｌ１／Ｌ２シグナリングチャネルを用いるため、ＭＢＳＦＮフレームであってもマッピングすることができる。一方、ＭＢＳＦＮフレームにおいては、ＰＣＨにて次の制御情報の下り無線リソースの割り当てをする場合、同じサブフレーム上の下り無線リソースはＭＢＭＳ送信専用となるため、同じサブフレーム内に制御情報の割り当てをすることは出来ないという課題が発生する。
【０１７７】
非特許文献４に移動端末へのページング信号送信について以下の記載がある．ページンググループに属するいずれかの移動端末宛のページング信号が発生したことを伝えるＰＩＣＨ（Paging Indicator channel）は、Ｌ１／Ｌ２シグナリングチャネルを用いて送信される。ページング信号が自分宛てのものであるか否かを判断するために移動端末は、ページング信号をデコードする。ＰＣＨはページング信号を1つ以上持つことが可能である。ＰＩＣＨはL1/L2シグナリングチャネルを用いて送信される、つまりサブフレーム単位において先頭の１〜３ＯＦＤＭシンボルに位置づけられる。一方ＰＣＨは、ＰＩＣＨと同じサブフレームにあるＰＤＳＣＨにマッピングされる。非特許文献４のページング信号送信手順においても本発明の解決しようとする第三の課題は発生する。つまりＭＢＭＳ/ユニキャスト混合セルにおいて、ＭＢＳＦＮサブフレームが構成されている場合、ＭＢＳＦＮサブフレームの先頭の１〜２ＯＦＤＭシンボルにてＰＩＣＨを送信したとしても、ＰＩＣＨと同じサブフレームはＭＢＭＳ送信専用のリソースである。そのため、ページング信号が自分宛てのものであるか否かを判断するためのページング信号をマッピングするＰＣＨを送信することは出来ない。また、非特許文献４には本発明の解決しようとする第三の課題についての示唆もない。
【０１７８】
非特許文献５にページングがおこる時（ページングアケージョン（ページングオケージョン）:Paging occasion）を求める式について以下の記載がある。ページングアケージョンを求めるためには、ページングインターバル（本発明における混合周波数レイヤにおける間欠受信周期にあたる）とページングインターバル中でのページングアケージョンの数の２つのパラメータが必要であり、他に必要なパラメータはないと記載されている。更にページングアケージョンが発生する無線フレーム中のサブフレームは、固定値とすると記載されている。しかし非特許文献５にはページング信号がマッピングされるページングアケージョンの無線フレーム中のサブフレームについての決定方法についての記載はない。また、非特許文献５にはページングアケージョンの無線フレーム中のサブフレームとＭＢＳＦＮサブフレームとの関係についての記載はなく、本発明の解決しようとする第三の課題についての示唆もない。
【０１７９】
ＭＢＳＦＮサブフレームの先頭の1〜２ＯＦＤＭシンボル以外はＭＢＭＳ送信専用のリソースとなる。ページングアケージョンの無線フレーム中のサブフレームがＭＢＳＦＮサブフレームの割り当てと重なった場合、先頭の１〜２ＯＦＤＭシンボル以外は、ＭＢＭＳ送信専用のリソースとなりページング処理に用いることはできない。従来のページング処理方法ではＭＢＳＦＮサブフレームについて全く考慮していないため、ＭＢＭＳ/ユニキャスト混合セルでのページング処理に適用することは不可能となる問題が生じる。この問題を解決するため、本実施の形態８では、ページングアケージョンの無線フレーム中のどのサブフレームを、ページング処理（ページング信号（ページングメッセージ）、ＰＩＣＨ、ＰＣＨなどの送信）に用いるかを決定する方法について開示する。ページング信号がマッピングされるページングアケージョンの無線フレーム中のサブフレームの決定を行う場合のシーケンス図の具体例を図４５に示す。図４０と同じステップ番号の処理については、同じ処理であるために説明を省略する。ステップＳＴ4001にてサービングセルは、自セルのシステム情報を傘下の移動端末へ通知する。通知されるシステム情報の具体例としては、メジャメント周期、間欠受信周期、トラッキングエリア情報（TA情報）などがある。自セルのシステム情報には、間欠受信用パラメータを含むものとする。間欠受信用パラメータの具体例としては、混合周波数レイヤにおける間欠受信周期（T）、ページングインターバル中でのページングアケージョンの数（N）（あるいは、ページンググループ数）などがある。間欠受信周期の表し方の具体例としては無線フレーム数などがある。ステップＳＴ4002にて移動端末は、サービングセルから自セルのシステム情報を受信する。ステップＳＴ4501にてサービングセルは、ＭＢＳＦＮサブフレームの割り当て情報を送信する。ＭＢＳＦＮサブフレームの割り当てに関する現在の3GPPの議論では、以下のようなことが話されている。ＭＢＳＦＮサブフレーム中のレファレンスシグナルとＭＢＳＦＮサブフレームではないサブフレームのレファレンスシグナルの無線リソースとしてのマッピング位置が異なる。よってより正確なレファレンスシグナルを用いた測定を行うためには、ＭＢＭＳサービスを受信する能力のない移動端末であってもサービングセルのＭＢＳＦＮサブフレームの割り当て情報を把握する必要があるという議論がされている（非特許文献２）。ＭＢＳＦＮサブフレームの割り当て情報の具体例としては、ＭＢＳＦＮサブフレームとして割り当てられるサブフレームのサブフレーム番号（例えば図４４では、サブフレーム番号＃1）が考えられる。ステップＳＴ4502にて移動端末は、サービングセルからＭＢＳＦＮサブフレームの割り当て情報を受信する。
【０１８０】
ステップＳＴ4503にて移動端末は、ページングアケージョンを求める。本実施の形態８では第三の課題を解決するためのページングアケージョンの無線フレーム中のサブフレームの決定方法を開示する。本実施の形態８で開示する方法は、ページングアケージョン（ページングアケージョンの無線フレーム）の求め方によらずに、用いられることができる。ステップＳＴ4504にてサービングセルは、移動体通信システムとして移動端末と同じ方法を用いてページングアケージョンの無線フレームを求める。ステップＳＴ4505にて移動端末は、ページングアケージョンの無線フレーム中のサブフレームを求める。ステップＳＴ4506にてサービングセルは、移動体通信システムとして移動端末と同じ方法を用いてページングアケージョンの無線フレーム中のサブフレームを求める。
【０１８１】
ステップＳＴ4505における、ページングアケージョンの無線フレーム中のサブフレームを求める方法の詳細を以下に説明する。移動端末は、ステップＳＴ4502にて受信したＭＢＳＦＮサブフレームの割り当て情報を元に、ＭＢＳＦＮサブフレーム以外のサブフレームがページングアケージョンの無線フレーム中のサブフレームとなるようにする。更に具体的には、ＭＢＳＦＮサブフレームを除いてサブフレームの再番号付けを行う。図４６を用いて説明する。図４６（a）はＭＢＳＦＮサブフレームが存在しない無線フレームである。図４６（b）は、例えばサブフレーム番号＃3にＭＢＳＦＮサブフレームが割り当てられた場合のサブフレームの再番号付けの例である。再番号付けの前と後では、次のような対応となる。（再番号付け前―再番号付け後）、（#0-#0（ＭＢＳＦＮ））（#1-#1（ＭＢＳＦＮ））（#2-#2（ＭＢＳＦＮ））（#3-ＭＢＳＦＮサブフレーム）（#4-#3（ＭＢＳＦＮ））（#5-#4（ＭＢＳＦＮ））（#6-#5（ＭＢＳＦＮ））（#7-#6（ＭＢＳＦＮ））（#8-#7（ＭＢＳＦＮ））（#9-#8（ＭＢＳＦＮ））。以降再番号付け後のサブフレーム番号には(ＭＢＳＦＮ)を付加して記載することとする。図４６（c）には1無線フレーム中に2つのＭＢＳＦＮサブフレームが割り当てられた場合について記載している。再番号付けの詳細についてＭＢＳＦＮサブフレームが1つの場合と同様であるので説明を省略する。ページングアケージョンの無線フレーム中のサブフレームをＭＢＳＦＮサブフレームを除いたサブフレーム数に対応付けて決定する。具体例として図４７に対応表を示す。図４７（a）について説明する。ＭＢＳＦＮサブフレームを除いたサブフレーム数が「９」であった場合（つまり該無線フレーム中のＭＢＳＦＮサブフレームとしての割り当ては1サブフレームである）、ページングアケージョンの無線フレーム中のサブフレームは#4(ＭＢＳＦＮ)となる。図４７（a）を用いて、図４６(c)の場合のページングアケージョンの無線フレーム中のサブフレームを求めてみる。図４６(c)の場合、ＭＢＳＦＮサブフレームを除いたサブフレーム数は、「8」となる。図４７（a）を用いてページングアケージョンの無線フレーム中のサブフレームを決定すると、#3(ＭＢＳＦＮ)となる。図４７（b）には、１無線フレーム中にページングアケージョンの無線フレーム中のサブフレームが複数発生する場合を考えた対応表を示す。
例えば、図４７（b）の１無線フレーム中にページングアケージョンのサブフレームが発生する数が「２」の場合には、各移動端末は図４７（b）の1無線フレーム中にページングアケージョンのサブフレームが発生する数が「2」の場合の欄に示すどちらのサブフレームを間欠受信にて受信（モニタ）すれば良いか分からない。このことは以下の方法によって解決できる。移動端末の識別子  mode  1無線フレーム中のページングアケージョンのサブフレームの数  を求める。1無線フレーム中のページングアケージョンのサブフレーム数が「２」の場合、前記式の解は０あるいは１となる。よって具体例としては前記式の解が「０」となった場合は、対応表の上段のサブフレーム番号、「１」となった場合は対応表の下段のサブフレーム番号と規定する。あるいは対応表に前記情報を含める。また別の解決策として、移動端末は1無線フレーム中に複数存在するページングアケージョンのサブフレームを全て受信（モニタ）することにより前記課題は解決される。更に１無線フレーム中に複数のページングアケージョンが発生するにも関わらずＭＢＳＦＮサブフレームの割り当てとの関係でページングアケージョンのサブフレーム番号が必要数分規定出来ない場合が発生する。具体的には図４７（b）の1無線フレーム中にページングアケージョンのサブフレームが発生する数が「２」、ＭＢＳＦＮサブフレームを除いたサブフレーム数「１」、の場合である。この課題は以下の方法によって解決できる。1無線フレーム中に存在するページングアケージョン数がＭＢＳＦＮサブフレームを除いたサブフレーム数以下となるようにページンググループ数または/かつ混合周波数レイヤにおける間欠受信周期（T）または/かつＭＢＳＦＮサブフレームの割り当て（割り当て数）を決定する。つまり以下の式（「ページンググループ数（N）／混合周波数レイヤにおける間欠受信周期（T）＝＜10（1無線フレーム中のサブフレーム数）−ＭＢＳＦＮサブフレームの割り当て数」）を満たすようなページンググループ数（N）、混合周波数レイヤにおける間欠受信周期（T）、ＭＢＳＦＮサブフレームの割り当て数を決定すればよい。
【０１８２】
上記で述べた1無線フレーム中にページングアケージョンのサブフレームが複数発生する場合の具体例を以下に述べる。ページングアケージョンの無線フレームを求める方法にて、非特許文献５を用いた場合を考える。非特許文献５では先にも述べたように、ページングアケージョンを求めるためには、ページングインターバル（本発明における混合周波数レイヤにおける間欠受信周期にあたる）（T）とページングインターバル中でのページングアケージョンの数（N）の２つのパラメータが必要であり、他に必要なパラメータはないと記載されている。1無線フレーム中にページングアケージョンのサブフレームが複数発生する場合は、以下の式（１＜N/T）で表すことが出来る。その場合の図４７（b）の用いる方法について具体例を以下に示す。
１＜N/T＝＜２の場合は1無線フレーム中に異なるページンググループのページングアケージョンに対応するサブフレームが２つ存在することになる。よって１＜N/T＝＜２の場合は、図４７（b）の1無線フレーム中にページングアケージョンのサブフレームが発生する数が「2」の欄を用いることとなる。
【０１８３】
図４７に示したような対応表は、ネットワーク側と移動端末側で認識を合わせておく必要がある。対応表が移動体通信システムとして静的に決定されていても良い。これにより、ネットワーク側から移動端末側へ通知する必要がないため、無線リソースの有効活用という更なる効果を得ることが出来る。一方、対応表が変更可能とするならば、ロジカルチャネルとして報知制御チャネル（BCCH）にマッピングされ、トランスポートチャネルの報知チャネル（BCH）にマッピングされ、物理チャネルの物理報知チャネル（PBCH）にマッピングされることが考えられる。また別の具体例としては、ロジカルチャネルとして報知制御チャネル（BCCH）にマッピングされ、トランスポートチャネルの下り共有チャネル（DL-SCH）にマッピングされ、物理チャネルの物理下り共有チャネル（PDSCH）にマッピングされることが考えられる。対応表を変更可能とすることにより、より柔軟な移動体通信システムの構築が可能となる更なる効果を得ることが出来る。
【０１８４】
実施の形態８では、ＭＢＳＦＮサブフレームを除いてサブフレームの再番号付けを行い、再番号付け後のサブフレーム番号にてページングアケージョンの無線フレーム中のサブフレームを決定している。よってページングアケージョンの無線フレーム中のサブフレームとＭＢＳＦＮサブフレームが同じサブフレームとなることはない。よって本発明の第三の課題を解決することができるという効果を得ることが出来る。
【０１８５】
本変形例１では、実施の形態８のステップＳＴ4505の処理の異なる方法を示す。移動端末は、ステップＳＴ4502にて受信したＭＢＳＦＮサブフレームの割り当て情報を元に、ＭＢＳＦＮサブフレーム以外のサブフレームがページングアケージョンの無線フレーム中のサブフレームとなるようにする。更に具体的には、ＭＢＳＦＮサブフレームを除いてサブフレームの再番号付けを行う。詳細は実施の形態８と同様であるので説明を省略する。本変形例１では実施の形態８と異なり、対応表ではなくＭＢＳＦＮサブフレームを除いたサブフレームの数とページングアケージョンの無線フレーム中のサブフレームとの関係を一定に保つことを考える。言い換えれば、ＭＢＳＦＮサブフレームを除いたサブフレームの数とページングアケージョンの無線フレーム中のサブフレームとの関係式を規定する。関係式の具体例を以下に示す。
移動端末の識別子（ＵＥ−ＩＤ、ＩＭＳＩ、Ｓ−ＴＭＳＩなど）mod（ＭＢＳＦＮサブフレームを除いたサブフレーム数）＝ページングアケージョンの無線フレーム中のサブフレーム（但し再番号付け後のサブフレーム番号）（式１）
（移動端末の識別子（ＵＥ−ＩＤ、ＩＭＳＩ、Ｓ−ＴＭＳＩなど）div  ページンググループ数（N））mod  ＭＢＳＦＮサブフレームを除いたサブフレーム数＝ページングアケージョンの無線フレーム中のサブフレーム（但し再番号付け後のサブフレーム番号）(式２)などが考えられる。
【０１８６】
本変形例１により実施の形態８での効果に加えて以下の効果を得ることが出来る。ネットワーク側と移動端末側とで、対応表といった多量の情報を記憶しておく必要がないという効果を得ることが出来る。また、ＭＢＳＦＮサブフレームを除いたサブフレーム数とページングアケージョンの無線フレーム中のサブフレームの対応が変更となった場合であっても、関係式をネットワーク側から移動端末側へ通知するのみでよく、対応表といった多量の情報を通知する必要がないという効果を得ることが出来る。
【０１８７】
上記関係式は、ページングアケージョン（ページングアケ-ジョンの無線フレーム）の求め方によらず適用可能ではあるが、1無線フレームの中で実際にページングアケージョンが割り当てられるサブフレームに偏りが生じてしまう場合が発生する。ページングアケ-ジョンの算出式を「ページングアケージョン＝（移動端末の識別子  mod  ページンググループ数（N））×Int（混合周波数レイヤにおける間欠受信周期（T）/ページンググループ数（N））」とすることが考えられる。もしこの場合に、ページングアケ-ジョンの無線フレームの中のサブフレームの決定式に式１を適用した場合、ページングアケ-ジョンが割り当てられるサブフレームに偏りが生じる場合がある。例えば、N＝３で、ＭＢＳＦＮサブフレームを除いたサブフレーム数＝３の場合である。N=3なので、ページングアケ-ジョンが＃０の無線フレームに発生するが、この無線フレームに割り当てられる移動端末の識別子（IMSI等）は３の倍数となる。したがって、式１を適用すると、K=３なので、該無線フレーム中で割り当てられるサブフレームは全ての移動端末において＃０のサブフレームとなってしまう。このように、場合によっては、1無線フレームの中で実際にページングアケージョンが割り当てられるサブフレームに偏りが生じてしまう場合が発生する。ここでは、１無線フレームの中で実際にページングアケージョンが割り当てられるサブフレームに偏りが生じないようにする方法を開示する。例えば、ページングアケ-ジョンの無線フレームとサブフレームの両者ともに、移動端末の識別子を、NやＭＢＳＦＮサブフレームを除いたサブフレーム数でmod演算をとる式としない方法がある。具体例として、サブフレームの決定式を（式１）とした場合は、実施の形態２に示した以下のページングアケージョンの求め方とする。
「Ｐａｇｉｎｇ  Ｏｃｃａｓｉｏｎ＝（ＩＭＳＩ  ｄｉｖ  Ｋ）ｍｏｄ（ユニキャスト／混合周波数レイヤにおける間欠受信周期）＋ｎ×（ユニキャスト／混合周波数レイヤにおける間欠受信周期）  ｎ：０、１、２・・・、ただし、Ｐａｇｉｎｇ  Ｏｃｃａｓｉｏｎ≦ＳＦＮの最大値。」となる。ここでＳＦＮは０からＳＦＮの最大値までの整数。KはＭＢＳＦＮサブフレームを除いたサブフレーム数。また、サブフレームの決定式を（式２）とした場合は、以下のページングアケ-ジョンの求め方とする。
ページングアケージョン＝（移動端末の識別子  mod  ページンググループ数（N））×Int（混合周波数レイヤにおける間欠受信周期（T）/ページンググループ数（N））
【０１８８】
また別の方法として、サブフレームの決定式を（式２）とした場合、以下のページングアケ-ジョンの求め方とする。
「ページング発生無線フレーム」（Paging Occasion）=（IMSI div K）ｍｏｄ  Ｘ  ＋ｎ×（ＭＢＭＳ送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＸはＭＢＭＳ送信周波数レイヤにおける間欠受信周期内でページングが発生する無線フレームの数で、Ｘ≦ＭＢＭＳ送信周波数レイヤにおける間欠受信周期(無線フレーム数)である。なお、Ｘの値（Ｘでの剰余値）と、無線フレームナンバ（SFN）を関係付けておく。こうすることで、ページングが発生する無線フレームを任意に設定しておけるという効果がある。  また別の方法として、サブフレームの決定式を（式２）とした場合、以下のページングアケ-ジョンの求め方とする。
「ページング発生無線フレーム」（Paging Occasion）=（（IMSI div K）ｍｏｄ（Int（Ｔ／ＴＸ））)×ＴＸ  ＋ｎ×（ＭＢＭＳ送信周波数レイヤにおける間欠受信周期）、ｎ：０、１、２・・・ただし、Ｐａｇｉｎｇ  Ｏｃｃａｓｉｏｎ≦ＳＦＮの最大値。ＳＦＮは０からＳＦＮの最大値までの整数。ＴＸ≦ＭＢＭＳ送信周波数レイヤにおける間欠受信周期(無線フレーム数)である。
ページングが発生する無線フレームを周期的にすることによって、前述したＸの値（Ｘでの剰余値）と無線フレームナンバ（SFN）を関係付けておく必要がなくなるため、算出演算を簡単にすることができる。
【０１８９】
上記関係式は静的に決定されていても良い。これにより、ネットワーク側から移動端末側へ通知する必要がないため、無線リソースの有効活用という更なる効果を得ることが出来る。一方、関係式が変更可能とするならば、ロジカルチャネルとして報知制御チャネル（BCCH）にマッピングされ、トランスポートチャネルの報知チャネル（BCH）にマッピングされ、物理チャネルの物理報知チャネル（PBCH）にマッピングされることが考えられる。また別の具体例としては、ロジカルチャネルとして報知制御チャネル（BCCH）にマッピングされ、トランスポートチャネルの下り共有チャネル（DL-SCH）にマッピングされ、物理チャネルの物理下り共有チャネル（PDSCH）にマッピングされることが考えられる。対応表を変更可能とすることにより、より柔軟な移動体通信システムの構築が可能となる更なる効果を得ることが出来る。上記関係式の具体例において以下の効果を得ることが出来る。同じページンググループに属する移動端末であっても移動端末の識別子に応じてページングアケージョンの無線フレーム中のサブフレームの値が変る。これにより、同じサブフレームを用いる移動端末の数が減ることになる。よって1サブフレーム中でＰＩＣＨ、ＰＣＨに用いる無線リソースが減るという効果を得ることが出来る。
【０１９０】
本変形例２では、実施の形態８のステップ4505の処理の異なる方法を示す。本変形例２では、サブフレームの再番号付けを行わない。移動端末は、ページングアケージョンの無線フレーム中のサブフレームをステップＳＴ4502にて受信したＭＢＳＦＮサブフレームの割り当て情報に対応付けて（割り当てを避けるように）決定する。具体例として図４８に対応表を示す。図４８(a)について説明する。ＭＢＳＦＮサブフレームの割り当てが「＃1」であった場合、ページングアケージョンの無線フレーム中のサブフレームは「＃4」となる。 図４８（b）には、１無線フレーム中にページングアケージョンの無線フレーム中のサブフレームが複数発生する場合を考えた対応表を示す。例えば、図４８（b）の1無線フレーム中にページングアケージョンのサブフレームが発生する数が「2」の場合には、各移動端末は図４８（b）の1無線フレーム中にページングアケージョンのサブフレームが発生する数が「2」の場合の欄に示すどちらのサブフレームを間欠受信にて受信（モニタ）すれば良いか分からない。このことは以下の方法によって解決できる。移動端末の識別子  mode  1無線フレーム中のページングアケージョンのサブフレームの数  を求める。1無線フレーム中のページングアケージョンのサブフレーム数が「２」の場合、前記式の解は０あるいは１となる。よって具体例としては前記式の解が「０」となった場合は、対応表の上段のサブフレーム番号、「１」となった場合は対応表の下段のサブフレーム番号と規定する。あるいは対応表に前記情報を含める。また別の解決策として、移動端末は1無線フレーム中に複数存在するページングアケージョンのサブフレームを全て受信（モニタ）することにより前記課題は解決される。更に1無線フレーム中に複数のページングアケージョンが発生するにも関わらずＭＢＳＦＮサブフレームの割り当てとの関係でページングアケージョンのサブフレーム番号が必要数分規定出来ない場合が発生する。この課題は以下の方法によって解決できる。1無線フレーム中に存在するページングアケージョン数がＭＢＳＦＮサブフレームを除いたサブフレーム数以下となるようにページンググループ数または/かつ混合周波数レイヤにおける間欠受信周期（T）または/かつＭＢＳＦＮサブフレームの割り当て（割り当て数）を決定する。つまり以下の式を満たすようなページンググループ数（N）、混合周波数レイヤにおける間欠受信周期（T）、ＭＢＳＦＮサブフレームの割り当て数を決定すればよい。
ページンググループ数（N）／混合周波数レイヤにおける間欠受信周期（T）＝＜10（1無線フレーム中のサブフレーム数）−ＭＢＳＦＮサブフレームの割り当て数
【０１９１】
上記で述べた1無線フレーム中にページングアケージョンのサブフレームが複数発生する場合の具体例を以下に述べる。ページングアケージョンの無線フレームを求める方法にて、非特許文献５を用いた場合を考える。非特許文献５では先にも述べたように、ページングアケージョンを求めるためには、ページングインターバル（本発明における混合周波数レイヤにおける間欠受信周期にあたる）（T）とページングインターバル中でのページングアケージョンの数（N）の２つのパラメータが必要であり、他に必要なパラメータはないと記載されている。1無線フレーム中にページングアケージョンのサブフレームが複数発生する場合は、以下の式（１＜N/T）で表すことが出来る。その場合の図４８（b）の用いる方法について具体例を以下に示す。１＜N/T＝＜２の場合は1無線フレーム中に異なるページンググループのページングアケージョンに対応するサブフレームが２つ存在することになる。よって１＜N/T＝＜２の場合は、図４８（b）の1無線フレーム中にページングアケージョンのサブフレームが発生する数が「2」の欄を用いることとなる。
【０１９２】
図４８に示したような対応表は、ネットワーク側と移動端末側で認識を合わせておく必要がある。対応表が移動体通信システムとして静的に決定されていても良い。これにより、ネットワーク側から移動端末側へ通知する必要がないため、無線リソースの有効活用という更なる効果を得ることが出来る。一方、対応表が変更可能とするならば、ロジカルチャネルとして報知制御チャネル（BCCH）にマッピングされ、トランスポートチャネルの報知チャネル（BCH）にマッピングされ、物理チャネルの物理報知チャネル（PBCH）にマッピングされることが考えられる。また別の具体例としては、ロジカルチャネルとして報知制御チャネル（BCCH）にマッピングされ、トランスポートチャネルの下り共有チャネル（DL-SCH）にマッピングされ、物理チャネルの物理下り共有チャネル（PDSCH）にマッピングされることが考えられる。対応表を変更可能とすることにより、より柔軟な移動体通信システムの構築が可能となる更なる効果を得ることが出来る。
【０１９３】
変形例２では、ＭＢＳＦＮサブフレームの割り当てに応じて（割り当てを避けるように）、ページングアケージョンの無線フレーム中のサブフレームを対応付けている。よってページングアケージョンの無線フレーム中のサブフレームとＭＢＳＦＮサブフレームが同じサブフレームとなることはない。よって本発明の第三の課題を解決することができるという効果を得ることが出来る。実施の形態８、変形例１と比較して変形例２では、移動端末及びネットワーク側にてサブフレームの再番号付けという処理を省略できるという効果を得ることが出来る。
【０１９４】
本変形例３では、実施の形態８のステップ4505の処理の異なる方法を示す。本変形例３では変形例２と異なり、対応表ではなくＭＢＳＦＮサブフレームの割り当てとページングアケージョンの無線フレーム中のサブフレームとの関係を一定に保つことを考える。言い換えれば、ＭＢＳＦＮサブフレームの割り当てとページングアケージョンの無線フレーム中のサブフレームとの関係式を規定する。関係式の具体例を以下に示す。以下サブフレームの再番号付けを行わないサブフレーム番号にて説明する。しかし本変形例の考え方はサブフレームの再番号付けを行った場合であっても用いることが出来る。
ページングアケージョンの無線フレーム中のサブフレーム＝ＭＢＳＦＮサブフレームの割り当て番号＋Ｐ  （P：整数）
上記式にて求められたページングアケージョンの無線フレーム中のサブフレームが＃9を越えた場合には、
ページングアケージョンの無線フレーム中のサブフレーム＝ＭＢＳＦＮサブフレームの割り当て番号＋Ｐ−（9×n）  （Ｐ：整数、n：正の整数、nは９を超える毎に「１」加えることとする）
上記式で求められたページングアケージョンの無線フレーム中のサブフレームが更にＭＢＳＦＮサブフレームと重なるということも考えられる。本問題は以下にて解決可能である。ページングアケージョンの無線フレーム中のサブフレーム＝ＭＢＳＦＮサブフレームの割り当て番号＋Ｐ＋（m×Ｑ）−（9×n）  （Ｐ：整数、n：正の整数、m＝1、2、3…10）
上記式で求められたページングアケージョンの無線フレーム中のサブフレームがＭＢＳＦＮサブフレームと重ならないような値となるまで、mの値を進める。
Ｑは、1及び、10と公約数を持たない整数とする。具体的には、Ｑ＝1、3、7、9…が考えられる。この時Ｐ＝Ｑとしても良い。
上記関係式は静的に決定されていても良い。これにより、ネットワーク側から移動端末側へ通知する必要がないため、無線リソースの有効活用という更なる効果を得ることが出来る。一方、関係式が変更可能とするならば、ロジカルチャネルとして報知制御チャネル（BCCH）にマッピングされ、トランスポートチャネルの報知チャネル（BCH）にマッピングされ、物理チャネルの物理報知チャネル（PBCH）にマッピングされることが考えられる。また別の具体例としては、ロジカルチャネルとして報知制御チャネル（BCCH）にマッピングされ、トランスポートチャネルの下り共有チャネル（DL-SCH）にマッピングされ、物理チャネルの物理下り共有チャネル（PDSCH）にマッピングされることが考えられる。対応表を変更可能とすることにより、より柔軟な移動体通信システムの構築が可能となる更なる効果を得ることが出来る。
【０１９５】
本変形例３により変形例２での効果に加えて以下の効果を得ることが出来る。ネットワーク側と移動端末側とで、対応表といった多量の情報を記憶しておく必要がないという効果を得ることが出来る。また、ＭＢＳＦＮサブフレームの割り当てとページングアケージョンの無線フレーム中のサブフレームの対応が変更となった場合であっても、関係式をネットワーク側から移動端末側へ通知するのみでよく、対応表といった多量の情報を通知する必要がないという効果を得ることが出来る。
【０１９６】
本変形例４では、実施の形態８のステップ4505の処理の異なる方法を示す。移動体通信システムとしてページングアケージョンの無線フレーム中のサブフレームとしてＭＢＳＦＮサブフレームを除いたサブフレームを規定する。さらに具体的には、ページングアケージョンの無線フレーム中のサブフレームとして、SCHがマッピングされるという理由にてＭＢＳＦＮサブフレームが割り当てられない＃０または/かつ＃５と規定する。ページングアケージョンの無線フレーム中のサブフレームは静的に決定されていても良い。これにより、ネットワーク側から移動端末側へ通知する必要がないため、無線リソースの有効活用という更なる効果を得ることが出来る。一方、ページングアケージョンの無線フレーム中のサブフレームが変更可能とするならば、ロジカルチャネルとして報知制御チャネル（BCCH）にマッピングされ、トランスポートチャネルの報知チャネル（BCH）にマッピングされ、物理チャネルの物理報知チャネル（PBCH）にマッピングされることが考えられる。また別の具体例としては、ロジカルチャネルとして報知制御チャネル（BCCH）にマッピングされ、トランスポートチャネルの下り共有チャネル（DL-SCH）にマッピングされ、物理チャネルの物理下り共有チャネル（PDSCH）にマッピングされることが考えられる。対応表を変更可能とすることにより、より柔軟な移動体通信システムの構築が可能となる更なる効果を得ることが出来る。本変形例４では、ＭＢＳＦＮサブフレームの割り当てを避けるようなサブフレームをページングアケージョンの無線フレーム中のサブフレームとして規定する。よってページングアケージョンの無線フレーム中のサブフレームとＭＢＳＦＮサブフレームが同じサブフレームとなることはない。よって本発明の第三の課題を解決することができるという効果を得ることが出来る。実施の形態８、変形例１と比較して変形例２では、移動端末及びネットワーク側にてサブフレームの再番号付けという処理を省略できるという効果を得ることが出来る。変形例２、変形例３と比較して変形例４では、移動端末及びネットワーク側にてＭＢＳＦＮサブフレームの割り当てに応じたページングアケージョンの無線フレーム中のサブフレームの決定という処理を省略することができるという効果を得ることが出来る。
【０１９７】
本変形例５では、実施の形態８のステップＳＴ4505の処理の異なる方法を示す。ステップＳＴ4505にて移動端末は、ページングアケージョンの無線フレーム中のサブフレームを求める。本変形例５では、ステップ4505に変えて図４９に示す処理を行う。ステップＳＴ4901にて移動端末は、ページングアケージョンの無線フレーム中のサブフレームを求める。変形例５では、ステップＳＴ4901でのページングアケージョンの無線フレーム中のサブフレームを求める方法のとしては特に指定しない。ＭＢＳＦＮサブフレームの割り当てを考慮しない方法であって良い。具体的なページングアケージョンの無線フレーム中のサブフレームを求める方法例としては、実施の形態２で述べた方法、非特許文献5記載の方法ようにＭＢＳＦＮサブフレームの割り当てに応じることなく固定値とするなどを用いることが出来る。ステップＳＴ4902にて移動端末は、ステップＳＴ4502にて受信したＭＢＳＦＮサブフレームの割り当てとステップＳＴ4901にて求めたページングアケージョンの無線フレーム中のサブフレームを用いて、両者が同じサブフレームとなるか否かを判断する。同じサブフレームとなる場合、ステップＳＴ4903へ移行する。同じサブフレームにならない場合、ステップＳＴ4903へは移行せずに終了する、つまりステップＳＴ4901にて求めたページングアケージョンの無線フレーム中のサブフレームをそのまま用いる。ステップＳＴ4903にて移動端末は、ステップＳＴ4902で求めたページングアケージョンの無線フレーム中のサブフレームについて次のＭＢＳＦＮサブフレーム以外のサブフレームへと変更する。例えば、ステップＳＴ4901にて求めたページングアケージョンの無線フレーム中のサブフレームが#2であり、ステップＳＴ4502にて受信したＭＢＳＦＮサブフレームの割り当てが#2であった場合を考える。この場合、ステップＳＴ4902にて両者が同じサブフレームになると判断される。よって、ステップＳＴ4903にてページングアケージョンの無線フレーム中のサブフレームは、次のＭＢＳＦＮサブフレーム以外のサブフレーム、つまり#3となる。この時、ステップＳＴ4903にてページングアケージョンの無線フレーム中のサブフレームを前のＭＢＳＦＮサブフレーム以外のサブフレームに変更しても良い、つまり#1としても良い。ステップＳＴ4902の判断は、ステップＳＴ4503で求めたページングアケージョンの無線フレーム毎に行っても良い。また、ステップＳＴ4902の判断は、当該サービングセルにて間欠受信を開始する際に1度、または/かつ、ＭＢＳＦＮサブフレームの割り当てが変更される際に1度、ＭＢＳＦＮフレームの集合の繰り返し周期分判断するとしても良い。この場合、いずれか1つのページングアケージョンの無線フレーム中のサブフレームがＭＢＳＦＮサブフレームの割り当てと重なることになれば、毎ページングアケージョンの無線フレーム中のサブフレームについてステップＳＴ4903を処理する。また、該当（ＭＢＳＦＮサブフレームの割り当てと重なる）のページングアケージョンの無線フレーム中のサブフレームのみステップＳＴ4903を処理するとしても良い、この場合ＭＢＳＦＮフレームの集合の繰返し周期において、該当（ＭＢＳＦＮサブフレームの割り当てと重なる）ページングアケージョンの無線フレーム中のサブフレームに対してステップＳＴ4903の処理を行う。ステップ4506にてサービングセルは、移動端末同様のステップＳＴ4901からステップＳＴ4903の処理を行う。
【０１９８】
更に、ステップＳＴ4903の処理により求められたページングアケージョンの無線フレーム中のサブフレームが元のページングアケージョンの無線フレーム中のサブフレーム（ステップＳＴ4901にて求められたページングアケージョンの無線フレーム中のサブフレーム）と同じ無線フレーム内とならない場合が考えられる。その場合の処理について以下に述べる。ステップＳＴ4903の処理により求められたページングアケージョンの無線フレーム中のサブフレームが元のページングアケージョンの無線フレーム中のサブフレームと異なる無線フレームとなっても良いものとする。あるいは、ステップＳＴ4901で求めるページングアケージョンの無線フレーム中のサブフレームをステップＳＴ4903の処理により求められたページングアケージョンの無線フレーム中のサブフレームが元のページングアケージョンの無線フレーム中のサブフレームと同じ無線フレームとなるような値とする。具体例としては、ステップＳＴ4901にて求められるページングアケージョンの無線フレーム中のサブフレームが無線フレームの最後のサブフレーム（#9）となることを除く、あるいは、ある規定値から最後のサブフレームとなることを除くとする。ある規定値のサブフレーム番号の具体例として、「ある規定値のサブフレーム番号＝最後のサブフレーム−ＭＢＳＦＮサブフレームの連続割り当て数」となる。
【０１９９】
本変形例５では、ＭＢＳＦＮサブフレームを考慮することなくページングアケージョンの無線フレーム中のサブフレームを求めた上で、ページングアケージョンの無線フレーム中のサブフレームとＭＢＳＦＮサブフレームが重なった場合において、ページングアケージョンの無線フレーム中のサブフレームを次のＭＢＳＦＮサブフレーム以外のサブフレームへ変更する。よってページングアケージョンの無線フレーム中のサブフレームとＭＢＳＦＮサブフレームが同じサブフレームとなることはない。よって本発明の第三の課題を解決することができるという効果を得ることが出来る。
【０２００】
本変形例６は、実施の形態８のステップＳＴ4503の処理の異なる方法を示す。ステップＳＴ4503にて非特許文献５記載の方法を用いた場合を考える。ここで、ページングインターバルとページングインターバル中でのページングアケージョンの数を等しいとしてページングアケージョンを求める。これにより、ページングアケージョンを求めるためのパラメータが１つ減るという効果を得ることが出来る。このことは、ステップＳＴ4001における自セルのシステム情報の削減に繋がる。これにより、無線リソースの有効活用という効果を得ることが出来る。
【０２０１】
実施の形態８、変形例１〜変形例６は、実施の形態１及び実施の形態２に示した、「Ｕｎｉｃａｓｔ側  間欠受信」に適応可能である。
【０２０２】
実施の形態９．
ＭＢＳＦＮサブフレームの先頭の1〜２ＯＦＤＭシンボル以外はＭＢＭＳ送信専用のリソースとなる。ページングアケージョンの無線フレーム中のサブフレームがＭＢＳＦＮサブフレームの割り当てと重なった場合、先頭の１〜２ＯＦＤＭシンボル以外は、ＭＢＭＳ送信専用のリソースとなりページング処理に用いることはできない。そのため従来のページング処理方法では不都合が生じるという第三の課題を解決するため、本実施の形態９では、ページングアケージョンの無線フレーム中のサブフレームとＭＢＳＦＮサブフレームが重なった場合の処理方法について開示する。本実施の形態９では、ページングアケージョンの無線フレーム中のサブフレームとＭＢＳＦＮサブフレームの割り当てが重なった場合、ＭＢＳＦＮ送信専用となる先頭１〜２ＯＦＤＭシンボル以外の無線リソースをユニキャスト送信用、さらに具体的にはページング処理に用いないこととする。また、さらには、ページングアケージョンの無線フレーム中のサブフレームとＭＢＳＦＮサブフレームの割り当てが重なった場合、ＭＢＳＦＮ送信専用となる先頭１〜２ＯＦＤＭシンボル以外の無線リソースにて送信するページング処理に関する情報を、次のＭＢＳＦＮサブフレーム以外のサブフレームにて送信することとする。処理方法の具体例を以下に示す。ページング信号の処理方法は、図４５のステップＳＴ4505の処理を図４９に変えた処理に類似している。異なる部分を中心に説明する。ステップＳＴ4902にて移動端末は、ステップＳＴ4502にて受信したＭＢＳＦＮサブフレームの割り当てとステップＳＴ4901にて求めたページングアケージョンの無線フレーム中のサブフレームを用いて、両者が同じサブフレームとなるか否かを判断する。同じサブフレームとなる場合、ステップＳＴ4903へ移行する。実施の形態９では、ステップＳＴ4903の処理に変えて、以下の処理を行う。ステップＳＴ4901にて求めたページングアケージョンの無線フレーム中のサブフレームの先頭の１〜２ＯＦＤＭシンボルを用いて、ページングアケージョンの無線フレーム中のサブフレームとＭＢＳＦＮサブフレームの割り当てが重ならなかった場合に先頭の１〜３ＯＦＤＭシンボル（L１/L２シグナリングチャネル）で送信するはずであった情報を送信する。また、ページングアケージョンの無線フレーム中のサブフレームとＭＢＳＦＮサブフレームの割り当てが重ならなかった場合に先頭の１〜３ＯＦＤＭシンボル以外（PDSCH）で送信するはずであった情報を、次のＭＢＳＦＮサブフレーム以外のサブフレームの先頭の１〜３ＯＦＤＭシンボル以外（PDSCH）で送信する。次のＭＢＳＦＮサブフレーム以外のサブフレームの先頭の１〜３ＯＦＤＭシンボル以外（PDSCH）とした場合は、該PDSCH内の無線リソースの割り当ては、ページングアケージョンの無線フレーム中のサブフレームとＭＢＳＦＮサブフレームが重ならなかった場合の割り当てと同じとすれば、再度の割り当てなどが不要となり無線リソースの有効活用という効果を得ることが出来る。ステップＳＴ4902の判断で、同じサブフレームにならない場合、ステップＳＴ4903へは移行せずに終了する、つまりステップＳＴ4901にて求めたページングアケージョンの無線フレーム中のサブフレームをそのまま用いる。
【０２０３】
ステップＳＴ4901にて求めたページングアケージョンの無線フレーム中のサブフレームの先頭の１〜２ＯＦＤＭシンボルを用いて、ページングアケージョンの無線フレーム中のサブフレームとＭＢＳＦＮサブフレームの割り当てが重ならなかった場合に先頭の１〜３ＯＦＤＭシンボル（L１/L２シグナリングチャネル）で送信するはずであった情報の具体例を以下に示す。非特許文献１において、ＰＣＨがＰＤＳＣＨあるいは、ＰＤＣＣＨにマッピングされることが開示されている。また非特許文献１において、ページンググループは、Ｌ１／Ｌ２シグナリングチャネル（PDCCH）を用いること、及び移動端末の明確な識別子（UE-ID）はＰＣＨ上で見つけることが出来ることが開示されている。よって、ＰＣＨは、Ｌ１／Ｌ２シグナリングチャネルを用いて送信されることとなる。一方、非特許文献４において、ページンググループに属するいずれかの移動端末宛のページング信号が発生したことを伝えるＰＩＣＨ（Paging Indicator channel）は、L1/L2シグナリングチャネルを用いて送信されると記載されている。
【０２０４】
ページングアケージョンの無線フレーム中のサブフレームとＭＢＳＦＮサブフレームの割り当てが重ならなかった場合に先頭の１〜３ＯＦＤＭシンボル以外（PDSCH）で送信するはずであった情報の具体例を以下に示す。非特許文献１において、ＰＣＨにて次の制御情報の下り無線リソースの割り当てが行われた場合、該制御情報がPDSCHにマッピングされる。一方、非特許文献４においてＰＣＨは、ＰＩＣＨと同じサブフレームにあるPDSCHにマッピングされると記載されている。
【０２０５】
本実施の形態９では、ページングアケージョンの無線フレーム中のサブフレームとＭＢＳＦＮサブフレームの割り当てが重なった場合、ＭＢＳＦＮ送信専用となる先頭１〜２ＯＦＤＭシンボル以外の無線リソースをユニキャスト送信用、つまりページング処理に用いないこととした。これにより、ページングアケージョンの無線フレーム中のサブフレームとＭＢＳＦＮサブフレーム割り当てが重なった場合であってもページング処理に必要な情報がネットワーク側から移動端末へ送信不可能となることが発生しない。よって本発明の第三の課題を解決することが出来るという効果を得ることが出来る。
【０２０６】
変形例１の説明をする。ステップＳＴ4502にて受信したＭＢＳＦＮサブフレームの割り当てとステップＳＴ4901にて求めたページングアケージョンの無線フレーム中のサブフレームを用いて、両者が同じサブフレームとなると判断した場合、変形例１では実施の形態９の処理に変えて以下の処理を行う。ページングアケージョンの無線フレーム中のサブフレームとＭＢＳＦＮサブフレームの割り当てが重ならなかった場合に先頭の１〜３ＯＦＤＭシンボル（L１/L２シグナリングチャネル）で送信するはずであった情報とページングアケージョンの無線フレーム中のサブフレームとＭＢＳＦＮサブフレームの割り当てが重ならなかった場合に先頭の１〜３ＯＦＤＭシンボル以外（PDSCH）で送信するはずであった情報をステップＳＴ4901にて求めたページングアケージョンの無線フレーム中のサブフレームの先頭の１〜２ＯＦＤＭシンボルを用いて送信する。
【０２０７】
本変形例１では、ページングアケージョンの無線フレーム中のサブフレームとＭＢＳＦＮサブフレームの割り当てが重なった場合、ＭＢＳＦＮ送信専用となる先頭１〜２ＯＦＤＭシンボル以外の無線リソースをユニキャスト送信用、つまりページング処理に用いないこととした。これにより、ページングアケージョンの無線フレーム中のサブフレームとＭＢＳＦＮサブフレーム割り当てが重なった場合であってもページング処理に必要な情報がネットワーク側から移動端末へ送信不可能となることが発生しない。よって本発明の第三の課題を解決することが出来るという効果を得ることが出来る。
【図面の簡単な説明】
【０２０８】
【図１】ＬＴＥ方式の通信システムの構成を示す説明図である。ＬＴＥ方式の通信システムの構成を示す説明図である。
【図２】ＬＴＥ方式の通信システムで使用される無線フレームの構成を示す説明図である。
【図３】ＭＢＳＦＮ（Multimedia Broadcast multicast service Single Frequency Network）フレームの構成を示す説明図である。
【図４】ＬＴＥ方式の通信システムで使用される物理チャネルを説明する説明図である。
【図５】ＬＴＥ方式の通信システムで使用されるトランスポートチャネルを説明する説明図である。
【図６】ＬＴＥ方式の通信システムで使用される論理チャネルを説明する説明図である。
【図７】ＭＢＳＦＮ同期エリアとＭＢＳＦＮエリアの関係を説明する説明図である。
【図８】Ｅ−ＭＢＭＳの論理構造（Logical Architecture）を説明する説明図である。
【図９】Ｅ−ＭＢＭＳのアーキテクチャ（Architecture）を説明する説明図である。
【図１０】本発明に係る移動体通信システムの全体的な構成を示すブロック図である。
【図１１】移動端末の構成を示すブロック図である。
【図１２】基地局の構成を示すブロック図である。
【図１３】ＭＭＥ（Mobility Management Entity）の構成を示すブロック図である。
【図１４】ＭＣＥ（Multi-cell/multicast Coordination Entity）の構成を示すブロック図である。
【図１５】ＭＢＭＳゲートウェイの構成を示すブロック図である。
【図１６】ＬＴＥ方式の通信システムにおいて移動端末がＭＢＭＳの利用開始及び利用修了までの処理の概略を示すフローチャートである。
【図１７】ユニキャスト側のセルセレクションを説明するフローチャートである。
【図１８】ＭＢＭＳサーチ処理を示すフローチャートである。
【図１９】ＭＢＭＳサービス選択処理を示すフローチャートである。
【図２０】ＭＢＭＳ側受信状況通知処理を示すフローチャートである。
【図２１】ユニキャスト側メジャメント処理を説明するフローチャートである。
【図２２】ＭＢＭＳ受信時における間欠受信処理を説明するフローチャートである。
【図２３】ＭＴＣＨ受信処理とＭＢＭＳ受信終了処理を示すフローチャートである。
【図２４】ユニキャスト側間欠受信処理、ＭＢＭＳ受信終了処理を示すフローチャートである。
【図２５】ＭＢＳＦＮ同期エリアを構成する複数のＭＢＳＦＮエリアを示す説明図である。
【図２６】ＭＢＳＦＮエリアが時分割多重された場合のＭＢＳＦＮ同期エリアの物理チャネルへのマッピング概念図である。
【図２７】ＭＢＳＦＮエリアが符号分割多重された場合のＭＢＳＦＮ同期エリアの物理チャネルへのマッピング概念図である。
【図２８】ＭＢＳＦＮ同期エリアを構成する複数のＭＢＳＦＮエリアを示す説明図であって、複数のＭＢＳＦＮエリアをカバーするＭＢＳＦＮエリアを示す説明図である。
【図２９】カバーしているＭＢＳＦＮエリアとカバーされているＭＢＳＦＮエリアが時分割多重され、カバーされているＭＢＳＦＮエリア間の多重方法は符号分割多重である場合のＭＢＳＦＮ同期エリアの物理チャネルへのマッピングを示す説明図である。
【図３０】移動端末へのＭＢＭＳデータの送信が停止され、移動端末でのＭＢＭＳデータの受信動作が停止する間欠受信期間と、間欠受信を行う周期である間欠受信周期の関係を示す説明図である。
【図３１】トラッキングエリアリストの詳細を説明する説明図である。
【図３２】ＭＢＭＳ送信専用周波数レイヤにおけるページング信号をマッピングするチャネル構成例である。
【図３３】ページング信号を物理マルチキャストチャネル（ＰＭＣＨ）上のページング信号ののる物理領域にマッピングする方法の一例を示す説明図である。
【図３４】ページング信号を物理マルチキャストチャネル（ＰＭＣＨ）上のページング信号ののる物理領域にマッピングする方法の一例を示す説明図である。
【図３５】受信可能なＭＢＭＳに関する報知、ＭＢＭＳサーチ、ＭＢＭＳサービス選択処理を示すフローチャートである。
【図３６】サービス番号とサービス内容の対応付けを説明する表である。
【図３７】受信可能なＭＢＭＳに関する報知、ＭＢＭＳサーチ、ＭＢＭＳサービス選択処理を示すフローチャートである。
【図３８】ユニキャスト／ＭＢＭＳ混合セルからマルチセル送信されたＭＢＭＳサービスを受信している移動端末がハンドオーバを行う処理を示すフローチャートである。
【図３９】ユニキャスト／ＭＢＭＳ混合セルからマルチセル送信されたＭＢＭＳサービスを受信している移動端末がハンドオーバを行う処理を示すフローチャートである。
【図４０】ユニキャスト／ＭＢＭＳ混合セルからマルチセル送信されたＭＢＭＳサービスを受信している移動端末がハンドオーバを行う処理を示すフローチャートである。
【図４１】ユニキャスト／ＭＢＭＳ混合セルからマルチセル送信されたＭＢＭＳサービスを受信している移動端末がハンドオーバを行う処理を示すフローチャートである。
【図４２】ユニキャスト／ＭＢＭＳ混合セルからマルチセル送信されたＭＢＭＳサービスを受信している移動端末がハンドオーバを行う処理を示すフローチャートである。
【図４３】ＭＢＳＦＮサブフレームをＭＢＳＦＮエリアで多重する概念を示す説明図である。
【図４４】第三の課題を説明する説明図である。
【図４５】ページング信号がマッピングされるページングアケージョンの無線フレーム中のサブフレームの決定を行う場合のシーケンス図である。
【図４６】ページング信号がマッピングされるページングアケージョンの無線フレーム中のサブフレームの決定を行う場合のシーケンス図である。
【図４７】ページングアケージョンの無線フレーム中のサブフレームとMBSFNサブフレームを除いたサブフレーム数の対応表である。
【図４８】ページングアケージョンの無線フレーム中のサブフレームとMBSFNサブフレーム番号の対応表である。
【図４９】実施の形態８の変形例５で用いる、ページングアケージョンの無線フレーム中のサブフレームの決定を行う場合のシーケンス図である。
【符号の説明】
【０２０９】
１０１  移動端末、１０２  基地局、
１０３  ＭＭＥ（Mobility Management Entity）、
１０４  Ｓ−ＧＷ（Serving Gateway）
【図１】
0005098676.tif 000002
【図２】
0005098676.tif 000003
【図３】
0005098676.tif 000004
【図４】
0005098676.tif 000005
【図５】
0005098676.tif 000006
【図６】
0005098676.tif 000007
【図７】
0005098676.tif 000008
【図８】
0005098676.tif 000009
【図９】
0005098676.tif 000010
【図１０】
0005098676.tif 000011
【図１１】
0005098676.tif 000012
【図１２】
0005098676.tif 000013
【図１３】
0005098676.tif 000014
【図１４】
0005098676.tif 000015
【図１５】
0005098676.tif 000016
【図１６】
0005098676.tif 000017
【図１７】
0005098676.tif 000018
【図１８】
0005098676.tif 000019
【図１９】
0005098676.tif 000020
【図２０】
0005098676.tif 000021
【図２１】
0005098676.tif 000022
【図２２】
0005098676.tif 000023
【図２３】
0005098676.tif 000024
【図２４】
0005098676.tif 000025
【図２５】
0005098676.tif 000026
【図２６】
0005098676.tif 000027
【図２７】
0005098676.tif 000028
【図２８】
0005098676.tif 000029
【図２９】
0005098676.tif 000030
【図３０】
0005098676.tif 000031
【図３１】
0005098676.tif 000032
【図３２】
0005098676.tif 000033
【図３３】
0005098676.tif 000034
【図３４】
0005098676.tif 000035
【図３５】
0005098676.tif 000036
【図３６】
0005098676.tif 000037
【図３７】
0005098676.tif 000038
【図３８】
0005098676.tif 000039
【図３９】
0005098676.tif 000040
【図４０】
0005098676.tif 000041
【図４１】
0005098676.tif 000042
【図４２】
0005098676.tif 000043
【図４３】
0005098676.tif 000044
【図４４】
0005098676.tif 000045
【図４５】
0005098676.tif 000046
【図４６】
0005098676.tif 000047
【図４７】
0005098676.tif 000048
【図４８】
0005098676.tif 000049
【図４９】
0005098676.tif 000050